【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
標識あるいは標識補体として使用する分子を含む組成物であって、各分子は、次の配列群を基に一連のオリゴヌクレオチドから選択されたオリゴヌクレオチド：
2004526433.tif 000001
2004526433.tif 000002
2004526433.tif 000003
2004526433.tif 000004
2004526433.tif 000005
2004526433.tif 000006
2004526433.tif 000007
2004526433.tif 000008
2004526433.tif 000009
2004526433.tif 000010
2004526433.tif 000011
2004526433.tif 000012
2004526433.tif 000013
2004526433.tif 000014
2004526433.tif 000015
2004526433.tif 000016
2004526433.tif 000017
2004526433.tif 000018
2004526433.tif 000019
2004526433.tif 000020
を含み、各1から3は各配列の3までのヌクレオチド塩基が次のような任意のヌクレオチド塩基と置き換えられるという条件で、他の1から3と異なるように選択されているヌクレオチド塩基であり：
一連の任意の配列対に関して：
M1≦16、M2≦13、M3≦20、M4≦16、およびM5≦19、ここで、
M1は内部インデルがない任意のアラインメントのマッチの最大数；
M2は任意のアラインメントマッチのブロックの最大長；
M3は最大スコアをもつ任意のアラインメントのマッチの最大数；
M4は最大スコアの任意のアラインメントのマッチの2つの最長ブロックの最大の和；
M5は最大スコアの任意のアラインメントに関して、少なくとも3長のマッチの全ブロック長の最大の和であり、ここで、
アラインメントのスコアは(A x m) - (B x mm) - (C x (og + eg)) -(D x eg))の式で決定され、ここで、
各(i)から(iv)に関して:
(i) m = 6、mm = 6、og = 0、かつeg = 6、
(ii) m = 6、mm = 6、og = 5、かつeg = 1、
(iii) m = 6、mm = 2、og = 5、かつeg = 1、および
(iv) m = 6、mm = 6、og = 6、かつeg = 0、
Aはアラインメントのマッチした塩基対の合計数；
Bはアラインメントの内部のミスマッチした対の合計数；
Cはアラインメントの内部ギャップの合計数；
Dはアラインメントの内部インデルの合計数引く、アラインメントの内部ギャップの合計数であり、かつ
ここで最大スコアは各(i)、(ii)、(iii)、および(iv)に関して別々に決定される組成物。
【請求項２】
各分子は請求項1記載の配列数値パターンをもつ配列群を基にした一連のオリゴヌクレオチドから選択されたオリゴヌクレオチドを含む、標識あるいは標識補体として使用する分子を含む組成物であって、各1から3は、各配列の3までのヌクレオチド塩基は次のようなヌクレオチド塩基と置き換えられるという条件で、他の1から3と異なるように選択されているヌクレオチド塩基であり：
一連の任意の配列対に関して:
M1≦19、M2≦17、M3≦21、M4≦18、およびM5≦20、ここで:
M1は内部インデルがない任意のアラインメントのマッチの最大数;
M2は任意のアラインメントマッチのブロックの最大長;
M3は最大スコアをもつ任意のアラインメントのマッチの最大数;
M4は最大スコアの任意のアラインメントのマッチの2つの最長ブロックの最大の和;
M5は最大スコアの任意のアラインメントに関して、少なくとも3長のマッチの全ブロック長の最大の和であり、 ここで：
アラインメントのスコアは(A x m) - (B x mm) - (C x (og + eg)) -(D x eg))の式で決定される。ここで：
各(i)から(iv)では:
(i) m = 6、mm = 6、og = 0、eg = 6、
(ii) m = 6、mm = 6、og = 5、eg = 1、
(iii) m = 6、mm = 2、og = 5、eg = 1、
(iv) m = 6、mm = 6、og = 6、eg = 0、
Aはアラインメントのマッチした塩基対の合計数;
Bはアラインメントの内部のミスマッチした対の合計数;
Cはアラインメントの内部ギャップの合計数;
Dはアラインメントの内部インデルの合計数引く、アラインメントの内部ギャップの合計数であり、かつ
ここで最大スコアは各(i)、(ii)、(iii)、および(iv)に関して別々に決定される組成物。
【請求項３】
各分子は請求項1記載の配列数値パターンをもつ配列群を基にした一連のオリゴヌクレオチドから選択されたオリゴヌクレオチドを含む、標識あるいは標識補体として使用する分子を含む組成物であって、各1から3は、各配列の3までのヌクレオチド塩基は次のような任意のヌクレオチド塩基と置き換えられるという条件で、他の1から3と異なるように選択されているヌクレオチド塩基であり、
一連の任意の配列対に関して:
M1≦19、M2≦17、M3≦21、M4≦18、およびM5≦20、ここで:
M1は内部インデルがない任意のアラインメントのマッチの最大数;
M2は任意のアラインメントマッチのブロックの最大長;
M3は最大スコアをもつ任意のアラインメントのマッチの最大数;
M4は最大スコアの任意のアラインメントのマッチの2つの最長ブロックの最大の和;
M5は最大スコアの任意のアラインメントに関して、少なくとも3長のマッチの全ブロック長の最大の和であり、 ここで：
アラインメントのスコアは3A - B - 3C - Dの式で決定され、ここで：
Aはアラインメントのマッチした塩基対の合計数;
Bはアラインメントの内部のミスマッチした対の合計数;
Cはアラインメントの内部ギャップの合計数;
Dはアラインメントの内部インデルの合計数引く、アラインメントの内部ギャップの合計数である組成物。
【請求項４】
1 = A、2 = T、かつ3 = Gの24mer配列群に関しては、配列と24mer配列群の異なった配列の任意の補体間のハイブリダイゼーションの最高度が、該配列とその補体間のハイブリダイゼーション度の30%を越えない、定義された一連の条件下にあり、組成物の全オリゴヌクレオチドに関しては、オリゴヌクレオチドとその他の該組成物の任意の他のオリゴヌクレオチドの補体間のハイブリダイゼーション最高度は、該オリゴヌクレオチドとその補体のハイブリダイゼーション度の50%を越えない、請求項1から3のいずれか一項記載の組成物。
【請求項５】
配列と異なった配列の任意の補体間のハイブリダイゼーション最高度は、該配列とその補体間のハイブリダイゼーション度の30%を越えず、各配列とその補体間のハイブリダイゼーション度は1倍から10倍まで、さらに好ましくは1倍から9倍まで、さらに好ましくは1倍から8倍まで、さらに好ましくは1倍から７倍まで、さらに好ましくは1倍から6倍まで、さらに好ましくは1倍から5倍まで変動する、請求項4の組成物。
【請求項６】
配列と異なった配列の任意の補体間のハイブリダイゼーション最高度は25%を越えず、さらに好ましくは20%を越えず、さらに好ましくは15%を越えず、さらに好ましくは10%を越えず、さらに好ましくは5%を越えない、請求項4または5の組成物。
【請求項７】
規定された一連の条件により、ハイブリダイゼーション条件が0.2 M塩化ナトリウム、0.1 M トリス、0.08% トリトンX-100、37℃でpH 8.0を含む時に得られたハイブリダイゼーションレベルと同じハイブリダイゼーションレベルが得られる、請求項4から6のいずれか一項記載の組成物。
【請求項８】
規定された一連の条件は、ビーズに共有結合されている24mer配列群を含有する、請求項4から7のいずれか一項記載の組成物。
【請求項９】
24mer群に関しては、配列と異なった配列の任意の補体間のハイブリダイゼーションの最高度は、該配列とその補体間のハイブリダイゼーション度の15%を越えず、各配列とその補体間のハイブリダイゼーション度は1倍から9倍まで変動し、一連の全オリゴヌクレオチドに関しては、オリゴヌクレオチドと一連の任意の他のオリゴヌクレオチドの補体間のハイブリダイゼーション最高度は、該オリゴヌクレオチドとその補体のハイブリダイゼーション度の20%を越えない、請求項4の組成物。
【請求項１０】
各1はA、T/U、G、およびCのうちの一つ；各2はA、T/U、G、およびCのうちの一つ；ならびに各3はA、T/U、G、およびCのうちの一つ；ならびに各1と2と3は他の1と2と3の全てと異なるように選択されている、請求項1から9のいずれか一項記載の組成物。
【請求項１１】
1はAまたはT/U、2はAまたはT/U、および3はGまたはCである、請求項10の組成物。
【請求項１２】
1はA 、2はT/U 、および3はGである、請求項11の組成物。
【請求項１３】
各オリゴヌクレオチドは22塩基長から26塩基長、または23塩基長から25塩基長である、請求項1から12のいずれか一項記載の組成物。
【請求項１４】
各オリゴヌクレオチドは他の全てのオリゴヌクレオチドと同じ長さである、請求項1から13のいずれか一項記載の組成物。
【請求項１５】
各オリゴヌクレオチドは24塩基長である、請求項14の組成物。
【請求項１６】
オリゴヌクレオチドは互いに同一の隣接塩基を4より多く含有していない、請求項1から13のいずれか一項記載の組成物。
【請求項１７】
各オリゴヌクレオチドのG数は、配列中の塩基数がLである場合のL/4 を越えない、請求項1から12および16のいずれか一項記載の組成物。
【請求項１８】
各オリゴヌクレオチドのG数は、該オリゴヌクレオチド全部におけるGの数の平均から1より多く変動しない、請求項1から14ならびに16および17のいずれか一項記載の組成物。
【請求項１９】
各オリゴヌクレオチドのG数は他の全てのオリゴヌクレオチドと同一である、請求項1から14および請求項16から18のいずれか一項記載の組成物。
【請求項２０】
各オリゴヌクレオチドが24塩基長であり、各オリゴヌクレオチドが6 Gを含んでいる、請求項19の組成物。
【請求項２１】
各ヌクレオチドに関して、Gの全ての隣接対の間に多くても6つのG 以外の塩基がある、請求項１から12および請求項16から20のいずれか一項記載の組成物。
【請求項２２】
各オリゴヌクレオチドの5'末端において、オリゴヌクレオチド配列の1番目、2番目、3番目、4番目、5番目、6番目、および7番目の塩基の少なくとも一つがGである、請求項１から12および請求項16から21のいずれか一項記載の組成物。
【請求項２３】
各オリゴヌクレオチドの3'末端において、オリゴヌクレオチド配列の1番目、2番目、3番目、4番目、5番目、6番目、および7番目の塩基の少なくとも一つがGである、請求項１から12および請求項16から21のいずれか一項記載の組成物。
【請求項２４】
各オリゴヌクレオチドの3'末端において、オリゴヌクレオチド配列の1番目、2番目、3番目、4番目、5番目、6番目、および7番目の塩基の少なくとも一つがGである、請求項22の組成物。
【請求項２５】
10、20、30、40、50、60、70、80、90、100、110、120、130、140、150、もしくは160の分子を含むか、170の分子を含むか、180の分子を含むか、190の分子を含むか、200の分子を含むか、220の分子を含むか、240の分子を含むか、260の分子を含むか、280の分子を含むか、300の分子を含むか、400の分子を含むか、500の分子を含むか、600の分子を含むか、700の分子を含むか、800の分子を含むか、900の分子を含むか、1000の分子を含むか、または1100の分子を含む、請求項１から24のいずれか一項記載の組成物。
【請求項２６】
補体へのハイブリダイゼーションによって他の分子混合物から区別するため、各分子は固相担体に結合されている、請求項１から25のいずれか一項記載の組成物。
【請求項２７】
各分子は固相担体の確定した位置に結合され、該各分子の確定した位置は他の異なった分子の確定した位置とは異なる、請求項26の組成物。
【請求項２８】
固相担体は微粒子であり、各分子は他の異なった分子と異なる微粒子に共有結合されている、請求項27の組成物。
【請求項２９】
標識または標識補体として使用される、一連の150の分子を含む組成物であって、各分子は少なくとも16のヌクレオチド塩基配列を含有するオリゴヌクレオチドを含む組成物であって、一連の配列対に関しては：
M1≦19/24 x L1、M2≦17/24 x L1、M3≦21/24 x L1、M4≦18/24x L1、M5≦20/24 x L1、ここでL1は対の最短の配列であり、ここで、
M1は内部インデルがない配列対の任意のアラインメントのマッチの最大数;
M2は配列対のアラインメントマッチのブロックの最大長;
M3は最大スコアをもつ配列対の任意のアラインメントのマッチの最大数;
M4は最大スコアの配列対の任意のアラインメントのマッチの2つの最長ブロックの最大長さの和;かつ
M5は最大スコアの配列対の任意のアラインメントに関する、少なくとも3長のマッチの全ブロック長さの最大の和であり、ここで
アラインメントのスコアは(A x m) - (B x mm) - (C x (og + eg)) -(D x eg))の式で決定され、ここで：
各(i)から(iv)は:
(i) m = 6、mm = 6、og = 0、eg = 6、
(ii) m = 6、mm = 6、og = 5、eg = 1、
(iii) m = 6、mm = 2、og = 5、eg = 1、および
(iv) m = 6、mm = 6、og = 6、eg = 0、
Aはアラインメントのマッチした塩基対の合計数;
Bはアラインメントの内部のミスマッチした対の合計数;
Cはアラインメントの内部ギャップの合計数;
Dはアラインメントの内部インデルの合計数引く、アラインメントの内部ギャップの合計数であり、かつ
ここで、最大スコアは、各(i)、(ii)、(iii)、および(iv)に関して、別々に決定される組成物。
【請求項３０】
標識あるいは標識補体として使用される一連の150の分子を含む組成物であって、各分子は少なくとも16ヌクレオチド塩基の配列をもつオリゴヌクレオチドを含み、一連の配列対に関しては：
M1≦19、M2≦17、M3≦21、M4≦18、およびM5≦20、ここで:
M1は内部インデルがない配列対の任意のアラインメントのマッチの最大数;
M2は配列対のアラインメントマッチのブロックの最大長;
M3は最大スコアをもつ配列対の任意のアラインメントのマッチの最大数;
M4は最大スコアの配列対の任意のアラインメントのマッチの、2つの最長ブロックの最大長さの和;かつ
M5は最大スコアの配列対のアラインメントに関する、少なくとも3長のマッチの全ブロック長さの最大の和であり、ここで
該アラインメントのスコアは3A - B - 3C - Dの式で決定される。ここで：
Aはアラインメントのマッチした塩基対の合計数;
Bはアラインメントの内部のミスマッチした対の合計数;
Cはアラインメントの内部ギャップの合計数;
Dはアラインメントの内部インデルの合計数引く、アラインメントの内部ギャップの合計数である組成物。
【請求項３１】
各配列は50までの塩基を持っている、請求項29または30記載の組成物。
【請求項３２】
各配列は16塩基長と40塩基長の間か、16塩基長と35塩基長の間か、18塩基長と30塩基長の間か、20塩基長と28塩基長の間か、21塩基長と27塩基長の間か、または22塩基長と26塩基長の間である、請求項31の組成物。
【請求項３３】
各配列は他の全ての配列と同じ長さである、請求項29から32のいずれか一項記載の組成物。
【請求項３４】
各配列は24塩基長である、請求項33の組成物。
【請求項３５】
配列は相互に同一の隣接塩基を4つより多く含まない、請求項29から34のいずれか一項記載の組成物。
【請求項３６】
各配列のG数は、L が前記配列の塩基数である場合のL/4 を越えない、請求項29から35のいずれか一項記載の組成物。
【請求項３７】
各配列のG数は、一連の配列全部の平均G数から1より多く変動しない、請求項36の組成物。
【請求項３８】
各配列のG数は、一連の他の全ての配列と同じである、請求項37の組成物。
【請求項３９】
各配列は24塩基長で、該各配列は6 G を含有している、請求項37の組成物物。
【請求項４０】
各配列に関して、Gの全ての隣接対の間に、多くても6つのG以外の塩基がある、請求項29から39のいずれか一項記載の組成物。
【請求項４１】
各配列の5'末端において、配列の1番目、2番目、3番目、4番目、5番目、6番目、および7番目の塩基の少なくとも一つがGである、請求項29から40のいずれか一項記載の組成物。
【請求項４２】
各配列の3'末端において、配列の1番目、2番目、3番目、4番目、5番目、6番目、および7番目の塩基の少なくとも一つがGである、請求項29から40のいずれか一項記載の組成物。
【請求項４３】
各配列の3'末端において、配列の1番目、2番目、3番目、4番目、5番目、6番目、および7番目の塩基の少なくとも一つがGである、請求項41の組成物。
【請求項４４】
定義された一連の条件下で、オリゴヌクレオチドと、組成物の異なったオリゴヌクレオチドの任意の補体間とのハイブリダイゼーション最高度は、該オリゴヌクレオチドとその補体間のハイブリダイゼーション度の30%を越えず、さらに好ましくは20%、さらに好ましくは15%、さらに好ましくは10%、さらに好ましくは6%を超えない、請求項29から43のいずれか一項記載の組成物。
【請求項４５】
一連の条件により、ハイブリダイゼーション条件が、0.2 M塩化ナトリウム、0.1 M トリス、0.08% トリトンX-100、37℃でpH 8.0を含むときに得られるハイブリダイゼーションレベルと同じハイブリダイゼーションレベルが得られ、オリゴヌクレオチドは微粒子に共有結合されている、請求項44の組成物。
【請求項４６】
定義された一連の条件下で、各オリゴヌクレオチドとその補体間のハイブリダイゼーション度は、1倍から8倍まで、さらに好ましくは7倍まで、さらに好ましくは6倍まで、さらに好ましくは5倍まで変動する、請求項45の組成物。
【請求項４７】
160の分子、170の分子、180の分子、190の分子、200の分子、220の分子、240の分子、260の分子、280の分子、300の分子、400の分子、500の分子、600の分子、700の分子、800の分子、900の分子、または1000の分子を含む、請求項29から46のいずれか一項記載の組成物。
【請求項４８】
補体へのハイブリダイゼーションによって、各分子は他の分子の混合物と区別できるように固相担体に結合されている、請求項29から47のいずれか一項記載の組成物。
【請求項４９】
各分子は固相担体上の確定した位置に結合され、各分子の確定した位置は、他の異なった分子の確定された位置とは異なる、請求項48の組成物。
【請求項５０】
各固相担体は微粒子であり、各分子は他の異なった分子とは異なる微粒子に共有結合している、請求項49の組成物。
【請求項５１】
各分子はヌクレオチド塩基配列を含むオリゴヌクレオチドを含み、定義された一連の条件下では、該オリゴヌクレオチドと異なったオリゴヌクレオチドの補体間のハイブリダイゼーション最高度は、該オリゴヌクレオチドとその補体間のハイブリダイゼーション度の約20%を越えない、標識あるいは標識補体として使用される150の最小限クロス交雑している分子を含む組成物。
【請求項５２】
各配列は10塩基と50塩基の間である、請求項51の組成物。
【請求項５３】
各配列は16塩基長と40塩基長の間か、16塩基長と35塩基長の間か、18塩基長と30塩基長の間か、20塩基長と28塩基長の間か、21塩基長と27塩基長の間か、22塩基長と26塩基長の間である、請求項52の組成物。
【請求項５４】
各配列は他の全ての配列と同じ長さである、請求項51から53のいずれか一項記載の組成物。
【請求項５５】
各配列は24塩基長である、請求項54の組成物。
【請求項５６】
配列は互いに同一である隣接塩基を4つより多く含有していない、請求項51から55のいずれか一項記載の組成物。
【請求項５７】
各配列のG数は、Lが前記配列の塩基数である場合のL/4 を越えない、請求項51から56のいずれか一項記載の組成物。
【請求項５８】
各配列のG数は一連の配列全部における平均G数から1 つより多く変動しない、請求項57の組成物。
【請求項５９】
各配列のG数は一連の一つおきの配列と同じである、請求項58の組成物。
【請求項６０】
各配列は24塩基長であり、6 G を含有している、請求項58の組成物。
【請求項６１】
各配列に関して、Gの全隣接対間に多くとも6つのG以外の塩基がある、請求項51から60のいずれか一項記載の組成物。
【請求項６２】
各配列の5'末端において、配列の1番目、2番目、3番目、4番目、5番目、6番目、および7番目の塩基の少なくとも一つがGである、請求項51から61のいずれか一項記載の組成物。
【請求項６３】
各配列の3'末端において、配列の1番目、2番目、3番目、4番目、5番目、6番目、および7番目の塩基の少なくとも一つがGである、請求項51から61のいずれか一項記載の組成物。
【請求項６４】
各配列の3'末端において、配列の1番目、2番目、3番目、4番目、5番目、6番目、および7番目の塩基の少なくとも一つがGである、請求項62の組成物。
【請求項６５】
定義された一連の条件下で、オリゴヌクレオチドと組成物の異なったオリゴヌクレオチドの任意の補体間のハイブリダイゼーション最高度は、約15%を越えず、さらに好ましくは10%、さらに好ましくは6%を超えない、請求項61から64のいずれか一項記載の組成物。
【請求項６６】
一連の条件により、0.2 M塩化ナトリウム、0.1 M トリス、0.08% トリトンX-100、37℃でpH 8.0のハイブリダイゼーション条件の時に得られるハイブリダイゼーションレベルと同じハイブリダイゼーションレベルが得られ、オリゴヌクレオチドは微粒子に共有結合している、請求項65の組成物。
【請求項６７】
定義された一連の条件下で、各オリゴヌクレオチドとその補体間のハイブリダイゼーション度は、1倍から8倍まで、さらに好ましくは７倍まで、さらに好ましくは6倍まで、さらに好ましくは5倍まで変動する、請求項66の組成物。
【請求項６８】
160の分子、170の分子、180の分子、190の分子、200の分子、220の分子、240の分子、260の分子、280の分子、300の分子、400の分子、500の分子、600の分子、700の分子、800の分子、900の分子、または1000の分子を含む、請求項51から67までのいずれか一項記載の組成物。
【請求項６９】
その補体へのハイブリダイゼーションによって他の分子の混合物と区別できるように各分子は固相担体に結合している、請求項51から68のいずれか一項記載の組成物。
【請求項７０】
各分子は固相担体の定義された位置に結合し、各分子の定義された位置は他の異なった分子の定義された位置とは異なっている、請求項69の組成物。
【請求項７１】
各固相担体は微粒子であり、各分子は異なった他の各分子とは異なった微粒子に共有結合している、請求項70の組成物。
【請求項７２】
任意の塩基がそのアナログによって置き換えられる、請求項1から71のいずれか一項記載の組成物。
【請求項７３】
各分子は標識補体を含む、請求項1から72のいずれか一項記載の組成物。
【請求項７４】
一つ以上の固相担体を含み、各担体は一つ以上の空間的に分離した領域を持ち、そのような領域は共有結合している実質的に同一な標識補体の均一な集団を持っており、各標識補体は請求項1から73のいずれか一項で定義された一連のオリゴヌクレオチドから選択されている、ポリヌクレオチドの分類と識別用のキット。
【請求項７５】
組成物の各オリゴヌクレオチドに関する標識補体がある、請求項74のキット。
【請求項７６】
一つ以上の固相担体は平面基質であり、一つ以上の空間的に分離した領域は空間的にアドレス可能な複数の領域である、請求項74または75のキット。
【請求項７７】
一つ以上の固相担体は複数の微粒子である、請求項74から76のいずれか一項記載のキット。
【請求項７８】
微粒子は、5から40 μmの範囲の直径を有する、請求項77のキット。
【請求項７９】
各微粒子は、そこに異なったオリゴヌクレオチドが結合している互いの微粒子とは異なり、分光光度的に固有である、請求項77または78のキット。
【請求項８０】
核酸遺伝子座における突然変異か多形性の存在について、生体配列を含む生体試料を解析する方法であって、以下の段階を含む方法：
(A) 標識配列に相補的な配列をもつ5'末端を有する増幅分子を形成するため、請求項73で定義された標識補体ファミリーに属する標識補体配列に相補的な標識配列を有する5'配列を持つ、第一プライマーの存在下で、核酸分子を増幅する段階；
(B) ポリメラーゼおよび増幅した配列の3'末端に相補的な5'末端を持つ第二プライマーの存在下で増幅分子を伸長する段階であって、第二プライマーの3'末端が最隣接した遺伝子座に伸長し、それぞれ(i)転写の間、増大するヌクレオチド鎖の3'末端にポリメラーゼにより組み入れることが可能であり；(ii)重合の終結を引き起こし；(iii) それぞれの示差検出が可能であり、増幅した配列の遺伝子座にありうる各ヌクレオチドに相補的な誘導体である、複数のヌクレオチド三リン酸塩誘導体の存在下で行われる段階；
(C) 第二プライマーを(A)の標識補体配列を持つ標識補体に特異的にハイブリダイズさせる段階；ならびに
(D) 核酸遺伝子座に位置する塩基を同定するため、(B)の第二プライマーに組み込まれたヌクレオチド誘導体を検出する段階。
【請求項８１】
各核酸遺伝子座における突然変異か多形性の存在について、多数の核酸分子を含む生体試料を解析する方法であって、各核酸分子について：
(A) 標識配列に相補的な配列をもつ5'末端を有する増幅分子を形成するため、請求項73で定義された標識補体ファミリーに属する標識補体配列に相補的な標識配列を有する5'配列を持つ、第一プライマーの存在下で核酸分子を増幅する段階；
(B) ポリメラーゼおよび増幅した配列の3'末端に相補的な5'末端を持つ第二プライマーの存在下で増幅分子を伸長する段階であって、第二プライマーの3'末端が最隣接した遺伝子座に伸長し、それぞれ、(i)転写の間、増大するヌクレオチド鎖の3'末端にポリメラーゼで組み入れることが可能であり；(ii)重合の終結を引き起こし；(iii) それぞれ示差検出が可能であり、増幅した配列の遺伝子座にありうる各ヌクレオチドに相補的な誘導体である、複数のヌクレオチド三リン酸塩誘導体の存在下で行われる段階；
(C) 第二プライマーを(A)の標識補体配列を持つ標識補体に特異的にハイブリダイズさせる段階；
(D) 核酸遺伝子座に位置する塩基を同定するため、(B)の第二プライマーに組み込まれたヌクレオチド誘導体を検出する段階
を含み、(A)の各標識は核酸分子にとって固有であり、段階(A)と(B)は相互に存在する時に核酸を用いて行なわれる方法。
【請求項８２】
各核酸遺伝子座における突然変異または多形性の存在について、多数の相補的な2本鎖核酸分子を含む生体試料を解析する方法であって、各核酸分子について：
(A) 標識配列に相補的な配列をもつ5'末端を有する増幅分子を形成するため、第一プライマーの対が存在する2本鎖分子を増幅する段階であって、各プライマーは同一の5'配列を持ち、該5'配列は請求項73で定義された標識補体ファミリーに属する標識補体配列に相補的な標識配列をもつ段階；
(B) ポリメラーゼと第二プライマーの対の存在下で増幅分子を伸長する段階であって、各第二プライマーは増幅した配列の3'末端に相補的な5'末端を持ち、各第二プライマーの3'末端は最隣接した遺伝子座に伸長し、それぞれ(i)転写の間、増大するヌクレオチド鎖の3'末端にポリメラーゼで組み入れることが可能であり；(ii)重合の終結を引き起こし；(iii) それぞれ示差検出が可能である、多数のヌクレオチド三リン酸塩誘導体が存在する段階；
(C) 第二プライマーを(A)の標識補体配列を持つ標識補体に特異的にハイブリダイズさせる段階；ならびに
(D) 遺伝子座に位置する塩基を同定するため、(B)の第二プライマーに組み込まれたヌクレオチド誘導体を検出する段階
を含み、(A)の各標識の配列は各核酸分子にとって固有であり、段階(A)と(B)は相互の存在下で核酸を用いて行なわれる方法。
【請求項８３】
各核酸分子の遺伝子座における突然変異または多形性の存在について、複数の核酸分子を含む生体試料を解析する方法であって、各核酸分子について：
(a) 分子とプライマーをハイブリダイズさせる段階であって、プライマーは5'配列を持ち、各プライマーは請求項73で定義された標識補体ファミリーに属する標識補体配列に相補的な標識配列を有する5'配列、および最隣接の遺伝子座に伸長する3'末端を有する段階；
(b) それぞれ(i)増大するヌクレオチド鎖の3'末端に酵素的に組み入れることが可能であり；(ii)伸長の終結を引き起こし；(iii) 互いに示差検出が可能である、複数のヌクレオチド三リン酸塩誘導体の存在下で、プライマーの3'末端を酵素的に伸長し、該遺伝子座に存在する可能性のある各ヌクレオチドに相補的な誘導体が存在する段階；
(c) 段階(b)で形成された伸長したプライマーを、(a)の標識補体配列を持つ
標識補体に特異的にハイブリダイズさせる段階；
(d) 核酸分子の遺伝子座に位置する塩基を同定するため、段階(b)のプライマ
ーに組み込まれたヌクレオチド誘導体を検出する段階
を含み、(a)の各標識は各核酸分子にとって固有であり、段階(a)と(b)は、相互の存在下で核酸分子を用いて行なわれる方法。
【請求項８４】
各誘導体は、ジデオキシヌクレオチド三リン酸塩である、請求項81の方法。
【請求項８５】
各別々の補体は、一つ以上の固相担体上の空間的に分離した領域中の、実質的に同一の補体の均一集団として結合している、請求項83の方法。
【請求項８６】
各標識補体はラベルを含み、そのような各ラベルは別々の補体で異なり、段階(d)は結合標識と標識補体のハイブリダイゼーション複合体の異なったラベルを検出する段階を含む、請求項85記載の方法。
【請求項８７】
請求項83から86のいずれか一項記載の段階(A)の、ハイブリダイズした分子およびプライマー。
【請求項８８】
混合物に含まれると推定されるターゲットを決定する方法であって、以下の段階を含む方法：
(i) 第一ラベルでターゲットをラベルする段階；
(ii) ターゲットへの特異的な結合が可能であり、第一標識を含む第一検出部分を提供する段階；
(iii)分子とターゲットの特異的結合を可能にする（又は、引き起こす）のに適した条件下で、混合物のサンプルを検出部分に露出する段階；
(iv) 請求項73で定義された標識補体ファミリーを提供する段階であって、ここでファミリーは、第一標識の配列に相補的な配列を持つ、第一標識補体を含有
している段階；
(v) 第一標識とその標識補体の特異的ハイブリダイゼーションを可能にする（又は、引き起こす）のに適した条件下で、サンプルを標識補体ファミリーに露出する段階；
(vi) 混合物中にターゲットが存在するか否かを決定するため、第一標識補体にハイブリダイズした第一検出部分が、ラベルされたターゲットに結合されているかどうかを決定する段階。
【請求項８９】
第一標識補体は担体の特異位置で固体担体に結合されており、段階(vi)は特異位置の第一ラベルの検出も含む、請求項88の方法。
【請求項９０】
第一標識補体は第二ラベルを含み、段階(vi)は部分と第一標識補体のハイブリダイズした複合体における、第一ラベルと第二ラベルの検出を含む、請求項88の方法。
【請求項９１】
ターゲットは有機分子、抗原、タンパク質、ポリペプチド、抗体、および核酸から成る配列群から選択される、請求項88の方法。
【請求項９２】
ターゲットは抗原であり、第一分子は前記抗原に特異的な抗体である、請求項91の方法。
【請求項９３】
抗原はポリペプチドまたはタンパク質であり、ラベル付け段階は蛍光分子の接合、ジゴキシゲニン、ビオチン標識などの共役を含む、請求項92の方法。
【請求項９４】
ターゲットは核酸であり、ラベル付け段階は蛍光分子、放射標識されたヌクレオチド、ジゴキシゲニン、ビオチン標識などの組み込みを含む、請求項93の方法。
【手続補正２】
【補正対象書類名】明細書
【補正対象項目名】発明の名称
【補正方法】変更
【補正の内容】
【発明の名称】標識および標識補体として使用するための非クロス交雑しているポリヌクレオチドのファミリー、製品、ならびにその使用方法
【手続補正３】
【補正対象書類名】明細書
【補正対象項目名】００１８
【補正方法】変更
【補正の内容】
【００１８】
広い面で見ると、本発明は標識または標識補体として使用する分子を構成する組成物のことであり、各分子は表IAの数値識別子で特定された配列群を基にしたオリゴヌクレオチドゴ集団から選択されたオリゴヌクレオチドを構成する。配列において1から3のそれぞれは、各配列の最大3ヌクレオチド塩基が以下に提供される任意の他のヌクレオチドと置き換えられるという条件で、他の1から3と区別するため選択されたヌクレオチド塩基である：
一連のどの配列対でも、
M1≦16、M2≦13、M3≦20、M4≦16、M5≦19であり、
M1は内部インデルのないアラインメントのマッチの最大スコア；
M2はアラインメントのマッチしているブロックの最大長；
M3は最大のスコアがあるアラインメントのマッチしている最大スコア；
M4は最大のスコアがあるアラインメントのマッチしている二つの最長ブロック長の最大の和；
M5は最大スコアのアラインメントで少なくとも３長のマッチしている全ブロッ
ク長の最大の和であり、ここで
アラインメントのスコアは(A x m) - (B x mm) - (C x (og + eg)) -(D x eg))の式で決定され、ここで、
各(i)から(iv)は:
(i) m = 6、mm = 6、og = 0 および eg = 6、
(ii) m = 6、mm = 6、og = 5 および eg = 1、
(iii)m = 6、mm = 2、og = 5 および eg = 1、
(iv) m = 6、mm = 6、og = 6 および eg = 0、
Aはアラインメントのマッチした塩基対の合計数；
Bはアラインメントの内部のミスマッチした対の合計数；
Cはアラインメントの内部ギャップの合計数；
Dはアラインメントの内部インデルの合計数引く、アラインメントの内部ギャップの合計数であり、
ここで、最大スコアは各(i)、(ii)、(iii)、(iv)別々で決定される。
【手続補正４】
【補正対象書類名】明細書
【補正対象項目名】００２０
【補正方法】変更
【補正の内容】
【００２０】
他の広い面で見ると、本発明は標識あるいは標識補体として使われる分子がある組成物で、各分子は表IAの配列群をベースとした一連のオリゴヌクレオチドから選択されたオリゴヌクレオチドを構成しており、各1から3は各配列の3までのヌクレオチド塩基が以下に提供されるヌクレオチド塩基と置き換えられるという条件で、他の1から3と区別するため選択されたヌクレオチド塩基である：
一連のどの配列対でも、
M1≦19、M2≦17、M3≦21、M4≦18、M5≦20、
M1は内部インデルがないアラインメントのマッチする最大スコア；
M2はアラインメントのマッチしているブロックの最大長；
M3は最大スコアをもつアラインメントのマッチの最大スコア；
M4は最大スコアアラインメントのマッチの二つの最長ブロック長の最大の和；
M5は最大スコアのアラインメントの少なくともマッチしている3長の全ブロックの長さの最大の和。ここで、
アラインメントのスコアは(A x m) - (B x mm) - (C x (og + eg)) -(D x eg))の式で決定される。ここで、
各(i)から(iv)は、
(i) m = 6、mm = 6、og = 0 および eg = 6、
(ii) m = 6、mm = 6、og = 5 および eg = 1、
(iii)m = 6、mm = 2、og = 5 および eg = 1、ならびに
(iv) m = 6、mm = 6、og = 6 および eg = 0、
Aはアラインメントのマッチした塩基対の合計数；
Bはアラインメントの内部のミスマッチした対の合計数；
Cはアラインメントの内部ギャップの合計数；
Dはアラインメントの内部インデルの合計数引く、アラインメントの内部ギャップの合計数。
ここで、最大スコアは各(i)、(ii)、(iii)、(iv)別々に決定される。
【手続補正５】
【補正対象書類名】明細書
【補正対象項目名】００２１
【補正方法】変更
【補正の内容】
【００２１】
他の広い面で見ると、本発明は標識あるいは標識補体として使われる分子
を構成している組成物のことで、各分子は表IAの配列群をベースとしたオリゴヌ
クレオチド集団から選択されたオリゴヌクレオチドを構成し、各1から3は各
配列の3までのヌクレオチド塩基が以下に提供されるヌクレオチド塩基と置き換えれるという条件で、他の1から3と区別するため選択されたヌクレオチド塩基である：
一連のどの配列ペアでも、
M1≦19、M2≦17、M3≦21、M4≦18、M5≦20、
M1は内部インデルがないアラインメントのマッチの最大スコア；
M2はアラインメントのマッチするブロックの最大長；
M3は最大スコアをもつアラインメントのマッチの最大スコア。
M4は最大スコアのアラインメントのマッチの二つの最長ブロック長さの最大の和；
M5は最大スコアのアラインメントの少なくとも3長のマッチする全ブロック長
の最大の和。
アラインメントのスコアは3A - B - 3C - Dの式で決定される。
Aはアラインメントのマッチした塩基対の合計数；
Bはアラインメントの内部のミスマッチした対の合計数；
Cはアラインメントの内部ギャップの合計数；
Dはアラインメントの内部インデルの合計数引く、アラインメントの内部ギャップの合計数。
【手続補正６】
【補正対象書類名】明細書
【補正対象項目名】００３９
【補正方法】変更
【補正の内容】
【００３９】
他の広い面で見ると、本発明は、標識あるいは標識補体として使用される一連の150の分子を含む組成物で、各分子が少なくとも16ヌクレオチド塩基の配列を含むオリゴヌクレオチドを含み、一連の配列対では、次のようになる。
M1≦19/24 x L1、M2≦17/24 x L1、M3≦21/24 x L1、M4≦18/24 x L1、M5≦20/24 x L1、ここでL1は対の最短長の配列である。ここで、
M1は内部インデルがない配列対アラインメントのマッチの最大スコア。
M2は配列対アラインメントのマッチのブロックの最大長。
M3は最大スコアをもつ配列対アラインメントのマッチの最大スコア。
M4は最大スコアの配列対アラインメントのマッチの2つの最長ギャップ最大の和。
M5は最大スコアの配列対アラインメントで、少なくとも3長のマッチする全ギャップ長の最大の和。ここで、
アラインメントのスコアは(A x m) - (B x mm) - (C x (og + eg)) -(D x eg))の式で決定される。ここで、
各(i)から(iv)は、
(i) m = 6、mm = 6、og = 0 および eg = 6、
(ii) m = 6、mm = 6、og = 5 および eg = 1、
(iii)m = 6、mm = 2、og = 5 および eg = 1、
(iv) m = 6、mm = 6、og = 6 および eg = 0、
Aはアラインメントのマッチした塩基対の合計数。
Bはアラインメントの内部のミスマッチした対の合計数。
Cはアラインメントの内部ギャップの合計数。
Dはアラインメントの内部インデルの合計数引く、アラインメン
ト内部ギャップの合計数。
ここで、最大スコアは各(i)、(ii)、(iii)、(iv)別々で決定される。
【手続補正７】
【補正対象書類名】明細書
【補正対象項目名】００４０
【補正方法】変更
【補正の内容】
【００４０】
他の広い面を見ると、本発明は標識あるいは標識補体として使う150 分子集団が含まれている組成物で、各分子が少なくとも一連の配列対の16ヌクレオチド塩基配列をもつオリゴヌクレオチドゴを持っており、一連の配列対は次のようになる。
M1≦19、M2≦17、M3≦21、M4≦18、M5≦20
M1は内部インデルがない配列対の任意のアラインメントのマッチの最大スコア。
M2は配列対のアラインメントのマッチするブロックの最大長。
M3は最大スコアをもつ配列対の任意のアラインメントのマッチの最大スコア。
M4は最大スコアの配列対のアラインメントのマッチする2つの最長ブロックの最大の和。
M5は最大スコアの配列対のアラインメントで少なくともマッチする3長の全ブロック長の最大の和。ここで、
前記アラインメントのスコアは3A - B - 3C - Dの式で決定される。ここでは、
Aはアラインメントのマッチした塩基対の合計数。
Bはアラインメントの内部のミスマッチした対の合計数。
Cはアラインメントの内部ギャップの合計数。
Dはアラインメントの内部インデルの合計数引く、アラインメント内部ギャップの合計数。
【手続補正８】
【補正対象書類名】明細書
【補正対象項目名】０１４５
【補正方法】変更
【補正の内容】
【０１４５】
本出願は2001年1月25日および2001年7月10日に提出された、米国特許仮出願第60/263,710号および第60/303,799号から優先権を主張する。これらの文書はどちらも、本明細書に参照として組み入れられる。
【配列表】
SEQUENCE LISTING
<110> TM BIOSCIENCE CORPORATION
<120> POLYNUCLEOTIDES FOR USE AS TAGS AND TAG COMPLEMENTS, MANUFACTURE
AND USE THEREOF
<130> BC-A0302
<140> JP   2002-559837
<141> 2002-01-25
<150> US   60/263,710
<151> 2001-01-25
<150> US   60/303,799
<151> 2001-07-10
<160> 1172
<170> WordPerfect 9.0
<210> 1
<211> 24
<212> DNA
<213> Artificial Sequence
<220> 
<223> Description of Artificial Sequence:Artificially
Synthesized DNA Sequence
<400> 1
aaattgtgaa agattgtttg tgta                                        24
<210> 2
<211> 24
<212> DNA
<213> Artificial Sequence
<220> 
<223> Description of Artificial Sequence:Artificially
Synthesized DNA Sequence
<400> 2
gttagagtta attgtatttg atga                                         24
<210> 3
<211> 24
<212> DNA
<213> Artificial Sequence
<220> 
<223> Description of Artificial Sequence:Artificially
Synthesized DNA Sequence
<400> 3
atgttaaagt aagtgttgaa atgt                                        24
<210> 4
<211> 24
<212> DNA
<213> Artificial Sequence
<220> 
<223> Description of Artificial Sequence:Artificially
Synthesized DNA Sequence
<400> 4
tgatgttaga agtatattgt gaat                                        24
<210> 5
<211> 24
<212> DNA
<213> Artificial Sequence
<220> 
<223> Description of Artificial Sequence:Artificially
Synthesized DNA Sequence
<400> 5
tttgtgtaga atatgtgttg ttaa                                        24
<210> 6
<211> 24
<212> DNA
<213> Artificial Sequence
<220> 
<223> Description of Artificial Sequence:Artificially
Synthesized DNA Sequence
<400> 6
ataagtgtaa gtgaaataag aaga                                        24
<210> 7
<211> 24
<212> DNA
<213> Artificial Sequence
<220> 
<223> Description of Artificial Sequence:Artificially
Synthesized DNA Sequence
<400> 7
aagagtattt gttgtgagtt aaat                                        24
<210> 8
<211> 24
<212> DNA
<213> Artificial Sequence
<220> 
<223> Description of Artificial Sequence:Artificially
Synthesized DNA Sequence
<400> 8
gtgtttatgt tatatgtgaa gttt                                        24
<210> 9
<211> 24
<212> DNA
<213> Artificial Sequence
<220> 
<223> Description of Artificial Sequence:Artificially
Synthesized DNA Sequence
<400> 9
aaagagaata gaatatgtgt aagt                                        24
<210> 10
<211> 24
<212> DNA
<213> Artificial Sequence
<220> 
<223> Description of Artificial Sequence:Artificially
Synthesized DNA Sequence
<400> 10
tatgaaagag tgagataatg ttta                                        24
<210> 11
<211> 24
<212> DNA
<213> Artificial Sequence
<220> 
<223> Description of Artificial Sequence:Artificially
Synthesized DNA Sequence
<400> 11
atgagaaata tgttagaatg tgat                                         24
<210> 12
<211> 24
<212> DNA
<213> Artificial Sequence
<220> 
<223> Description of Artificial Sequence:Artificially
Synthesized DNA Sequence
<400> 12
ttagttgttg atgtttagta gttt                                        24
<210> 13
<211> 24
<212> DNA
<213> Artificial Sequence
<220> 
<223> Description of Artificial Sequence:Artificially
Synthesized DNA Sequence
<400> 13
gtaaagagta taagtttgat gata                                        24
<210> 14
<211> 24
<212> DNA
<213> Artificial Sequence
<220> 
<223> Description of Artificial Sequence:Artificially
Synthesized DNA Sequence
<400> 14
aaagtaagaa tgatgtaata agtg                                        24
<210> 15
<211> 24
<212> DNA
<213> Artificial Sequence
<220> 
<223> Description of Artificial Sequence:Artificially
Synthesized DNA Sequence
<400> 15
gtagaaatag tttattgatg attg                                        24
<210> 16
<211> 24
<212> DNA
<213> Artificial Sequence
<220> 
<223> Description of Artificial Sequence:Artificially
Synthesized DNA Sequence
<400> 16
tgtaagtgaa atagtgagtt attt                                        24
<210> 17
<211> 24
<212> DNA
<213> Artificial Sequence
<220> 
<223> Description of Artificial Sequence:Artificially
Synthesized DNA Sequence
<400> 17
aaatagatga tataagtgag aatg                                        24
<210> 18
<211> 24
<212> DNA
<213> Artificial Sequence
<220> 
<223> Description of Artificial Sequence:Artificially
Synthesized DNA Sequence
<400> 18
ataagttata agtgttatgt gagt                                        24
<210> 19
<211> 24
<212> DNA
<213> Artificial Sequence
<220> 
<223> Description of Artificial Sequence:Artificially
Synthesized DNA Sequence
<400> 19
tatagataaa gagatgattt gttg                                        24
<210> 20
<211> 24
<212> DNA
<213> Artificial Sequence
<220> 
<223> Description of Artificial Sequence:Artificially
Synthesized DNA Sequence
<400> 20
agagttgaga atgtatagta ttat                                        24
<210> 21
<211> 24
<212> DNA
<213> Artificial Sequence
<220> 
<223> Description of Artificial Sequence:Artificially
Synthesized DNA Sequence
<400> 21
aagtagtttg taagaatgat tgta                                        24
<210> 22
<211> 24
<212> DNA
<213> Artificial Sequence
<220> 
<223> Description of Artificial Sequence:Artificially
Synthesized DNA Sequence
<400> 22
ttatgaaatt gagtgaagat tgat                                        24
<210> 23
<211> 24
<212> DNA
<213> Artificial Sequence
<220> 
<223> Description of Artificial Sequence:Artificially
Synthesized DNA Sequence
<400> 23
gtatatgtaa attgttatgt tgag                                        24
<210> 24
<211> 24
<212> DNA
<213> Artificial Sequence
<220> 
<223> Description of Artificial Sequence:Artificially
Synthesized DNA Sequence
<400> 24
gaattgtata aagtattaga tgtg                                        24
<210> 25
<211> 24
<212> DNA
<213> Artificial Sequence
<220> 
<223> Description of Artificial Sequence:Artificially
Synthesized DNA Sequence
<400> 25
tagatgagat taagtgttat ttga                                        24
<210> 26
<211> 24
<212> DNA
<213> Artificial Sequence
<220> 
<223> Description of Artificial Sequence:Artificially
Synthesized DNA Sequence
<400> 26
gttaagtttg tttatgtata gaag                                        24
<210> 27
<211> 24
<212> DNA
<213> Artificial Sequence
<220> 
<223> Description of Artificial Sequence:Artificially
Synthesized DNA Sequence
<400> 27
gagtattagt aaagtgatat gata                                        24
<210> 28
<211> 24
<212> DNA
<213> Artificial Sequence
<220> 
<223> Description of Artificial Sequence:Artificially
Synthesized DNA Sequence
<400> 28
gtgaatgatt tagtaaatga ttga                                        24
<210> 29
<211> 24
<212> DNA
<213> Artificial Sequence
<220> 
<223> Description of Artificial Sequence:Artificially
Synthesized DNA Sequence
<400> 29
gattgaagtt atagaaatga ttag                                        24
<210> 30
<211> 24
<212> DNA
<213> Artificial Sequence
<220> 
<223> Description of Artificial Sequence:Artificially
Synthesized DNA Sequence
<400> 30
agtgataaat gttagttgaa ttgt                                        24
<210> 31
<211> 24
<212> DNA
<213> Artificial Sequence
<220> 
<223> Description of Artificial Sequence:Artificially
Synthesized DNA Sequence
<400> 31
tatatagtaa atgtttgtgt gttg                                        24
<210> 32
<211> 24
<212> DNA
<213> Artificial Sequence
<220> 
<223> Description of Artificial Sequence:Artificially
Synthesized DNA Sequence
<400> 32
ttaagtgtta gttatttgtt gtag                                        24
<210> 33
<211> 24
<212> DNA
<213> Artificial Sequence
<220> 
<223> Description of Artificial Sequence:Artificially
Synthesized DNA Sequence
<400> 33
gtagtaatat gaagtgagaa tata                                        24
<210> 34
<211> 24
<212> DNA
<213> Artificial Sequence
<220> 
<223> Description of Artificial Sequence:Artificially
Synthesized DNA Sequence
<400> 34
tagtgtatag aatgtagatt tagt                                        24
<210> 35
<211> 24
<212> DNA
<213> Artificial Sequence
<220> 
<223> Description of Artificial Sequence:Artificially
Synthesized DNA Sequence
<400> 35
ttgtagatta gatgtgtttg taaa                                        24
<210> 36
<211> 24
<212> DNA
<213> Artificial Sequence
<220> 
<223> Description of Artificial Sequence:Artificially
Synthesized DNA Sequence
<400> 36
tagtatagag tagagatgat attt                                        24
<210> 37
<211> 24
<212> DNA
<213> Artificial Sequence
<220> 
<223> Description of Artificial Sequence:Artificially
Synthesized DNA Sequence
<400> 37
attgtgaaag aaagagaaga aatt                                        24
<210> 38
<211> 24
<212> DNA
<213> Artificial Sequence
<220> 
<223> Description of Artificial Sequence:Artificially
Synthesized DNA Sequence
<400>  38
tgtgagaatt aagattaaga atgt                                        24
<210> 39
<211> 24
<212> DNA
<213> Artificial Sequence
<220> 
<223> Description of Artificial Sequence:Artificially
Synthesized DNA Sequence
<400> 39
atattagtta agaaagaaga gttg                                        24
<210> 40
<211> 24
<212> DNA
<213> Artificial Sequence
<220> 
<223> Description of Artificial Sequence:Artificially
Synthesized DNA Sequence
<400> 40
ttgtagttga gaaatatgta gttt                                        24
<210> 41
<211> 24
<212> DNA
<213> Artificial Sequence
<220> 
<223> Description of Artificial Sequence:Artificially
Synthesized DNA Sequence
<400> 41
tagagttgtt aaagagtgta aata                                        24
<210> 42
<211> 24
<212> DNA
<213> Artificial Sequence
<220> 
<223> Description of Artificial Sequence:Artificially
Synthesized DNA Sequence
<400> 42
gttatgatgt gtataagtaa tatg                                        24
<210> 43
<211> 24
<212> DNA
<213> Artificial Sequence
<220> 
<223> Description of Artificial Sequence:Artificially
Synthesized DNA Sequence
<400> 43
tttgttagaa tgagaagatt tatg                                        24
<210> 44
<211> 24
<212> DNA
<213> Artificial Sequence
<220> 
<223> Description of Artificial Sequence:Artificially
Synthesized DNA Sequence
<400> 44
agtatagttt aaagaagtag taga                                        24
<210> 45
<211> 24
<212> DNA
<213> Artificial Sequence
<220> 
<223> Description of Artificial Sequence:Artificially
Synthesized DNA Sequence
<400> 45
gtgagatata gatttagaaa gtaa                                        24
<210> 46
<211> 24
<212> DNA
<213> Artificial Sequence
<220> 
<223> Description of Artificial Sequence:Artificially
Synthesized DNA Sequence
<400> 46
ttgtttatag tgaagtgaat agta                                        24
<210> 47
<211> 24
<212> DNA
<213> Artificial Sequence
<220> 
<223> Description of Artificial Sequence:Artificially
Synthesized DNA Sequence
<400> 47
aagtaagtag taatagtgtg ttaa                                        24
<210> 48
<211> 24
<212> DNA
<213> Artificial Sequence
<220> 
<223> Description of Artificial Sequence:Artificially
Synthesized DNA Sequence
<400> 48
atttgtgagt tatgaaagat aaga                                        24
<210> 49
<211> 24
<212> DNA
<213> Artificial Sequence
<220> 
<223> Description of Artificial Sequence:Artificially
Synthesized DNA Sequence
<400> 49
gaaagtagag aataaagata agaa                                        24
<210> 50
<211> 24
<212> DNA
<213> Artificial Sequence
<220> 
<223> Description of Artificial Sequence:Artificially
Synthesized DNA Sequence
<400> 50
atttaagatt gttaagagta gaag                                        24
<210> 51
<211> 24
<212> DNA
<213> Artificial Sequence
<220> 
<223> Description of Artificial Sequence:Artificially
Synthesized DNA Sequence
<400> 51
gtttaaagat tgtaagaatg tgta                                        24
<210> 52
<211> 24
<212> DNA
<213> Artificial Sequence
<220> 
<223> Description of Artificial Sequence:Artificially
Synthesized DNA Sequence
<400> 52
tttgtgaaga tgaagtattt gtat                                        24
<210> 53
<211> 24
<212> DNA
<213> Artificial Sequence
<220> 
<223> Description of Artificial Sequence:Artificially
Synthesized DNA Sequence
<400> 53
tgtgtttaga atttagtatg tgta                                        24
<210> 54
<211> 24
<212> DNA
<213> Artificial Sequence
<220> 
<223> Description of Artificial Sequence:Artificially
Synthesized DNA Sequence
<400> 54
gataatgatt atagaaagtg tttg                                        24
<210> 55
<211> 24
<212> DNA
<213> Artificial Sequence
<220> 
<223> Description of Artificial Sequence:Artificially
Synthesized DNA Sequence
<400> 55
gttatttgta agttaagata gtag                                        24
<210> 56
<211> 24
<212> DNA
<213> Artificial Sequence
<220> 
<223> Description of Artificial Sequence:Artificially
Synthesized DNA Sequence
<400> 56
agtttattga aagagtttga atag                                         24
<210> 57
<211> 24
<212> DNA
<213> Artificial Sequence
<220> 
<223> Description of Artificial Sequence:Artificially
Synthesized DNA Sequence
<400> 57
ttgtgtttat tgtgtagttt aaag                                        24
<210> 58
<211> 24
<212> DNA
<213> Artificial Sequence
<220> 
<223> Description of Artificial Sequence:Artificially
Synthesized DNA Sequence
<400> 58
attgtgagaa gatatgaaag ttat                                        24
<210> 59
<211> 24
<212> DNA
<213> Artificial Sequence
<220> 
<223> Description of Artificial Sequence:Artificially
Synthesized DNA Sequence
<400> 59
tgagaatgta aagaatgttt attg                                        24
<210> 60
<211> 24
<212> DNA
<213> Artificial Sequence
<220> 
<223> Description of Artificial Sequence:Artificially
Synthesized DNA Sequence
<400> 60
atgtgaaagt tatgatgtta attg                                        24
<210> 61
<211> 24
<212> DNA
<213> Artificial Sequence
<220> 
<223> Description of Artificial Sequence:Artificially
Synthesized DNA Sequence
<400> 61
gtttagtatt agttgttaag attg                                        24
<210> 62
<211> 24
<212> DNA
<213> Artificial Sequence
<220> 
<223> Description of Artificial Sequence:Artificially
Synthesized DNA Sequence
<400> 62
gattgatatt.tgaatgtttg.tttg                                        24
<210> 63
<211> 24
<212> DNA
<213> Artificial Sequence
<220> 
<223> Description of Artificial Sequence:Artificially
Synthesized DNA Sequence
<400> 63
tgaattgaaa gtgtaatgtt gtat                                        24
<210> 64
<211> 24
<212> DNA
<213> Artificial Sequence
<220> 
<223> Description of Artificial Sequence:Artificially
Synthesized DNA Sequence
<400> 64
gattgtattg ttgagaatag aata                                        24
<210> 65
<211> 24
<212> DNA
<213> Artificial Sequence
<220> 
<223> Description of Artificial Sequence:Artificially
Synthesized DNA Sequence
<400> 65
aaatttgaga tttgtgatag agta                                        24
<210> 66
<211> 24
<212> DNA
<213> Artificial Sequence
<220> 
<223> Description of Artificial Sequence:Artificially
Synthesized DNA Sequence
<400> 66
gtaattagat ttgtttgttg ttgt                                        24
<210> 67
<211> 24
<212> DNA
<213> Artificial Sequence
<220> 
<223> Description of Artificial Sequence:Artificially
Synthesized DNA Sequence
<400> 67
gtttgtattg ttagtgaata.tagt                                        24
<210> 68
<211> 24
<212> DNA
<213> Artificial Sequence
<220> 
<223> Description of Artificial Sequence:Artificially
Synthesized DNA Sequence
<400> 68
atgtagtagt.agatgtttat.gaat                                        24
<210> 69
<211> 24
<212> DNA
<213> Artificial Sequence
<220> 
<223> Description of Artificial Sequence:Artificially
Synthesized DNA Sequence
<400> 69
tgtttaaaga tgattgaaga aatg                                        24
<210> 70
<211> 24
<212> DNA
<213> Artificial Sequence
<220> 
<223> Description of Artificial Sequence:Artificially
Synthesized DNA Sequence
<400> 70
tgtgataatg atgttatttg tgta                                        24
<210> 71
<211> 24
<212> DNA
<213> Artificial Sequence
<220> 
<223> Description of Artificial Sequence:Artificially
Synthesized DNA Sequence
<400>  71
atagttgtga gaatttgtaa ttag                                        24
<210> 72
<211> 24
<212> DNA
<213> Artificial Sequence
<220> 
<223> Description of Artificial Sequence:Artificially
Synthesized DNA Sequence
<400> 72
atagatgtaa gagaaattgt gaaa                                        24
<210> 73
<211> 24
<212> DNA
<213> Artificial Sequence
<220> 
<223> Description of Artificial Sequence:Artificially
Synthesized DNA Sequence
<400> 73
agattaagag aagttaatag agta                                        24
<210> 74
<211> 24
<212> DNA
<213> Artificial Sequence
<220> 
<223> Description of Artificial Sequence:Artificially
Synthesized DNA Sequence
<400> 74
gaagtaaatt gtgaatgaaa gaaa                                        24
<210> 75
<211> 24
<212> DNA
<213> Artificial Sequence
<220> 
<223> Description of Artificial Sequence:Artificially
Synthesized DNA Sequence
<400> 75
aatgtaagaa agaagattgt tgta                                        24
<210> 76
<211> 24
<212> DNA
<213> Artificial Sequence
<220> 
<223> Description of Artificial Sequence:Artificially
Synthesized DNA Sequence
<400> 76
tttgatttat gtgttatgtt gagt                                        24
<210> 77 
<211> 24
<212> DNA
<213> Artificial Sequence
<220> 
<223> Description of Artificial Sequence:Artificially
Synthesized DNA Sequence
<400> 77
gtattgagaa atttgaagaa tgaa                                        24
<210> 78
<211> 24
<212> DNA
<213> Artificial Sequence
<220> 
<223> Description of Artificial Sequence:Artificially
Synthesized DNA Sequence
<400> 78
gaattgtatg aaatgaattg taag                                        24
<210> 79
<211> 24
<212> DNA
<213> Artificial Sequence
<220> 
<223> Description of Artificial Sequence:Artificially
Synthesized DNA Sequence
<400> 79
tattgtagaa gtaaagttag aagt                                        24
<210> 80
<211> 24
<212> DNA
<213> Artificial Sequence
<220> 
<223> Description of Artificial Sequence:Artificially
Synthesized DNA Sequence
<400> 80
tttatgtaat gataagtgta gttg                                        24
<210> 81
<211> 24
<212> DNA
<213> Artificial Sequence
<220> 
<223> Description of Artificial Sequence:Artificially
Synthesized DNA Sequence
<400> 81
atatagttga aattgtgata gtgt                                        24
<210> 82
<211> 24
<212> DNA
<213> Artificial Sequence
<220> 
<223> Description of Artificial Sequence:Artificially
Synthesized DNA Sequence
<400> 82
ataagaaatt agagagttgt aaag                                        24
<210> 83
<211> 24
<212> DNA
<213> Artificial Sequence
<220> 
<223> Description of Artificial Sequence:Artificially
Synthesized DNA Sequence
<400> 83
gaattgtgaa atgtgattga tata                                        24
<210> 84
<211> 24
<212> DNA
<213> Artificial Sequence
<220> 
<223> Description of Artificial Sequence:Artificially
Synthesized DNA Sequence
<400> 84
aaataagtag tttaatgaga gaag                                        24
<210> 85
<211> 24
<212> DNA
<213> Artificial Sequence
<220> 
<223> Description of Artificial Sequence:Artificially
Synthesized DNA Sequence
<400> 85
gattaaagaa gtaagtgaat gttt                                        24
<210> 86
<211> 24
<212> DNA
<213> Artificial Sequence
<220> 
<223> Description of Artificial Sequence:Artificially
Synthesized DNA Sequence
<400> 86
tatgtgtgtt gtttagtgtt atta                                        24
<210> 87
<211> 24
<212> DNA
<213> Artificial Sequence
<220> 
<223> Description of Artificial Sequence:Artificially
Synthesized DNA Sequence
<400> 87
gagttatatg tagttagagt tata                                        24
<210> 88
<211> 24
<212> DNA
<213> Artificial Sequence
<220> 
<223> Description of Artificial Sequence:Artificially
Synthesized DNA Sequence
<400> 88
gaaagaaaga agtgttaagt taaa                                        24
<210> 89
<211> 24
<212> DNA
<213> Artificial Sequence
<220> 
<223> Description of Artificial Sequence:Artificially
Synthesized DNA Sequence
<400> 89
tagtattagt aagtatgtga ttgt                                        24
<210> 90
<211> 24
<212> DNA
<213> Artificial Sequence
<220> 
<223> Description of Artificial Sequence:Artificially
Synthesized DNA Sequence
<400> 90
ttgtgtgatt gaatattgtg aaat                                        24
<210> 91
<211> 24
<212> DNA
<213> Artificial Sequence
<220> 
<223> Description of Artificial Sequence:Artificially
Synthesized DNA Sequence
<400> 91
atgtgaaaga gttaagtgat taaa                                        24
<210> 92
<211> 24
<212> DNA
<213> Artificial Sequence
<220> 
<223> Description of Artificial Sequence:Artificially
Synthesized DNA Sequence
<400> 92
gattgaatga ttgagatatg taaa                                        24
<210> 93
<211> 24
<212> DNA
<213> Artificial Sequence
<220> 
<223> Description of Artificial Sequence:Artificially
Synthesized DNA Sequence
<400> 93
aagatgatag ttaagtgtaa gtta                                        24
<210> 94
<211> 24
<212> DNA
<213> Artificial Sequence
<220> 
<223> Description of Artificial Sequence:Artificially
Synthesized DNA Sequence
<400> 94
tagttgttat tgagaattta gaag                                        24
<210> 95
<211> 24
<212> DNA
<213> Artificial Sequence
<220> 
<223> Description of Artificial Sequence:Artificially
Synthesized DNA Sequence
<400> 95
tttatagtga attatgagtg aaag                                        24
<210> 96
<211> 24
<212> DNA
<213> Artificial Sequence
<220> 
<223> Description of Artificial Sequence:Artificially
Synthesized DNA Sequence
<400> 96
gatagattta gaatgaatta agtg                                        24
<210> 97
<211> 24
<212> DNA
<213> Artificial Sequence
<220> 
<223> Description of Artificial Sequence:Artificially
Synthesized DNA Sequence
<400> 97
tttgaagaag agatttgaaa ttga                                        24
<210> 98
<211> 24
<212> DNA
<213> Artificial Sequence
<220> 
<223> Description of Artificial Sequence:Artificially
Synthesized DNA Sequence
<400> 98
atgaataaga gttgataaat gtga                                        24
<210> 99
<211> 24
<212> DNA
<213> Artificial Sequence
<220> 
<223> Description of Artificial Sequence:Artificially
Synthesized DNA Sequence
<400> 99
tgtttatgta gtgtagattg aatt                                        24
<210> 100
<211> 24
<212> DNA
<213> Artificial Sequence
<220> 
<223> Description of Artificial Sequence:Artificially
Synthesized DNA Sequence
<400> 100
tttaagtgag ttatagaagt agta                                        24
<210> 101
<211> 24
<212> DNA
<213> Artificial Sequence
<220> 
<223> Description of Artificial Sequence:Artificially
Synthesized DNA Sequence
<400> 101
gatttatgtg tttgaagtta agat                                        24
<210> 102
<211> 24
<212> DNA
<213> Artificial Sequence
<220> 
<223> Description of Artificial Sequence:Artificially
Synthesized DNA Sequence
<400> 102
tagttagaga aagtgataaa gtta                                        24
<210> 103
<211> 24
<212> DNA
<213> Artificial Sequence
<220> 
<223> Description of Artificial Sequence:Artificially
Synthesized DNA Sequence
<400> 103
gtaatgataa tgaagtgtat atag                                        24
<210> 104
<211> 24
<212> DNA
<213> Artificial Sequence
<220> 
<223> Description of Artificial Sequence:Artificially
Synthesized DNA Sequence
<400> 104
aatgaagtgt tagtatagat agta                                        24
<210> 105
<211> 24
<212> DNA
<213> Artificial Sequence
<220> 
<223> Description of Artificial Sequence:Artificially
Synthesized DNA Sequence
<400> 105
taaattgagt ttgtttgatt gtag                                        24
<210> 106
<211> 24
<212> DNA
<213> Artificial Sequence
<220> 
<223> Description of Artificial Sequence:Artificially
Synthesized DNA Sequence
<400> 106
taatgaagaa taagtatgag tgtt                                        24
<210> 107
<211> 24
<212> DNA
<213> Artificial Sequence
<220> 
<223> Description of Artificial Sequence:Artificially
Synthesized DNA Sequence
<400> 107
aaatgtaata gtgttgttag ttag                                        24
<210> 108
<211> 24
<212> DNA
<213> Artificial Sequence
<220> 
<223> Description of Artificial Sequence:Artificially
Synthesized DNA Sequence
<400> 108
agagttagtg aaatgttgtt aaat                                        24
<210> 109
<211> 24
<212> DNA
<213> Artificial Sequence
<220> 
<223> Description of Artificial Sequence:Artificially
Synthesized DNA Sequence
<400> 109
gaaatagaaa tgtattgttt gtga                                        24
<210> 110
<211> 24
<212> DNA
<213> Artificial Sequence
<220> 
<223> Description of Artificial Sequence:Artificially
Synthesized DNA Sequence
<400> 110
agttataagt ttgtgagaat taag                                        24
<210> 111
<211> 24
<212> DNA
<213> Artificial Sequence
<220> 
<223> Description of Artificial Sequence:Artificially
Synthesized DNA Sequence
<400> 111
gagtttatag ttagaatatg ttgt                                        24
<210> 112
<211> 24
<212> DNA
<213> Artificial Sequence
<220> 
<223> Description of Artificial Sequence:Artificially
Synthesized DNA Sequence
<400> 112
agagttatta gaagaagatt taag                                        24
<210> 113
<211> 24
<212> DNA
<213> Artificial Sequence
<220> 
<223> Description of Artificial Sequence:Artificially
Synthesized DNA Sequence
<400> 113
gagttaatga aataagtatt tgtg                                        24
<210> 114
<211> 24
<212> DNA
<213> Artificial Sequence
<220> 
<223> Description of Artificial Sequence:Artificially
Synthesized DNA Sequence
<400> 114
atgatgaata gttgaagtat atag                                        24
<210> 115
<211> 24
<212> DNA
<213> Artificial Sequence
<220> 
<223> Description of Artificial Sequence:Artificially
Synthesized DNA Sequence
<400> 115
atagatatga gatgaaagtt agta                                        24
<210> 116
<211> 24
<212> DNA
<213> Artificial Sequence
<220> 
<223> Description of Artificial Sequence:Artificially
Synthesized DNA Sequence
<400> 116
tatgtaaaga aagtgaaaga agaa                                        24
<210> 117
<211> 24
<212> DNA
<213> Artificial Sequence
<220> 
<223> Description of Artificial Sequence:Artificially
Synthesized DNA Sequence
<400> 117
tgaatgtaga aatgaatgtt gaaa                                        24
<210> 118
<211> 24
<212> DNA
<213> Artificial Sequence
<220> 
<223> Description of Artificial Sequence:Artificially
Synthesized DNA Sequence
<400> 118
aattgaatag tgtgtgagtt taat                                        24
<210> 119
<211> 24
<212> DNA
<213> Artificial Sequence
<220> 
<223> Description of Artificial Sequence:Artificially
Synthesized DNA Sequence
<400> 119
agatattgtt tgattaatga agag                                        24
<210> 120
<211> 24
<212> DNA
<213> Artificial Sequence
<220> 
<223> Description of Artificial Sequence:Artificially
Synthesized DNA Sequence
<400> 120
aaagttgtaa agttgaagat aaag                                        24
<210> 121
<211> 24
<212> DNA
<213> Artificial Sequence
<220> 
<223> Description of Artificial Sequence:Artificially
Synthesized DNA Sequence
<400> 121
gttaagagat tatgagatgt atta                                        24
<210> 122
<211> 24
<212> DNA
<213> Artificial Sequence
<220> 
<223> Description of Artificial Sequence:Artificially
Synthesized DNA Sequence
<400> 122
agaagatata agaagattga attg                                        24
<210> 123
<211> 24
<212> DNA
<213> Artificial Sequence
<220> 
<223> Description of Artificial Sequence:Artificially
Synthesized DNA Sequence
<400> 123
gtagaaattt gaattgatgt gaaa                                        24
<210> 124
<211> 24
<212> DNA
<213> Artificial Sequence
<220> 
<223> Description of Artificial Sequence:Artificially
Synthesized DNA Sequence
<400> 124
aagagtagat tgataagtat atga                                        24
<210> 125
<211> 24
<212> DNA
<213> Artificial Sequence
<220> 
<223> Description of Artificial Sequence:Artificially
Synthesized DNA Sequence
<400> 125
tgatatagta gtgaagaaat aagt                                        24
<210> 126
<211> 24
<212> DNA
<213> Artificial Sequence
<220> 
<223> Description of Artificial Sequence:Artificially
Synthesized DNA Sequence
<400> 126
agataatgat gagaaatgaa gata                                        24
<210> 127
<211> 24
<212> DNA
<213> Artificial Sequence
<220> 
<223> Description of Artificial Sequence:Artificially
Synthesized DNA Sequence
<400> 127
atgtgaaagt atttgtgata tagt                                        24
<210> 128
<211> 24
<212> DNA
<213> Artificial Sequence
<220> 
<223> Description of Artificial Sequence:Artificially
Synthesized DNA Sequence
<400> 128
aataagagaa ttgatatgaa gatg                                        24
<210> 129
<211> 24
<212> DNA
<213> Artificial Sequence
<220> 
<223> Description of Artificial Sequence:Artificially
Synthesized DNA Sequence
<400> 129
taagtgtatt tagtagaatg aagt                                        24
<210> 130
<211> 24
<212> DNA
<213> Artificial Sequence
<220> 
<223> Description of Artificial Sequence:Artificially
Synthesized DNA Sequence
<400> 130
tatgttagat ttgttgagat tgat                                        24
<210> 131
<211> 24
<212> DNA
<213> Artificial Sequence
<220> 
<223> Description of Artificial Sequence:Artificially
Synthesized DNA Sequence
<400> 131
agtttgtatg aagagatagt attt                                        24
<210> 132
<211> 24
<212> DNA
<213> Artificial Sequence
<220> 
<223> Description of Artificial Sequence:Artificially
Synthesized DNA Sequence
<400> 132
gagaaatgtt atgtatttag tagt                                        24
<210> 133
<211> 24
<212> DNA
<213> Artificial Sequence
<220> 
<223> Description of Artificial Sequence:Artificially
Synthesized DNA Sequence
<400> 133
tatgtgagaa tgtgtttgat ttaa                                        24
<210> 134
<211> 24
<212> DNA
<213> Artificial Sequence
<220> 
<223> Description of Artificial Sequence:Artificially
Synthesized DNA Sequence
<400> 134
gtatgtttgt ttatagaatg tatg                                        24
<210> 135
<211> 24
<212> DNA
<213> Artificial Sequence
<220> 
<223> Description of Artificial Sequence:Artificially
Synthesized DNA Sequence
<400> 135
gagtatatag aagaaagaaa tttg                                        24
<210> 136
<211> 24
<212> DNA
<213> Artificial Sequence
<220> 
<223> Description of Artificial Sequence:Artificially
Synthesized DNA Sequence
<400> 136
atgagtgaag taaatgtagt tatt                                        24
<210> 137
<211> 24
<212> DNA
<213> Artificial Sequence
<220> 
<223> Description of Artificial Sequence:Artificially
Synthesized DNA Sequence
<400> 137
ttaagaagtg agttattgtg atat                                        24
<210> 138
<211> 24
<212> DNA
<213> Artificial Sequence
<220> 
<223> Description of Artificial Sequence:Artificially
Synthesized DNA Sequence
<400> 138
atgaaatgag aatattgttg tttg                                        24
<210> 139
<211> 24
<212> DNA
<213> Artificial Sequence
<220> 
<223> Description of Artificial Sequence:Artificially
Synthesized DNA Sequence
<400> 139
gattaatgat tatgtgaatt gatg                                        24
<210> 140
<211> 24
<212> DNA
<213> Artificial Sequence
<220> 
<223> Description of Artificial Sequence:Artificially
Synthesized DNA Sequence
<400> 140
gaaatgttaa agatatgaaa gtag                                        24
<210> 141
<211> 24
<212> DNA
<213> Artificial Sequence
<220> 
<223> Description of Artificial Sequence:Artificially
Synthesized DNA Sequence
<400> 141
tattgttgat ttgatattag tgtg                                        24
<210> 142
<211> 24
<212> DNA
<213> Artificial Sequence
<220> 
<223> Description of Artificial Sequence:Artificially
Synthesized DNA Sequence
<400> 142
tttatgtttg tgtatgtaag tagt                                        24
<210> 143
<211> 24
<212> DNA
<213> Artificial Sequence
<220> 
<223> Description of Artificial Sequence:Artificially
Synthesized DNA Sequence
<400> 143
aattgaaaga attgtgtgaa ttga                                        24
<210> 144
<211> 24
<212> DNA
<213> Artificial Sequence
<220> 
<223> Description of Artificial Sequence:Artificially
Synthesized DNA Sequence
<400> 144
tgagtttgaa tttgtttgag taat                                        24
<210> 145
<211> 24
<212> DNA
<213> Artificial Sequence
<220> 
<223> Description of Artificial Sequence:Artificially
Synthesized DNA Sequence
<400> 145
gatgtataat gatgtgtgta aatt                                        24
<210> 146
<211> 24
<212> DNA
<213> Artificial Sequence
<220> 
<223> Description of Artificial Sequence:Artificially
Synthesized DNA Sequence
<400> 146
atgtgagaga agaatttgtt tatt                                        24
<210> 147
<211> 24
<212> DNA
<213> Artificial Sequence
<220> 
<223> Description of Artificial Sequence:Artificially
Synthesized DNA Sequence
<400> 147
gtgataaagt attgttgata gaaa                                        24
<210> 148
<211> 24
<212> DNA
<213> Artificial Sequence
<220> 
<223> Description of Artificial Sequence:Artificially
Synthesized DNA Sequence
<400> 148
gaagtagaat agaaagttaa taga                                        24
<210> 149
<211> 24
<212> DNA
<213> Artificial Sequence
<220> 
<223> Description of Artificial Sequence:Artificially
Synthesized DNA Sequence
<400> 149
ttgtgtagtt aagagttgtt taat                                        24
<210> 150
<211> 24
<212> DNA
<213> Artificial Sequence
<220> 
<223> Description of Artificial Sequence:Artificially
Synthesized DNA Sequence
<400> 150
tagtagtaag ttgttagaat agtt                                        24
<210> 151
<211> 24
<212> DNA
<213> Artificial Sequence
<220> 
<223> Description of Artificial Sequence:Artificially
Synthesized DNA Sequence
<400> 151
aatttgaagt ataatgaatg tgtg                                        24
<210> 152
<211> 24
<212> DNA
<213> Artificial Sequence
<220> 
<223> Description of Artificial Sequence:Artificially
Synthesized DNA Sequence
<400> 152
tagaaattgt agtatttgag agaa                                        24
<210> 153
<211> 24
<212> DNA
<213> Artificial Sequence
<220> 
<223> Description of Artificial Sequence:Artificially
Synthesized DNA Sequence
<400> 153
tgtatatgtt aatgagatgt tgta                                        24
<210> 154
<211> 24
<212> DNA
<213> Artificial Sequence
<220> 
<223> Description of Artificial Sequence:Artificially
Synthesized DNA Sequence
<400> 154
tatttgataa gagaatgaag aagt                                        24
<210> 155
<211> 24
<212> DNA
<213> Artificial Sequence
<220> 
<223> Description of Artificial Sequence:Artificially
Synthesized DNA Sequence
<400> 155
ttgaatagtg taatgaatat gatg                                        24
<210> 156
<211> 24
<212> DNA
<213> Artificial Sequence
<220> 
<223> Description of Artificial Sequence:Artificially
Synthesized DNA Sequence
<400> 156
gtagtttgtg aatagaatta gttt                                        24
<210> 157
<211> 24
<212> DNA
<213> Artificial Sequence
<220> 
<223> Description of Artificial Sequence:Artificially
Synthesized DNA Sequence
<400> 157
aaagatgatt gtaatttgtg tgaa                                        24
<210> 158
<211> 24
<212> DNA
<213> Artificial Sequence
<220> 
<223> Description of Artificial Sequence:Artificially
Synthesized DNA Sequence
<400> 158
gaagattgtt gagttaatag ataa                                        24
<210> 159
<211> 24
<212> DNA
<213> Artificial Sequence
<220> 
<223> Description of Artificial Sequence:Artificially
Synthesized DNA Sequence
<400> 159
agattatgta gtgatgtaaa tgtt                                        24
<210> 160
<211> 24
<212> DNA
<213> Artificial Sequence
<220> 
<223> Description of Artificial Sequence:Artificially
Synthesized DNA Sequence
<400> 160
gaatttagat gtagatatga atgt                                        24
<210> 161
<211> 24
<212> DNA
<213> Artificial Sequence
<220> 
<223> Description of Artificial Sequence:Artificially
Synthesized DNA Sequence
<400> 161
gatagaagtg tattaagtaa gtta                                        24
<210> 162
<211> 24
<212> DNA
<213> Artificial Sequence
<220> 
<223> Description of Artificial Sequence:Artificially
Synthesized DNA Sequence
<400> 162
tatgaattat gagaagaata gagt                                        24
<210> 163
<211> 24
<212> DNA
<213> Artificial Sequence
<220> 
<223> Description of Artificial Sequence:Artificially
Synthesized DNA Sequence
<400> 163
tttgttatga agtgatttgt ttgt                                        24
<210> 164
<211> 24
<212> DNA
<213> Artificial Sequence
<220> 
<223> Description of Artificial Sequence:Artificially
Synthesized DNA Sequence
<400> 164
gtaaagattg tgttatatga aatg                                        24
<210> 165
<211> 24
<212> DNA
<213> Artificial Sequence
<220> 
<223> Description of Artificial Sequence:Artificially
Synthesized DNA Sequence
<400> 165
ttgtgatagt agttagatat ttgt                                        24
<210> 166
<211> 24
<212> DNA
<213> Artificial Sequence
<220> 
<223> Description of Artificial Sequence:Artificially
Synthesized DNA Sequence
<400> 166
gaattaagat aaagaagaga agta                                        24
<210> 167
<211> 24
<212> DNA
<213> Artificial Sequence
<220> 
<223> Description of Artificial Sequence:Artificially
Synthesized DNA Sequence
<400> 167
gattgtagaa tgaatttgta gtat                                        24
<210> 168
<211> 24
<212> DNA
<213> Artificial Sequence
<220> 
<223> Description of Artificial Sequence:Artificially
Synthesized DNA Sequence
<400> 168
aaataagaga gagaatgatt tagt                                        24
<210> 169
<211> 24
<212> DNA
<213> Artificial Sequence
<220> 
<223> Description of Artificial Sequence:Artificially
Synthesized DNA Sequence
<400> 169
aattatgtga atagattgtt gaag                                        24
<210> 170
<211> 24
<212> DNA
<213> Artificial Sequence
<220> 
<223> Description of Artificial Sequence:Artificially
Synthesized DNA Sequence
<400> 170
ttaagattta tgtgatagta gagt                                        24
<210> 171
<211> 24
<212> DNA
<213> Artificial Sequence
<220> 
<223> Description of Artificial Sequence:Artificially
Synthesized DNA Sequence
<400> 171
ttaaagatag tgtttgttgt gtta                                        24
<210> 172
<211> 24
<212> DNA
<213> Artificial Sequence
<220> 
<223> Description of Artificial Sequence:Artificially
Synthesized DNA Sequence
<400> 172
tattgattta tgaagagtat agtg                                        24
<210> 173
<211> 24
<212> DNA
<213> Artificial Sequence
<220> 
<223> Description of Artificial Sequence:Artificially
Synthesized DNA Sequence
<400> 173
aaatttgatg agtagtttaa gaga                                        24
<210> 174
<211> 24
<212> DNA
<213> Artificial Sequence
<220> 
<223> Description of Artificial Sequence:Artificially
Synthesized DNA Sequence
<400> 174
ataaagttgt ttgatgtttg aatg                                        24
<210> 175
<211> 24
<212> DNA
<213> Artificial Sequence
<220> 
<223> Description of Artificial Sequence:Artificially
Synthesized DNA Sequence
<400> 175
gattgtgatg aataatgtta ttga                                        24
<210> 176
<211> 24
<212> DNA
<213> Artificial Sequence
<220> 
<223> Description of Artificial Sequence:Artificially
Synthesized DNA Sequence
<400> 176
gatgaagaaa tatgatatga atag                                        24
<210> 177
<211> 24
<212> DNA
<213> Artificial Sequence
<220> 
<223> Description of Artificial Sequence:Artificially
Synthesized DNA Sequence
<400> 177
ttaaagttat tgaagtgaag ttga                                        24
<210> 178
<211> 24
<212> DNA
<213> Artificial Sequence
<220> 
<223> Description of Artificial Sequence:Artificially
Synthesized DNA Sequence
<400> 178
ttgtaagaaa tagagatttg tgtt                                        24
<210> 179
<211> 24
<212> DNA
<213> Artificial Sequence
<220> 
<223> Description of Artificial Sequence:Artificially
Synthesized DNA Sequence
<400> 179
gagattgagt ttaagtatta gatt                                        24
<210> 180
<211> 24
<212> DNA
<213> Artificial Sequence
<220> 
<223> Description of Artificial Sequence:Artificially
Synthesized DNA Sequence
<400> 180
agtgataata gaatgataaa tgtg                                        24
<210> 181
<211> 24
<212> DNA
<213> Artificial Sequence
<220> 
<223> Description of Artificial Sequence:Artificially
Synthesized DNA Sequence
<400> 181
gataatagtg aatttgagtt gtat                                        24
<210> 182
<211> 24
<212> DNA
<213> Artificial Sequence
<220> 
<223> Description of Artificial Sequence:Artificially
Synthesized DNA Sequence
<400> 182
agatatttgt agtagaaagt atgt                                        24
<210> 183
<211> 24
<212> DNA
<213> Artificial Sequence
<220> 
<223> Description of Artificial Sequence:Artificially
Synthesized DNA Sequence
<400> 183
gttatgaatg ttgaatttga atgt                                        24
<210> 184
<211> 24
<212> DNA
<213> Artificial Sequence
<220> 
<223> Description of Artificial Sequence:Artificially
Synthesized DNA Sequence
<400> 184
atgaaagatt tagttgtgag atat                                        24
<210> 185
<211> 24
<212> DNA
<213> Artificial Sequence
<220> 
<223> Description of Artificial Sequence:Artificially
Synthesized DNA Sequence
<400> 185
aaatagagaa gttatgatgt gata                                        24
<210> 186
<211> 24
<212> DNA
<213> Artificial Sequence
<220> 
<223> Description of Artificial Sequence:Artificially
Synthesized DNA Sequence
<400> 186
ttagtgagaa atgtttaatg tgat                                        24
<210> 187
<211> 24
<212> DNA
<213> Artificial Sequence
<220> 
<223> Description of Artificial Sequence:Artificially
Synthesized DNA Sequence
<400> 187
tgaagaatat gtgaaattag tttg                                        24
<210> 188
<211> 24
<212> DNA
<213> Artificial Sequence
<220> 
<223> Description of Artificial Sequence:Artificially
Synthesized DNA Sequence
<400> 188
gtttgatagt ttaatgagta ttga                                        24
<210> 189
<211> 24
<212> DNA
<213> Artificial Sequence
<220> 
<223> Description of Artificial Sequence:Artificially
Synthesized DNA Sequence
<400> 189
gttgtaagta atgataaagt atga                                        24
<210> 190
<211> 24
<212> DNA
<213> Artificial Sequence
<220> 
<223> Description of Artificial Sequence:Artificially
Synthesized DNA Sequence
<400> 190
taagagtagt aattgttgtt taga                                        24
<210> 191
<211> 24
<212> DNA
<213> Artificial Sequence
<220> 
<223> Description of Artificial Sequence:Artificially
Synthesized DNA Sequence
<400> 191
tttgagagag tatgtatgat tatt                                        24
<210> 192
<211> 24
<212> DNA
<213> Artificial Sequence
<220> 
<223> Description of Artificial Sequence:Artificially
Synthesized DNA Sequence
<400> 192
attgattgtg aattagatag aaga                                        24
<210> 193
<211> 24
<212> DNA
<213> Artificial Sequence
<220> 
<223> Description of Artificial Sequence:Artificially
Synthesized DNA Sequence
<400> 193
gattagtatt tagtagtaat agag                                        24
<210> 194
<211> 24
<212> DNA
<213> Artificial Sequence
<220> 
<223> Description of Artificial Sequence:Artificially
Synthesized DNA Sequence
<400> 194
tatgtattag agatattgaa agtg                                        24
<210> 195
<211> 24
<212> DNA
<213> Artificial Sequence
<220> 
<223> Description of Artificial Sequence:Artificially
Synthesized DNA Sequence
<400> 195
tatgtgaaag taatgataaa tgag                                        24
<210> 196
<211> 24
<212> DNA
<213> Artificial Sequence
<220> 
<223> Description of Artificial Sequence:Artificially
Synthesized DNA Sequence
<400> 196
gtaattagta atgatttgaa tgag                                        24
<210> 197
<211> 24
<212> DNA
<213> Artificial Sequence
<220> 
<223> Description of Artificial Sequence:Artificially
Synthesized DNA Sequence
<400> 197
gtttattgta aagatgtaag tgaa                                        24
<210> 198
<211> 24
<212> DNA
<213> Artificial Sequence
<220> 
<223> Description of Artificial Sequence:Artificially
Synthesized DNA Sequence
<400> 198
tagtagaatt gttgttaaag aatg                                        24
<210> 199
<211> 24
<212> DNA
<213> Artificial Sequence
<220> 
<223> Description of Artificial Sequence:Artificially
Synthesized DNA Sequence
<400> 199
tattgttagt tatgtagtgt gtaa                                        24
<210> 200
<211> 24
<212> DNA
<213> Artificial Sequence
<220> 
<223> Description of Artificial Sequence:Artificially
Synthesized DNA Sequence
<400> 200
gagtgaaagt tatatgaaag tata                                        24
<210> 201
<211> 24
<212> DNA
<213> Artificial Sequence
<220> 
<223> Description of Artificial Sequence:Artificially
Synthesized DNA Sequence
<400> 201
atatagaagt tgatgagttt atga                                        24
<210> 202
<211> 24
<212> DNA
<213> Artificial Sequence
<220> 
<223> Description of Artificial Sequence:Artificially
Synthesized DNA Sequence
<400> 202
tttagaagta agaataagtg agta                                        24
<210> 203
<211> 24
<212> DNA
<213> Artificial Sequence
<220> 
<223> Description of Artificial Sequence:Artificially
Synthesized DNA Sequence
<400> 203
tgtgtataag atatttgtaa gaag                                        24
<210> 204
<211> 24
<212> DNA
<213> Artificial Sequence
<220> 
<223> Description of Artificial Sequence:Artificially
Synthesized DNA Sequence
<400> 204
tagaagagtt gtattgttat aagt                                        24
<210> 205
<211> 24
<212> DNA
<213> Artificial Sequence
<220> 
<223> Description of Artificial Sequence:Artificially
Synthesized DNA Sequence
<400> 205
gtgttattag tttaagttag agta                                        24
<210> 206
<211> 24
<212> DNA
<213> Artificial Sequence
<220> 
<223> Description of Artificial Sequence:Artificially
Synthesized DNA Sequence
<400> 206
aatatagtga tgtgaaattg aatg                                        24
<210> 207
<211> 24
<212> DNA
<213> Artificial Sequence
<220> 
<223> Description of Artificial Sequence:Artificially
Synthesized DNA Sequence
<400> 207
ttagagaata gagtgattat agtt                                        24
<210> 208
<211> 24
<212> DNA
<213> Artificial Sequence
<220> 
<223> Description of Artificial Sequence:Artificially
Synthesized DNA Sequence
<400> 208
gaagtgagtt aatgatttgt aaat                                        24
<210> 209
<211> 24
<212> DNA
<213> Artificial Sequence
<220> 
<223> Description of Artificial Sequence:Artificially
Synthesized DNA Sequence
<400> 209
aatgtaaagt aaagaaagtg atga                                        24
<210> 210
<211> 24
<212> DNA
<213> Artificial Sequence
<220> 
<223> Description of Artificial Sequence:Artificially
Synthesized DNA Sequence
<400> 210
gttagttatg atgaatattg tgta                                        24
<210> 211
<211> 24
<212> DNA
<213> Artificial Sequence
<220> 
<223> Description of Artificial Sequence:Artificially
Synthesized DNA Sequence
<400> 211
aaatgagtta gagtagaatt atgt                                        24
<210> 212
<211> 24
<212> DNA
<213> Artificial Sequence
<220> 
<223> Description of Artificial Sequence:Artificially
Synthesized DNA Sequence
<400> 212
gatatagaag attagttagt gata                                        24
<210> 213
<211> 24
<212> DNA
<213> Artificial Sequence
<220> 
<223> Description of Artificial Sequence:Artificially
Synthesized DNA Sequence
<400> 213
atagtttgtt gagatttatg agta                                        24
<210> 214
<211> 24
<212> DNA
<213> Artificial Sequence
<220> 
<223> Description of Artificial Sequence:Artificially
Synthesized DNA Sequence
<400> 214
tagaatagtt agtagtaaga gtat                                        24
<210> 215
<211> 24
<212> DNA
<213> Artificial Sequence
<220> 
<223> Description of Artificial Sequence:Artificially
Synthesized DNA Sequence
<400> 215
gaatttgtat tgtgaagttt agta                                        24
<210> 216
<211> 24
<212> DNA
<213> Artificial Sequence
<220> 
<223> Description of Artificial Sequence:Artificially
Synthesized DNA Sequence
<400> 216
gtagtaagaa gagaattaga ttaa                                        24
<210> 217
<211> 24
<212> DNA
<213> Artificial Sequence
<220> 
<223> Description of Artificial Sequence:Artificially
Synthesized DNA Sequence
<400> 217
aatgtgttat gtatgtaaat agtg                                        24
<210> 218
<211> 24
<212> DNA
<213> Artificial Sequence
<220> 
<223> Description of Artificial Sequence:Artificially
Synthesized DNA Sequence
<400> 218
gaattagtta gagtaaattg tttg                                        24
<210> 219
<211> 24
<212> DNA
<213> Artificial Sequence
<220> 
<223> Description of Artificial Sequence:Artificially
Synthesized DNA Sequence
<400> 219
gaaattgaag atagtaagaa atga                                        24
<210> 220
<211> 24
<212> DNA
<213> Artificial Sequence
<220> 
<223> Description of Artificial Sequence:Artificially
Synthesized DNA Sequence
<400> 220
gtgtattatg tgatttatga taga                                        24
<210> 221
<211> 24
<212> DNA
<213> Artificial Sequence
<220> 
<223> Description of Artificial Sequence:Artificially
Synthesized DNA Sequence
<400> 221
tattatgaga aagttgaata gtag                                        24
<210> 222
<211> 24
<212> DNA
<213> Artificial Sequence
<220> 
<223> Description of Artificial Sequence:Artificially
Synthesized DNA Sequence
<400> 222
tatgtattgt attgagtaga tgaa                                        24
<210> 223
<211> 24
<212> DNA
<213> Artificial Sequence
<220> 
<223> Description of Artificial Sequence:Artificially
Synthesized DNA Sequence
<400> 223
gtgattgaat agtagattgt ttaa                                        24
<210> 224
<211> 24
<212> DNA
<213> Artificial Sequence
<220> 
<223> Description of Artificial Sequence:Artificially
Synthesized DNA Sequence
<400> 224
agtaagttgt ttgattgaaa tttg                                        24
<210> 225
<211> 24
<212> DNA
<213> Artificial Sequence
<220> 
<223> Description of Artificial Sequence:Artificially
Synthesized DNA Sequence
<400> 225
gaagtttgat ttaagtttaa gaag                                        24
<210> 226
<211> 24
<212> DNA
<213> Artificial Sequence
<220> 
<223> Description of Artificial Sequence:Artificially
Synthesized DNA Sequence
<400> 226
gagaagataa atgatattgt tatg                                        24
<210> 227
<211> 24
<212> DNA
<213> Artificial Sequence
<220> 
<223> Description of Artificial Sequence:Artificially
Synthesized DNA Sequence
<400> 227
atgatgagtt gttaatagtt agtt                                        24
<210> 228
<211> 24
<212> DNA
<213> Artificial Sequence
<220> 
<223> Description of Artificial Sequence:Artificially
Synthesized DNA Sequence
<400> 228
tatgatattt gaagagtgtt aaga                                        24
<210> 229
<211> 24
<212> DNA
<213> Artificial Sequence
<220> 
<223> Description of Artificial Sequence:Artificially
Synthesized DNA Sequence
<400> 229
gagatgatta aagtgattta tgaa                                        24
<210> 230
<211> 24
<212> DNA
<213> Artificial Sequence
<220> 
<223> Description of Artificial Sequence:Artificially
Synthesized DNA Sequence
<400> 230
atagttaaga gtgatgagaa taaa                                        24
<210> 231
<211> 24
<212> DNA
<213> Artificial Sequence
<220> 
<223> Description of Artificial Sequence:Artificially
Synthesized DNA Sequence
<400> 231
tttattgtta gataaagagt tgag                                        24
<210> 232
<211> 24
<212> DNA
<213> Artificial Sequence
<220> 
<223> Description of Artificial Sequence:Artificially
Synthesized DNA Sequence
<400> 232
agaatattga tagttgaagt tgaa                                        24
<210> 233
<211> 24
<212> DNA
<213> Artificial Sequence
<220> 
<223> Description of Artificial Sequence:Artificially
Synthesized DNA Sequence
<400> 233
tagtgtaaag tgtagattgt aaat                                        24
<210> 234
<211> 24
<212> DNA
<213> Artificial Sequence
<220> 
<223> Description of Artificial Sequence:Artificially
Synthesized DNA Sequence
<400> 234
agtagtgata tgatttgaat attg                                        24
<210> 235
<211> 24
<212> DNA
<213> Artificial Sequence
<220> 
<223> Description of Artificial Sequence:Artificially
Synthesized DNA Sequence
<400> 235
tgtattgaat tagaatagtg agaa                                        24
<210> 236
<211> 24
<212> DNA
<213> Artificial Sequence
<220> 
<223> Description of Artificial Sequence:Artificially
Synthesized DNA Sequence
<400> 236
tgatatgaga tagaagttta atgt                                        24
<210> 237
<211> 24
<212> DNA
<213> Artificial Sequence
<220> 
<223> Description of Artificial Sequence:Artificially
Synthesized DNA Sequence
<400> 237
gaagaagtaa gtataaagta aatg                                        24
<210> 238
<211> 24
<212> DNA
<213> Artificial Sequence
<220> 
<223> Description of Artificial Sequence:Artificially
Synthesized DNA Sequence
<400> 238
tttaagtgtg ataagaaaga taga                                        24
<210> 239
<211> 24
<212> DNA
<213> Artificial Sequence
<220> 
<223> Description of Artificial Sequence:Artificially
Synthesized DNA Sequence
<400> 239
tattgttgaa tgtgtttaaa gaga                                        24
<210> 240
<211> 24
<212> DNA
<213> Artificial Sequence
<220> 
<223> Description of Artificial Sequence:Artificially
Synthesized DNA Sequence
<400> 240
gaataatgat gagatgatta ttga                                        24
<210> 241
<211> 24
<212> DNA
<213> Artificial Sequence
<220> 
<223> Description of Artificial Sequence:Artificially
Synthesized DNA Sequence
<400> 241
tagagaaaga gagaattgta ttaa                                        24
<210> 242
<211> 24
<212> DNA
<213> Artificial Sequence
<220> 
<223> Description of Artificial Sequence:Artificially
Synthesized DNA Sequence
<400> 242
atgtataatg agatatgttt gtga                                        24
<210> 243
<211> 24
<212> DNA
<213> Artificial Sequence
<220> 
<223> Description of Artificial Sequence:Artificially
Synthesized DNA Sequence
<400> 243
aatagataag attgattgtg tttg                                        24
<210> 244
<211> 24
<212> DNA
<213> Artificial Sequence
<220> 
<223> Description of Artificial Sequence:Artificially
Synthesized DNA Sequence
<400> 244
tttgatgata atagaagaga atga                                        24
<210> 245
<211> 24
<212> DNA
<213> Artificial Sequence
<220> 
<223> Description of Artificial Sequence:Artificially
Synthesized DNA Sequence
<400> 245
agatgaataa gttgtgaatg ttta                                        24
<210> 246
<211> 24
<212> DNA
<213> Artificial Sequence
<220> 
<223> Description of Artificial Sequence:Artificially
Synthesized DNA Sequence
<400> 246
agatgaaaga aagtgtagaa tatt                                        24
<210> 247
<211> 24
<212> DNA
<213> Artificial Sequence
<220> 
<223> Description of Artificial Sequence:Artificially
Synthesized DNA Sequence
<400> 247
tgttaaatgt atgtagtaat tgag                                        24
<210> 248
<211> 24
<212> DNA
<213> Artificial Sequence
<220> 
<223> Description of Artificial Sequence:Artificially
Synthesized DNA Sequence
<400> 248
tagtagtgtg aagttatttg ttat                                        24
<210> 249
<211> 24
<212> DNA
<213> Artificial Sequence
<220> 
<223> Description of Artificial Sequence:Artificially
Synthesized DNA Sequence
<400> 249
agtgaatgtt tgtaaagagt ttaa                                        24
<210> 250
<211> 24
<212> DNA
<213> Artificial Sequence
<220> 
<223> Description of Artificial Sequence:Artificially
Synthesized DNA Sequence
<400> 250
gataaatgag aattgagtaa ttgt                                        24
<210> 251
<211> 24
<212> DNA
<213> Artificial Sequence
<220> 
<223> Description of Artificial Sequence:Artificially
Synthesized DNA Sequence
<400> 251
tgatgagaaa ttgtttaagt gttt                                        24
<210> 252
<211> 24
<212> DNA
<213> Artificial Sequence
<220> 
<223> Description of Artificial Sequence:Artificially
Synthesized DNA Sequence
<400> 252
aaataagtag tgtgagtaat agta                                        24
<210> 253
<211> 24
<212> DNA
<213> Artificial Sequence
<220> 
<223> Description of Artificial Sequence:Artificially
Synthesized DNA Sequence
<400> 253
tatgaaatat gtgatagtaa gaga                                        24
<210> 254
<211> 24
<212> DNA
<213> Artificial Sequence
<220> 
<223> Description of Artificial Sequence:Artificially
Synthesized DNA Sequence
<400> 254
attgtaagag tgattataga tgat                                        24
<210> 255
<211> 24
<212> DNA
<213> Artificial Sequence
<220> 
<223> Description of Artificial Sequence:Artificially
Synthesized DNA Sequence
<400> 255
agagtaagaa tgaaagagat aata                                        24
<210> 256
<211> 24
<212> DNA
<213> Artificial Sequence
<220> 
<223> Description of Artificial Sequence:Artificially
Synthesized DNA Sequence
<400> 256
taagtaagta gatgttaaag agat                                        24
<210> 257
<211> 24
<212> DNA
<213> Artificial Sequence
<220> 
<223> Description of Artificial Sequence:Artificially
Synthesized DNA Sequence
<400> 257
aaatagaaag aattgtagag tagt                                        24
<210> 258
<211> 24
<212> DNA
<213> Artificial Sequence
<220> 
<223> Description of Artificial Sequence:Artificially
Synthesized DNA Sequence
<400> 258
atagatttaa gtgaagagag ttat                                        24
<210> 259
<211> 24
<212> DNA
<213> Artificial Sequence
<220> 
<223> Description of Artificial Sequence:Artificially
Synthesized DNA Sequence
<400> 259
gaatgtttgt aaatgtatag atag                                        24
<210> 260
<211> 24
<212> DNA
<213> Artificial Sequence
<220> 
<223> Description of Artificial Sequence:Artificially
Synthesized DNA Sequence
<400> 260
aaatagaatg agtagtgaaa tatg                                        24
<210> 261
<211> 24
<212> DNA
<213> Artificial Sequence
<220> 
<223> Description of Artificial Sequence:Artificially
Synthesized DNA Sequence
<400> 261
ttgaattatg tagagaaagt aaag                                        24
<210> 262
<211> 24
<212> DNA
<213> Artificial Sequence
<220> 
<223> Description of Artificial Sequence:Artificially
Synthesized DNA Sequence
<400> 262
tagtaaattg agagtagttg aatt                                        24
<210> 263
<211> 24
<212> DNA
<213> Artificial Sequence
<220> 
<223> Description of Artificial Sequence:Artificially
Synthesized DNA Sequence
<400> 263
tgtaaagtgt ttatagtgtg taat                                        24
<210> 264
<211> 24
<212> DNA
<213> Artificial Sequence
<220> 
<223> Description of Artificial Sequence:Artificially
Synthesized DNA Sequence
<400> 264
atatgatttg agatgagaat gtaa                                        24
<210> 265
<211> 24
<212> DNA
<213> Artificial Sequence
<220> 
<223> Description of Artificial Sequence:Artificially
Synthesized DNA Sequence
<400> 265
aatattgata tgtgttgtga agta                                        24
<210> 266
<211> 24
<212> DNA
<213> Artificial Sequence
<220> 
<223> Description of Artificial Sequence:Artificially
Synthesized DNA Sequence
<400> 266
agtgagatta tgagtattga ttta                                        24
<210> 267
<211> 24
<212> DNA
<213> Artificial Sequence
<220> 
<223> Description of Artificial Sequence:Artificially
Synthesized DNA Sequence
<400> 267
ttgtatttag atagtgagat tatg                                        24
<210> 268
<211> 24
<212> DNA
<213> Artificial Sequence
<220> 
<223> Description of Artificial Sequence:Artificially
Synthesized DNA Sequence
<400> 268
atagaaatga aagatagata gaag                                        24
<210> 269
<211> 24
<212> DNA
<213> Artificial Sequence
<220> 
<223> Description of Artificial Sequence:Artificially
Synthesized DNA Sequence
<400> 269
gattgtatat gtaaagtagt ttag                                        24
<210> 270
<211> 24
<212> DNA
<213> Artificial Sequence
<220> 
<223> Description of Artificial Sequence:Artificially
Synthesized DNA Sequence
<400> 270
tatgaatgtt attgtgtgtt gatt                                        24
<210> 271
<211> 24
<212> DNA
<213> Artificial Sequence
<220> 
<223> Description of Artificial Sequence:Artificially
Synthesized DNA Sequence
<400> 271
gatattagta gagtaagtat attg                                        24
<210> 272
<211> 24
<212> DNA
<213> Artificial Sequence
<220> 
<223> Description of Artificial Sequence:Artificially
Synthesized DNA Sequence
<400> 272
tgagatgaat ttgtgttatg atat                                        24
<210> 273
<211> 24
<212> DNA
<213> Artificial Sequence
<220> 
<223> Description of Artificial Sequence:Artificially
Synthesized DNA Sequence
<400> 273
tatgaatgaa gtaaagagat gtaa                                        24
<210> 274
<211> 24
<212> DNA
<213> Artificial Sequence
<220> 
<223> Description of Artificial Sequence:Artificially
Synthesized DNA Sequence
<400> 274
gagtgaattt gttgtaattt gttt                                        24
<210> 275
<211> 24
<212> DNA
<213> Artificial Sequence
<220> 275
<223> Description of Artificial Sequence:Artificially
Synthesized DNA Sequence
<400> 275
agaaattgta gagttaattg tgta                                        24
<210> 276
<211> 24
<212> DNA
<213> Artificial Sequence
<220> 
<223> Description of Artificial Sequence:Artificially
Synthesized DNA Sequence
<400> 276
gtgttaatga aagttgtgaa taat                                        24
<210> 277
<211> 24
<212> DNA
<213> Artificial Sequence
<220> 
<223> Description of Artificial Sequence:Artificially
Synthesized DNA Sequence
<400> 277
tgtgatttgt taagaagatt aatg                                        24
<210> 278
<211> 24
<212> DNA
<213> Artificial Sequence
<220> 
<223> Description of Artificial Sequence:Artificially
Synthesized DNA Sequence
<400> 278
agtagtattg taaagtataa agag                                        24
<210> 279
<211> 24
<212> DNA
<213> Artificial Sequence
<220> 
<223> Description of Artificial Sequence:Artificially
Synthesized DNA Sequence
<400> 279
tgattgttgt atagttattg tgta                                        24
<210> 280
<211> 24
<212> DNA
<213> Artificial Sequence
<220> 
<223> Description of Artificial Sequence:Artificially
Synthesized DNA Sequence
<400> 280
gattgtagtt taatgttaag aatg                                        24
<210> 281
<211> 24
<212> DNA
<213> Artificial Sequence
<220> 
<223> Description of Artificial Sequence:Artificially
Synthesized DNA Sequence
<400> 281
atgaaataag aaattgagta gaga                                        24
<210> 282
<211> 24
<212> DNA
<213> Artificial Sequence
<220> 
<223> Description of Artificial Sequence:Artificially
Synthesized DNA Sequence
<400> 282
tatgatgata tttgttgtat gtgt                                        24
<210> 283
<211> 24
<212> DNA
<213> Artificial Sequence
<220> 
<223> Description of Artificial Sequence:Artificially
Synthesized DNA Sequence
<400> 283
tttagagttt gattagtatg tttg                                        24
<210> 284
<211> 24
<212> DNA
<213> Artificial Sequence
<220> 
<223> Description of Artificial Sequence:Artificially
Synthesized DNA Sequence
<400> 284
aataagagat tgtgatgaga aata                                        24
<210> 285
<211> 24
<212> DNA
<213> Artificial Sequence
<220> 
<223> Description of Artificial Sequence:Artificially
Synthesized DNA Sequence
<400> 285
aatgaataga atagagaatg taga                                        24
<210> 286
<211> 24
<212> DNA
<213> Artificial Sequence
<220> 
<223> Description of Artificial Sequence:Artificially
Synthesized DNA Sequence
<400> 286
gtagtagtaa tttgaatgtt tgaa                                        24
<210> 287
<211> 24
<212> DNA
<213> Artificial Sequence
<220> 
<223> Description of Artificial Sequence:Artificially
Synthesized DNA Sequence
<400> 287
agtgagtaat tgattgattg ttaa                                        24
<210> 288
<211> 24
<212> DNA
<213> Artificial Sequence
<220> 
<223> Description of Artificial Sequence:Artificially
Synthesized DNA Sequence
<400> 288
gaataatgtt tagtgtgttt gaaa                                        24
<210> 289
<211> 24
<212> DNA
<213> Artificial Sequence
<220> 
<223> Description of Artificial Sequence:Artificially
Synthesized DNA Sequence
<400> 289
atatgaaagt agagaaagtg ttat                                        24
<210> 290
<211> 24
<212> DNA
<213> Artificial Sequence
<220> 
<223> Description of Artificial Sequence:Artificially
Synthesized DNA Sequence
<400> 290
tgagttattg tatttagttt gaag                                        24
<210> 291
<211> 24
<212> DNA
<213> Artificial Sequence
<220> 
<223> Description of Artificial Sequence:Artificially
Synthesized DNA Sequence
<400> 291
tagttgagtt taaagttgaa agaa                                        24
<210> 292
<211> 24
<212> DNA
<213> Artificial Sequence
<220> 
<223> Description of Artificial Sequence:Artificially
Synthesized DNA Sequence
<400> 292
taaagagtga tgtaaataga agtt                                        24
<210> 293
<211> 24
<212> DNA
<213> Artificial Sequence
<220> 
<223> Description of Artificial Sequence:Artificially
Synthesized DNA Sequence
<400> 293
tgtagtgttt agagtaagtt atta                                        24
<210> 294
<211> 24
<212> DNA
<213> Artificial Sequence
<220> 
<223> Description of Artificial Sequence:Artificially
Synthesized DNA Sequence
<400> 294
agagattaat gtgttgaaag atta                                        24
<210> 295
<211> 24
<212> DNA
<213> Artificial Sequence
<220> 
<223> Description of Artificial Sequence:Artificially
Synthesized DNA Sequence
<400> 295
gtaataagtt gtgaaagaag atta                                        24
<210> 296
<211> 24
<212> DNA
<213> Artificial Sequence
<220> 
<223> Description of Artificial Sequence:Artificially
Synthesized DNA Sequence
<400> 296
gagatgttat agataatgaa agaa                                        24
<210> 297
<211> 24
<212> DNA
<213> Artificial Sequence
<220> 
<223> Description of Artificial Sequence:Artificially
Synthesized DNA Sequence
<400> 297
tttagttgat tgttgaatag agta                                        24
<210> 298
<211> 24
<212> DNA
<213> Artificial Sequence
<220> 
<223> Description of Artificial Sequence:Artificially
Synthesized DNA Sequence
<400> 298
attattgaaa gtagatgtta gatg                                        24
<210> 299
<211> 24
<212> DNA
<213> Artificial Sequence
<220> 
<223> Description of Artificial Sequence:Artificially
Synthesized DNA Sequence
<400> 299
tttatgtgtg attgagtgtt taat                                        24
<210> 300
<211> 24
<212> DNA
<213> Artificial Sequence
<220> 
<223> Description of Artificial Sequence:Artificially
Synthesized DNA Sequence
<400> 300
tatttagtta gatagataga gagt                                        24
<210> 301
<211> 24
<212> DNA
<213> Artificial Sequence
<220> 
<223> Description of Artificial Sequence:Artificially
Synthesized DNA Sequence
<400> 301
atgtgtttat gtgaaagatt tgta                                        24
<210> 302
<211> 24
<212> DNA
<213> Artificial Sequence
<220> 
<223> Description of Artificial Sequence:Artificially
Synthesized DNA Sequence
<400> 302
atagtaatta gaagagaaga atgt                                        24
<210> 303
<211> 24
<212> DNA
<213> Artificial Sequence
<220> 
<223> Description of Artificial Sequence:Artificially
Synthesized DNA Sequence
<400> 303
tatgagtgat tagaattgta tttg                                        24
<210> 304
<211> 24
<212> DNA
<213> Artificial Sequence
<220> 
<223> Description of Artificial Sequence:Artificially
Synthesized DNA Sequence
<400> 304
ttaatgtatt gtttaaagag tgtg                                        24
<210> 305
<211> 24
<212> DNA
<213> Artificial Sequence
<220> 
<223> Description of Artificial Sequence:Artificially
Synthesized DNA Sequence
<400> 305
atagagaatt aagaattgtt tgag                                        24
<210> 306
<211> 24
<212> DNA
<213> Artificial Sequence
<220> 
<223> Description of Artificial Sequence:Artificially
Synthesized DNA Sequence
<400> 306
gttataagta gaaatgtata gaag                                        24
<210> 307
<211> 24
<212> DNA
<213> Artificial Sequence
<220> 
<223> Description of Artificial Sequence:Artificially
Synthesized DNA Sequence
<400> 307
agtaattagt ttgaaatgtg tagt                                        24
<210> 308
<211> 24
<212> DNA
<213> Artificial Sequence
<220> 
<223> Description of Artificial Sequence:Artificially
Synthesized DNA Sequence
<400> 308
gaaagattat gattgtaaag tgat                                        24
<210> 309
<211> 24
<212> DNA
<213> Artificial Sequence
<220> 
<223> Description of Artificial Sequence:Artificially
Synthesized DNA Sequence
<400> 309
gtaagattag aagttaatga agaa                                        24
<210> 310
<211> 24
<212> DNA
<213> Artificial Sequence
<220> 
<223> Description of Artificial Sequence:Artificially
Synthesized DNA Sequence
<400> 310
gagaatgttg aataagaagt aatt                                        24
<210> 311
<211> 24
<212> DNA
<213> Artificial Sequence
<220> 
<223> Description of Artificial Sequence:Artificially
Synthesized DNA Sequence
<400> 311
ttaagagtgt ttgaatagtg ttta                                        24
<210> 312
<211> 24
<212> DNA
<213> Artificial Sequence
<220> 
<223> Description of Artificial Sequence:Artificially
Synthesized DNA Sequence
<400> 312
ataaagaaag agtatgagat tatg                                        24
<210> 313
<211> 24
<212> DNA
<213> Artificial Sequence
<220> 
<223> Description of Artificial Sequence:Artificially
Synthesized DNA Sequence
<400> 313
agttattgat tgaagatgag aaat                                        24
<210> 314
<211> 24
<212> DNA
<213> Artificial Sequence
<220> 
<223> Description of Artificial Sequence:Artificially
Synthesized DNA Sequence
<400> 314
gtttgtgttt gtataagttg ttaa                                        24
<210> 315
<211> 24
<212> DNA
<213> Artificial Sequence
<220> 
<223> Description of Artificial Sequence:Artificially
Synthesized DNA Sequence
<400> 315
ttgtatgtga gtttagatta atga                                        24
<210> 316
<211> 24
<212> DNA
<213> Artificial Sequence
<220> 
<223> Description of Artificial Sequence:Artificially
Synthesized DNA Sequence
<400> 316
tagttaaagt atagttgttt gagt                                        24
<210> 317
<211> 24
<212> DNA
<213> Artificial Sequence
<220> 
<223> Description of Artificial Sequence:Artificially
Synthesized DNA Sequence
<400> 317
aaatttgtgt tgagatttgt atag                                        24
<210> 318
<211> 24
<212> DNA
<213> Artificial Sequence
<220> 
<223> Description of Artificial Sequence:Artificially
Synthesized DNA Sequence
<400> 318
tattagtgtt atgataaaga gaag                                        24
<210> 319
<211> 24
<212> DNA
<213> Artificial Sequence
<220> 
<223> Description of Artificial Sequence:Artificially
Synthesized DNA Sequence
<400> 319
tataagaagt aatttgagaa gagt                                        24
<210> 320
<211> 24
<212> DNA
<213> Artificial Sequence
<220> 
<223> Description of Artificial Sequence:Artificially
Synthesized DNA Sequence
<400> 320
taagttgaga tgtttgtttg ataa                                        24
<210> 321
<211> 24
<212> DNA
<213> Artificial Sequence
<220> 
<223> Description of Artificial Sequence:Artificially
Synthesized DNA Sequence
<400> 321
gtgtagattt atgaattgag taat                                        24
<210> 322
<211> 24
<212> DNA
<213> Artificial Sequence
<220> 
<223> Description of Artificial Sequence:Artificially
Synthesized DNA Sequence
<400> 322
tatagagaag tgtttagttg tata                                        24
<210> 323
<211> 24
<212> DNA
<213> Artificial Sequence
<220> 
<223> Description of Artificial Sequence:Artificially
Synthesized DNA Sequence
<400> 323
ataaagaaga atagttgttg tgta                                        24
<210> 324
<211> 24
<212> DNA
<213> Artificial Sequence
<220> 
<223> Description of Artificial Sequence:Artificially
Synthesized DNA Sequence
<400> 324
agattgaaat agattagaaa gttg                                        24
<210> 325
<211> 24
<212> DNA
<213> Artificial Sequence
<220> 
<223> Description of Artificial Sequence:Artificially
Synthesized DNA Sequence
<400> 325
gttgttataa gaaatagttt gttg                                        24
<210> 326
<211> 24
<212> DNA
<213> Artificial Sequence
<220> 
<223> Description of Artificial Sequence:Artificially
Synthesized DNA Sequence
<400> 326
agaaatagag taagagtgtt taaa                                        24
<210> 327
<211> 24
<212> DNA
<213> Artificial Sequence
<220> 
<223> Description of Artificial Sequence:Artificially
Synthesized DNA Sequence
<400> 327
agagatagta gtaaatagtt attg                                        24
<210> 328
<211> 24
<212> DNA
<213> Artificial Sequence
<220> 
<223> Description of Artificial Sequence:Artificially
Synthesized DNA Sequence
<400> 328
aaatgattgt gtaagttatg tatg                                        24
<210> 329
<211> 24
<212> DNA
<213> Artificial Sequence
<220> 
<223> Description of Artificial Sequence:Artificially
Synthesized DNA Sequence
<400> 329
aagaagtaag agagaaattt gaat                                        24
<210> 330
<211> 24
<212> DNA
<213> Artificial Sequence
<220> 
<223> Description of Artificial Sequence:Artificially
Synthesized DNA Sequence
<400> 330
gtgtgtattt agttgataat tgat                                        24
<210> 331
<211> 24
<212> DNA
<213> Artificial Sequence
<220> 
<223> Description of Artificial Sequence:Artificially
Synthesized DNA Sequence
<400> 331
attgttgttg ttgagaaatg tatt                                        24
<210> 332
<211> 24
<212> DNA
<213> Artificial Sequence
<220> 
<223> Description of Artificial Sequence:Artificially
Synthesized DNA Sequence
<400> 332
agataagtta aagtaaagag aatg                                        24
<210> 333
<211> 24
<212> DNA
<213> Artificial Sequence
<220> 
<223> Description of Artificial Sequence:Artificially
Synthesized DNA Sequence
<400> 333
tagttgaagt tagtttaagt gtta                                        24
<210> 334
<211> 24
<212> DNA
<213> Artificial Sequence
<220> 
<223> Description of Artificial Sequence:Artificially
Synthesized DNA Sequence
<400> 334
agtaagaatg taatatgatg atag                                        24
<210> 335
<211> 24
<212> DNA
<213> Artificial Sequence
<220> 
<223> Description of Artificial Sequence:Artificially
Synthesized DNA Sequence
<400> 335
atgagattga aagatttatg aatg                                        24
<210> 336
<211> 24
<212> DNA
<213> Artificial Sequence
<220> 
<223> Description of Artificial Sequence:Artificially
Synthesized DNA Sequence
<400> 336
tgattgaatt agagagaatg tata                                        24
<210> 337
<211> 24
<212> DNA
<213> Artificial Sequence
<220> 
<223> Description of Artificial Sequence:Artificially
Synthesized DNA Sequence
<400> 337
agttagtaag agaatatagt gaat                                        24
<210> 338
<211> 24
<212> DNA
<213> Artificial Sequence
<220> 
<223> Description of Artificial Sequence:Artificially
Synthesized DNA Sequence
<400> 338
attaagattg tatagttagt gatg                                        24
<210> 339
<211> 24
<212> DNA
<213> Artificial Sequence
<220> 
<223> Description of Artificial Sequence:Artificially
Synthesized DNA Sequence
<400> 339
gagataaaga attgaaatag aaga                                        24
<210> 340
<211> 24
<212> DNA
<213> Artificial Sequence
<220> 
<223> Description of Artificial Sequence:Artificially
Synthesized DNA Sequence
<400> 340
agagtaaatg ttaagaaaga agtt                                        24
<210> 341
<211> 24
<212> DNA
<213> Artificial Sequence
<220> 
<223> Description of Artificial Sequence:Artificially
Synthesized DNA Sequence
<400> 341
aaagtttgtt atgtgtgaag aatt                                        24
<210> 342
<211> 24
<212> DNA
<213> Artificial Sequence
<220> 
<223> Description of Artificial Sequence:Artificially
Synthesized DNA Sequence
<400> 342
attgtgttta agaaatatga tgag                                        24
<210> 343
<211> 24
<212> DNA
<213> Artificial Sequence
<220> 
<223> Description of Artificial Sequence:Artificially
Synthesized DNA Sequence
<400> 343
tattgaaatg agatgtatgt agtt                                        24
<210> 344
<211> 24
<212> DNA
<213> Artificial Sequence
<220> 
<223> Description of Artificial Sequence:Artificially
Synthesized DNA Sequence
<400> 344
atttgtgtga tgtttgaaat atga                                        24
<210> 345
<211> 24
<212> DNA
<213> Artificial Sequence
<220> 
<223> Description of Artificial Sequence:Artificially
Synthesized DNA Sequence
<400> 345
taagataata gtgagagaaa ttga                                        24
<210> 346
<211> 24
<212> DNA
<213> Artificial Sequence
<220> 
<223> Description of Artificial Sequence:Artificially
Synthesized DNA Sequence
<400> 346
atttatgatt agtgtaagtg ttgt                                        24
<210> 347
<211> 24
<212> DNA
<213> Artificial Sequence
<220> 
<223> Description of Artificial Sequence:Artificially
Synthesized DNA Sequence
<400> 347
gattaagaat aaagtgtgaa gaat                                        24
<210> 348
<211> 24
<212> DNA
<213> Artificial Sequence
<220> 
<223> Description of Artificial Sequence:Artificially
Synthesized DNA Sequence
<400> 348
gtaattgatg aagagttagt ttat                                        24
<210> 349
<211> 24
<212> DNA
<213> Artificial Sequence
<220> 
<223> Description of Artificial Sequence:Artificially
Synthesized DNA Sequence
<400> 349
tgtgttatgt tataagaagt gata                                        24
<210> 350
<211> 24
<212> DNA
<213> Artificial Sequence
<220> 
<223> Description of Artificial Sequence:Artificially
Synthesized DNA Sequence
<400> 350
agagaaattg aatttagaaa tgtg                                        24
<210> 351
<211> 24
<212> DNA
<213> Artificial Sequence
<220> 
<223> Description of Artificial Sequence:Artificially
Synthesized DNA Sequence
<400> 351
ttattgaatg tgagaaagta tttg                                        24
<210> 352
<211> 24
<212> DNA
<213> Artificial Sequence
<220> 
<223> Description of Artificial Sequence:Artificially
Synthesized DNA Sequence
<400> 352
tgttaatgag aagataatga tagt                                        24
<210> 353
<211> 24
<212> DNA
<213> Artificial Sequence
<220> 
<223> Description of Artificial Sequence:Artificially
Synthesized DNA Sequence
<400> 353
gaaagtattt gttgattatt gttg                                        24
<210> 354
<211> 24
<212> DNA
<213> Artificial Sequence
<220> 
<223> Description of Artificial Sequence:Artificially
Synthesized DNA Sequence
<400> 354
tagtttatgt agttaattgt tgag                                        24
<210> 355
<211> 24
<212> DNA
<213> Artificial Sequence
<220> 
<223> Description of Artificial Sequence:Artificially
Synthesized DNA Sequence
<400> 355
gttgaaagat agtttgatat gtat                                        24
<210> 356
<211> 24
<212> DNA
<213> Artificial Sequence
<220> 
<223> Description of Artificial Sequence:Artificially
Synthesized DNA Sequence
<400> 356
ttagaagata gattattgag aaag                                        24
<210> 357
<211> 24
<212> DNA
<213> Artificial Sequence
<220> 
<223> Description of Artificial Sequence:Artificially
Synthesized DNA Sequence
<400> 357
aataatgttg tgaaatagat gtga                                        24
<210> 358
<211> 24
<212> DNA
<213> Artificial Sequence
<220> 
<223> Description of Artificial Sequence:Artificially
Synthesized DNA Sequence
<400> 358
agtaagaaag tttagtttag ttag                                        24
<210> 359
<211> 24
<212> DNA
<213> Artificial Sequence
<220> 
<223> Description of Artificial Sequence:Artificially
Synthesized DNA Sequence
<400> 359
tagtttaatg agatgtttga tatg                                        24
<210> 360
<211> 24
<212> DNA
<213> Artificial Sequence
<220> 
<223> Description of Artificial Sequence:Artificially
Synthesized DNA Sequence
<400> 360
ttaaagatgt taaagaatga gtga                                        24
<210> 361
<211> 24
<212> DNA
<213> Artificial Sequence
<220> 
<223> Description of Artificial Sequence:Artificially
Synthesized DNA Sequence
<400> 361
aaagtgtgta tatgttagaa agta                                        24
<210> 362
<211> 24
<212> DNA
<213> Artificial Sequence
<220> 
<223> Description of Artificial Sequence:Artificially
Synthesized DNA Sequence
<400> 362
attaagttat gtgtttatgt gttg                                        24
<210> 363
<211> 24
<212> DNA
<213> Artificial Sequence
<220> 
<223> Description of Artificial Sequence:Artificially
Synthesized DNA Sequence
<400> 363
tttgaagaag tgtttgtatt atgt                                        24
<210> 364
<211> 24
<212> DNA
<213> Artificial Sequence
<220> 
<223> Description of Artificial Sequence:Artificially
Synthesized DNA Sequence
<400> 364
tgttaagaag tttagttaaa gttg                                        24
<210> 365
<211> 24
<212> DNA
<213> Artificial Sequence
<220> 
<223> Description of Artificial Sequence:Artificially
Synthesized DNA Sequence
<400> 365
tttaagtata agattgtgtg agat                                        24
<210> 366
<211> 24
<212> DNA
<213> Artificial Sequence
<220> 
<223> Description of Artificial Sequence:Artificially
Synthesized DNA Sequence
<400> 366
agatatttga tagatagaag aaag                                        24
<210> 367
<211> 24
<212> DNA
<213> Artificial Sequence
<220> 
<223> Description of Artificial Sequence:Artificially
Synthesized DNA Sequence
<400> 367
atttagagtt gtaagaagat attg                                        24
<210> 368
<211> 24
<212> DNA
<213> Artificial Sequence
<220> 
<223> Description of Artificial Sequence:Artificially
Synthesized DNA Sequence
<400> 368
gagaaattgt aattgttaga gtat                                        24
<210> 369
<211> 24
<212> DNA
<213> Artificial Sequence
<220> 
<223> Description of Artificial Sequence:Artificially
Synthesized DNA Sequence
<400> 369
gaagtatatg ttaagatgta atag                                        24
<210> 370
<211> 24
<212> DNA
<213> Artificial Sequence
<220> 
<223> Description of Artificial Sequence:Artificially
Synthesized DNA Sequence
<400> 370
aatattgaag atgtagtgag ttat                                        24
<210> 371
<211> 24
<212> DNA
<213> Artificial Sequence
<220> 
<223> Description of Artificial Sequence:Artificially
Synthesized DNA Sequence
<400> 371
gagtttagaa atgataaaga attg                                        24
<210> 372
<211> 24
<212> DNA
<213> Artificial Sequence
<220> 
<223> Description of Artificial Sequence:Artificially
Synthesized DNA Sequence
<400> 372
taagaaatga gttatatgtt gaga                                        24
<210> 373
<211> 24
<212> DNA
<213> Artificial Sequence
<220> 
<223> Description of Artificial Sequence:Artificially
Synthesized DNA Sequence
<400> 373
ttgatataag aagttgtgat aagt                                        24
<210> 374
<211> 24
<212> DNA
<213> Artificial Sequence
<220> 
<223> Description of Artificial Sequence:Artificially
Synthesized DNA Sequence
<400> 374
aagtgtttaa tgtaagagaa tgaa                                        24
<210> 375
<211> 24
<212> DNA
<213> Artificial Sequence
<220> 
<223> Description of Artificial Sequence:Artificially
Synthesized DNA Sequence
<400> 375
gttgtgagaa ttagaaatag tata                                        24
<210> 376
<211> 24
<212> DNA
<213> Artificial Sequence
<220> 
<223> Description of Artificial Sequence:Artificially
Synthesized DNA Sequence
<400> 376
tttagtttga tgtgtttatg agat                                        24
<210> 377
<211> 24
<212> DNA
<213> Artificial Sequence
<220> 
<223> Description of Artificial Sequence:Artificially
Synthesized DNA Sequence
<400> 377
gtaattgaaa gtatgagtag taat                                        24
<210> 378
<211> 24
<212> DNA
<213> Artificial Sequence
<220> 
<223> Description of Artificial Sequence:Artificially
Synthesized DNA Sequence
<400> 378
tagttgaata agattgagag aaat                                        24
<210> 379
<211> 24
<212> DNA
<213> Artificial Sequence
<220> 
<223> Description of Artificial Sequence:Artificially
Synthesized DNA Sequence
<400> 379
ttaagtgaag tgttgtttat tgaa                                        24
<210> 380
<211> 24
<212> DNA
<213> Artificial Sequence
<220> 
<223> Description of Artificial Sequence:Artificially
Synthesized DNA Sequence
<400> 380
attgatttgt tgaaataagt gttg                                        24
<210> 381
<211> 24
<212> DNA
<213> Artificial Sequence
<220> 
<223> Description of Artificial Sequence:Artificially
Synthesized DNA Sequence
<400> 381
tgaattgttg ataagttatg aaga                                        24
<210> 382
<211> 24
<212> DNA
<213> Artificial Sequence
<220> 
<223> Description of Artificial Sequence:Artificially
Synthesized DNA Sequence
<400> 382
gtttgttatt gagtaagttg aatt                                        24
<210> 383
<211> 24
<212> DNA
<213> Artificial Sequence
<220> 
<223> Description of Artificial Sequence:Artificially
Synthesized DNA Sequence
<400> 383
tgatttagta tgtattagag ttga                                        24
<210> 384
<211> 24
<212> DNA
<213> Artificial Sequence
<220> 
<223> Description of Artificial Sequence:Artificially
Synthesized DNA Sequence
<400> 384
taaatagaga tgagaataag aaag                                        24
<210> 385
<211> 24
<212> DNA
<213> Artificial Sequence
<220> 
<223> Description of Artificial Sequence:Artificially
Synthesized DNA Sequence
<400> 385
agaatgttat atgtagagaa attg                                        24
<210> 386
<211> 24
<212> DNA
<213> Artificial Sequence
<220> 
<223> Description of Artificial Sequence:Artificially
Synthesized DNA Sequence
<400> 386
atttatgtag ttgagagtga taaa                                        24
<210> 387
<211> 24
<212> DNA
<213> Artificial Sequence
<220> 
<223> Description of Artificial Sequence:Artificially
Synthesized DNA Sequence
<400> 387
gtaaagatag tttgagtaat ttga                                        24
<210> 388
<211> 24
<212> DNA
<213> Artificial Sequence
<220> 
<223> Description of Artificial Sequence:Artificially
Synthesized DNA Sequence
<400> 388
gaaatagtat aatgttaagt gaga                                        24
<210> 389
<211> 24
<212> DNA
<213> Artificial Sequence
<220> 
<223> Description of Artificial Sequence:Artificially
Synthesized DNA Sequence
<400> 389
attgtatatt gtgttgaaga aagt                                        24
<210> 390
<211> 24
<212> DNA
<213> Artificial Sequence
<220> 
<223> Description of Artificial Sequence:Artificially
Synthesized DNA Sequence
<400> 390
gagttaagtg taaatgaaat gtaa                                        24
<210> 391
<211> 24
<212> DNA
<213> Artificial Sequence
<220> 
<223> Description of Artificial Sequence:Artificially
Synthesized DNA Sequence
<400> 391
atagattgtg tgaaagaaag aatt                                        24
<210> 392
<211> 24
<212> DNA
<213> Artificial Sequence
<220> 
<223> Description of Artificial Sequence:Artificially
Synthesized DNA Sequence
<400> 392
ttaatagaag tttgtagtat gatg                                        24
<210> 393
<211> 24
<212> DNA
<213> Artificial Sequence
<220> 
<223> Description of Artificial Sequence:Artificially
Synthesized DNA Sequence
<400> 393
ttgtatgtga gaataaagtt tagt                                        24
<210> 394
<211> 24
<212> DNA
<213> Artificial Sequence
<220> 
<223> Description of Artificial Sequence:Artificially
Synthesized DNA Sequence
<400> 394
gtgattagat atgatgatat gaat                                        24
<210> 395
<211> 24
<212> DNA
<213> Artificial Sequence
<220> 
<223> Description of Artificial Sequence:Artificially
Synthesized DNA Sequence
<400> 395
tgaagaagaa tttagatttg taag                                        24
<210> 396
<211> 24
<212> DNA
<213> Artificial Sequence
<220> 
<223> Description of Artificial Sequence:Artificially
Synthesized DNA Sequence
<400> 396
tgtatgatta ttgattagtg tgtt                                        24
<210> 397
<211> 24
<212> DNA
<213> Artificial Sequence
<220> 
<223> Description of Artificial Sequence:Artificially
Synthesized DNA Sequence
<400> 397
tgtgaaagag aatgatagat attt                                        24
<210> 398
<211> 24
<212> DNA
<213> Artificial Sequence
<220> 
<223> Description of Artificial Sequence:Artificially
Synthesized DNA Sequence
<400> 398
aattgaaatg agtgtgttta agaa                                        24
<210> 399
<211> 24
<212> DNA
<213> Artificial Sequence
<220> 
<223> Description of Artificial Sequence:Artificially
Synthesized DNA Sequence
<400> 399
attatagagt tagtttagaa tgag                                        24
<210> 400
<211> 24
<212> DNA
<213> Artificial Sequence
<220> 
<223> Description of Artificial Sequence:Artificially
Synthesized DNA Sequence
<400> 400
aaagatagaa attgagtgta tgat                                        24
<210> 401
<211> 24
<212> DNA
<213> Artificial Sequence
<220> 
<223> Description of Artificial Sequence:Artificially
Synthesized DNA Sequence
<400> 401
gtagtttgtt aatgttgtat aatg                                        24
<210> 402
<211> 24
<212> DNA
<213> Artificial Sequence
<220> 
<223> Description of Artificial Sequence:Artificially
Synthesized DNA Sequence
<400> 402
agagatatta gaatgtaaga atag                                        24
<210> 403
<211> 24
<212> DNA
<213> Artificial Sequence
<220> 
<223> Description of Artificial Sequence:Artificially
Synthesized DNA Sequence
<400> 403
agaagtttga aatatgatag aatg                                        24
<210> 404
<211> 24
<212> DNA
<213> Artificial Sequence
<220> 
<223> Description of Artificial Sequence:Artificially
Synthesized DNA Sequence
<400> 404
tagaatgtaa agtttagtat agag                                        24
<210> 405
<211> 24
<212> DNA
<213> Artificial Sequence
<220> 
<223> Description of Artificial Sequence:Artificially
Synthesized DNA Sequence
<400> 405
agtagatgta tgttaatgtg aata                                        24
<210> 406
<211> 24
<212> DNA
<213> Artificial Sequence
<220> 
<223> Description of Artificial Sequence:Artificially
Synthesized DNA Sequence
<400> 406
tgaaagtgaa atatgaaatg ttgt                                        24
<210> 407
<211> 24
<212> DNA
<213> Artificial Sequence
<220> 
<223> Description of Artificial Sequence:Artificially
Synthesized DNA Sequence
<400> 407
atagtatatt gagtttgtat gaag                                        24
<210> 408
<211> 24
<212> DNA
<213> Artificial Sequence
<220> 
<223> Description of Artificial Sequence:Artificially
Synthesized DNA Sequence
<400> 408
gaagaaatgt ttgtagaata agta                                        24
<210> 409
<211> 24
<212> DNA
<213> Artificial Sequence
<220> 
<223> Description of Artificial Sequence:Artificially
Synthesized DNA Sequence
<400> 409
aatgagtatt gaagaaatgt atag                                        24
<210> 410
<211> 24
<212> DNA
<213> Artificial Sequence
<220> 
<223> Description of Artificial Sequence:Artificially
Synthesized DNA Sequence
<400> 410
gtgatagaat ttgtgtttaa tgaa                                        24
<210> 411
<211> 24
<212> DNA
<213> Artificial Sequence
<220> 
<223> Description of Artificial Sequence:Artificially
Synthesized DNA Sequence
<400> 411
tgtagtatga agaataatga aatg                                        24
<210> 412
<211> 24
<212> DNA
<213> Artificial Sequence
<220> 
<223> Description of Artificial Sequence:Artificially
Synthesized DNA Sequence
<400> 412
atagaagtta atgataattg tgtg                                        24
<210> 413
<211> 24
<212> DNA
<213> Artificial Sequence
<220> 
<223> Description of Artificial Sequence:Artificially
Synthesized DNA Sequence
<400> 413
gtgattgtaa gtaagtaaag ataa                                        24
<210> 414
<211> 24
<212> DNA
<213> Artificial Sequence
<220> 
<223> Description of Artificial Sequence:Artificially
Synthesized DNA Sequence
<400> 414
tatgtagttt gtgttatttg aaga                                        24
<210> 415
<211> 24
<212> DNA
<213> Artificial Sequence
<220> 
<223> Description of Artificial Sequence:Artificially
Synthesized DNA Sequence
<400> 415
tgagtaagtt tgtatgttta agta                                        24
<210> 416
<211> 24
<212> DNA
<213> Artificial Sequence
<220> 
<223> Description of Artificial Sequence:Artificially
Synthesized DNA Sequence
<400> 416
taaatgtatg agtgtgtaaa gaaa                                        24
<210> 417
<211> 24
<212> DNA
<213> Artificial Sequence
<220> 
<223> Description of Artificial Sequence:Artificially
Synthesized DNA Sequence
<400> 417
gtaagagtat tgaaattagt aaga                                        24
<210> 418
<211> 24
<212> DNA
<213> Artificial Sequence
<220> 
<223> Description of Artificial Sequence:Artificially
Synthesized DNA Sequence
<400> 418
gttgagtgta aagattattg ataa                                        24
<210> 419
<211> 24
<212> DNA
<213> Artificial Sequence
<220> 
<223> Description of Artificial Sequence:Artificially
Synthesized DNA Sequence
<400> 419
agtatgagtt attagataaa gtga                                        24
<210> 420
<211> 24
<212> DNA
<213> Artificial Sequence
<220> 
<223> Description of Artificial Sequence:Artificially
Synthesized DNA Sequence
<400> 420
atttgttata gagttgtgtt gtat                                        24
<210> 421
<211> 24
<212> DNA
<213> Artificial Sequence
<220> 
<223> Description of Artificial Sequence:Artificially
Synthesized DNA Sequence
<400> 421
taattagtag tgtgttgaaa tttg                                        24
<210> 422
<211> 24
<212> DNA
<213> Artificial Sequence
<220> 
<223> Description of Artificial Sequence:Artificially
Synthesized DNA Sequence
<400> 422
tgtattgaga ttgttattgt attg                                        24
<210> 423
<211> 24
<212> DNA
<213> Artificial Sequence
<220> 
<223> Description of Artificial Sequence:Artificially
Synthesized DNA Sequence
<400> 423
gttattagaa gagataattg agtt                                        24
<210> 424
<211> 24
<212> DNA
<213> Artificial Sequence
<220> 
<223> Description of Artificial Sequence:Artificially
Synthesized DNA Sequence
<400> 424
ttgagttgtg attaagtagt atat                                        24
<210> 425
<211> 24
<212> DNA
<213> Artificial Sequence
<220> 
<223> Description of Artificial Sequence:Artificially
Synthesized DNA Sequence
<400> 425
gatagtataa tgattgaagt aatg                                        24
<210> 426
<211> 24
<212> DNA
<213> Artificial Sequence
<220> 
<223> Description of Artificial Sequence:Artificially
Synthesized DNA Sequence
<400> 426
gtgaaagata tttgagagat aaat                                        24
<210> 427
<211> 24
<212> DNA
<213> Artificial Sequence
<220> 
<223> Description of Artificial Sequence:Artificially
Synthesized DNA Sequence
<400> 427
agttatgatt tgaagaaatt gttg                                        24
<210> 428
<211> 24
<212> DNA
<213> Artificial Sequence
<220> 
<223> Description of Artificial Sequence:Artificially
Synthesized DNA Sequence
<400> 428
gtaagtattt gaatttgatg agtt                                        24
<210> 429
<211> 24
<212> DNA
<213> Artificial Sequence
<220> 
<223> Description of Artificial Sequence:Artificially
Synthesized DNA Sequence
<400> 429
taatagtgtt ataagtgaaa gagt                                        24
<210> 430
<211> 24
<212> DNA
<213> Artificial Sequence
<220> 
<223> Description of Artificial Sequence:Artificially
Synthesized DNA Sequence
<400> 430
aaatgaattg atgtgtatat gaag                                        24
<210> 431
<211> 24
<212> DNA
<213> Artificial Sequence
<220> 
<223> Description of Artificial Sequence:Artificially
Synthesized DNA Sequence
<400> 431
agaaagtgag ttgttaagta ttta                                        24
<210> 432
<211> 24
<212> DNA
<213> Artificial Sequence
<220> 
<223> Description of Artificial Sequence:Artificially
Synthesized DNA Sequence
<400> 432
tttatgtgtg aattgtgtat atag                                        24
<210> 433
<211> 24
<212> DNA
<213> Artificial Sequence
<220> 
<223> Description of Artificial Sequence:Artificially
Synthesized DNA Sequence
<400> 433
gtaatatgat agaaatgtaa agag                                        24
<210> 434
<211> 24
<212> DNA
<213> Artificial Sequence
<220> 
<223> Description of Artificial Sequence:Artificially
Synthesized DNA Sequence
<400> 434
gagaattgtt taaagatagt tgta                                        24
<210> 435
<211> 24
<212> DNA
<213> Artificial Sequence
<220> 
<223> Description of Artificial Sequence:Artificially
Synthesized DNA Sequence
<400> 435
gaatttgtta agaatgagtt tgat                                        24
<210> 436
<211> 24
<212> DNA
<213> Artificial Sequence
<220> 
<223> Description of Artificial Sequence:Artificially
Synthesized DNA Sequence
<400> 436
atagtgatga ttaaagagaa tttg                                        24
<210> 437
<211> 24
<212> DNA
<213> Artificial Sequence
<220> 
<223> Description of Artificial Sequence:Artificially
Synthesized DNA Sequence
<400> 437
atagatgttt agttgagatt attg                                        24
<210> 438
<211> 24
<212> DNA
<213> Artificial Sequence
<220> 
<223> Description of Artificial Sequence:Artificially
Synthesized DNA Sequence
<400> 438
aagagtgtaa atagaaagtg atat                                        24
<210> 439
<211> 24
<212> DNA
<213> Artificial Sequence
<220> 
<223> Description of Artificial Sequence:Artificially
Synthesized DNA Sequence
<400> 439
tgtgtattga ttgttgagat aaat                                        24
<210> 440
<211> 24
<212> DNA
<213> Artificial Sequence
<220> 
<223> Description of Artificial Sequence:Artificially
Synthesized DNA Sequence
<400> 440
tagtatagtg agaaagagtt aaat                                        24
<210> 441
<211> 24
<212> DNA
<213> Artificial Sequence
<220> 
<223> Description of Artificial Sequence:Artificially
Synthesized DNA Sequence
<400> 441
aaagataaga aagagatgat gttt                                        24
<210> 442
<211> 24
<212> DNA
<213> Artificial Sequence
<220> 
<223> Description of Artificial Sequence:Artificially
Synthesized DNA Sequence
<400> 442
gaagttattg aaatagagaa gtat                                        24
<210> 443
<211> 24
<212> DNA
<213> Artificial Sequence
<220> 
<223> Description of Artificial Sequence:Artificially
Synthesized DNA Sequence
<400> 443
atgtatgtat agaaagagta aatg                                        24
<210> 444
<211> 24
<212> DNA
<213> Artificial Sequence
<220> 
<223> Description of Artificial Sequence:Artificially
Synthesized DNA Sequence
<400> 444
gatgtttgta aagattgaaa ttga                                        24
<210> 445
<211> 24
<212> DNA
<213> Artificial Sequence
<220> 
<223> Description of Artificial Sequence:Artificially
Synthesized DNA Sequence
<400> 445
aatttagaga gtatttgtgt tgta                                        24
<210> 446
<211> 24
<212> DNA
<213> Artificial Sequence
<220> 
<223> Description of Artificial Sequence:Artificially
Synthesized DNA Sequence
<400> 446
aatttgtttg aaagaaagta agtg                                        24
<210> 447
<211> 24
<212> DNA
<213> Artificial Sequence
<220> 
<223> Description of Artificial Sequence:Artificially
Synthesized DNA Sequence
<400> 447
aaagagtagt gttattgtta gata                                        24
<210> 448
<211> 24
<212> DNA
<213> Artificial Sequence
<220> 
<223> Description of Artificial Sequence:Artificially
Synthesized DNA Sequence
<400> 448
gtatgttgta tatgttgttg atat                                        24
<210> 449
<211> 24
<212> DNA
<213> Artificial Sequence
<220> 
<223> Description of Artificial Sequence:Artificially
Synthesized DNA Sequence
<400> 449
gtagaatttg ttgagtattt gtaa                                        24
<210> 450
<211> 24
<212> DNA
<213> Artificial Sequence
<220> 
<223> Description of Artificial Sequence:Artificially
Synthesized DNA Sequence
<400> 450
atgaatttag ttagtgtaag aaag                                        24
<210> 451
<211> 24
<212> DNA
<213> Artificial Sequence
<220> 
<223> Description of Artificial Sequence:Artificially
Synthesized DNA Sequence
<400> 451
atgataagaa atgttgatga agta                                        24
<210> 452
<211> 24
<212> DNA
<213> Artificial Sequence
<220> 
<223> Description of Artificial Sequence:Artificially
Synthesized DNA Sequence
<400> 452
ttgatgatga agataatgta gata                                        24
<210> 453
<211> 24
<212> DNA
<213> Artificial Sequence
<220> 
<223> Description of Artificial Sequence:Artificially
Synthesized DNA Sequence
<400> 453
agatgatatg atatagatta gatg                                        24
<210> 454
<211> 24
<212> DNA
<213> Artificial Sequence
<220> 
<223> Description of Artificial Sequence:Artificially
Synthesized DNA Sequence
<400> 454
ttgaaagtta gaaagataga tgtt                                        24
<210> 455
<211> 24
<212> DNA
<213> Artificial Sequence
<220> 
<223> Description of Artificial Sequence:Artificially
Synthesized DNA Sequence
<400> 455
gtttaatgtt agttagaaag taag                                        24
<210> 456
<211> 24
<212> DNA
<213> Artificial Sequence
<220> 
<223> Description of Artificial Sequence:Artificially
Synthesized DNA Sequence
<400> 456
gagatttaag tttgaagtga aata                                        24
<210> 457
<211> 24
<212> DNA
<213> Artificial Sequence
<220> 
<223> Description of Artificial Sequence:Artificially
Synthesized DNA Sequence
<400> 457
tttgttagta gttgttataa gaga                                        24
<210> 458
<211> 24
<212> DNA
<213> Artificial Sequence
<220> 
<223> Description of Artificial Sequence:Artificially
Synthesized DNA Sequence
<400> 458
tatgagaata gtttgttagt gaat                                        24
<210> 459
<211> 24
<212> DNA
<213> Artificial Sequence
<220> 
<223> Description of Artificial Sequence:Artificially
Synthesized DNA Sequence
<400> 459
ttgaaagttt aaagaagaga taag                                        24
<210> 460
<211> 24
<212> DNA
<213> Artificial Sequence
<220> 
<223> Description of Artificial Sequence:Artificially
Synthesized DNA Sequence
<400> 460
aagtgagttg aaatgaaata tgtt                                        24
<210> 461
<211> 24
<212> DNA
<213> Artificial Sequence
<220> 
<223> Description of Artificial Sequence:Artificially
Synthesized DNA Sequence
<400> 461
gttagaaatg aaatgagtag ttat                                        24
<210> 462
<211> 24
<212> DNA
<213> Artificial Sequence
<220> 
<223> Description of Artificial Sequence:Artificially
Synthesized DNA Sequence
<400> 462
taagtattgt atttgtgtgt gtat                                        24
<210> 463
<211> 24
<212> DNA
<213> Artificial Sequence
<220> 
<223> Description of Artificial Sequence:Artificially
Synthesized DNA Sequence
<400> 463
tgtattagta aagaagagag aata                                        24
<210> 464
<211> 24
<212> DNA
<213> Artificial Sequence
<220> 
<223> Description of Artificial Sequence:Artificially
Synthesized DNA Sequence
<400> 464
gagaagagaa ataagttgaa ataa                                        24
<210> 465
<211> 24
<212> DNA
<213> Artificial Sequence
<220> 
<223> Description of Artificial Sequence:Artificially
Synthesized DNA Sequence
<400> 465
gtaaagtaga aatagaattg agtt                                        24
<210> 466
<211> 24
<212> DNA
<213> Artificial Sequence
<220> 
<223> Description of Artificial Sequence:Artificially
Synthesized DNA Sequence
<400> 466
gtgtgttatt tgtttgtaaa gtat                                        24
<210> 467
<211> 24
<212> DNA
<213> Artificial Sequence
<220> 
<223> Description of Artificial Sequence:Artificially
Synthesized DNA Sequence
<400> 467
tttgatgtat gaatatagta tgag                                        24
<210> 468
<211> 24
<212> DNA
<213> Artificial Sequence
<220> 
<223> Description of Artificial Sequence:Artificially
Synthesized DNA Sequence
<400> 468
aagattgtgt gaatagttga aatt                                        24
<210> 469
<211> 24
<212> DNA
<213> Artificial Sequence
<220> 
<223> Description of Artificial Sequence:Artificially
Synthesized DNA Sequence
<400> 469
tataaagttt gaagatgagt gata                                        24
<210> 470
<211> 24
<212> DNA
<213> Artificial Sequence
<220> 
<223> Description of Artificial Sequence:Artificially
Synthesized DNA Sequence
<400> 470
agataaagag atttaagatg tatg                                        24
<210> 471
<211> 24
<212> DNA
<213> Artificial Sequence
<220> 
<223> Description of Artificial Sequence:Artificially
Synthesized DNA Sequence
<400> 471
gaagaattaa gttgagaatt aaga                                        24
<210> 472
<211> 24
<212> DNA
<213> Artificial Sequence
<220> 
<223> Description of Artificial Sequence:Artificially
Synthesized DNA Sequence
<400> 472
tagagaaatt tgataaagaa agag                                        24
<210> 473
<211> 24
<212> DNA
<213> Artificial Sequence
<220> 
<223> Description of Artificial Sequence:Artificially
Synthesized DNA Sequence
<400> 473
aaagtttatg aagttattga gtag                                        24
<210> 474
<211> 24
<212> DNA
<213> Artificial Sequence
<220> 
<223> Description of Artificial Sequence:Artificially
Synthesized DNA Sequence
<400> 474
aaatagtgta agtaaagaga tgat                                        24
<210> 475
<211> 24
<212> DNA
<213> Artificial Sequence
<220> 
<223> Description of Artificial Sequence:Artificially
Synthesized DNA Sequence
<400> 475
tatgatgatt tagttataag agtg                                        24
<210> 476
<211> 24
<212> DNA
<213> Artificial Sequence
<220> 
<223> Description of Artificial Sequence:Artificially
Synthesized DNA Sequence
<400> 476
tagataaatg ttatgatgag taag                                        24
<210> 477
<211> 24
<212> DNA
<213> Artificial Sequence
<220> 
<223> Description of Artificial Sequence:Artificially
Synthesized DNA Sequence
<400> 477
agattgattg tgatgatttg tata                                        24
<210> 478
<211> 24
<212> DNA
<213> Artificial Sequence
<220> 
<223> Description of Artificial Sequence:Artificially
Synthesized DNA Sequence
<400> 478
ttaagaagaa ttgtatatga gagt                                        24
<210> 479
<211> 24
<212> DNA
<213> Artificial Sequence
<220> 
<223> Description of Artificial Sequence:Artificially
Synthesized DNA Sequence
<400> 479
gtagaatgtt tagagttgaa tata                                        24
<210> 480
<211> 24
<212> DNA
<213> Artificial Sequence
<220> 
<223> Description of Artificial Sequence:Artificially
Synthesized DNA Sequence
<400> 480
gagaaatagt aagaagtaaa taga                                        24
<210> 481
<211> 24
<212> DNA
<213> Artificial Sequence
<220> 
<223> Description of Artificial Sequence:Artificially
Synthesized DNA Sequence
<400> 481
attgaagttg ttatgtgaag attt                                        24
<210> 482
<211> 24
<212> DNA
<213> Artificial Sequence
<220> 
<223> Description of Artificial Sequence:Artificially
Synthesized DNA Sequence
<400> 482
taaatgttgt gtagagtaat taga                                        24
<210> 483
<211> 24
<212> DNA
<213> Artificial Sequence
<220> 
<223> Description of Artificial Sequence:Artificially
Synthesized DNA Sequence
<400> 483
aaataagagt ttgagaagtt gttt                                        24
<210> 484
<211> 24
<212> DNA
<213> Artificial Sequence
<220> 
<223> Description of Artificial Sequence:Artificially
Synthesized DNA Sequence
<400> 484
agttgtaata agaagtgatt taag                                        24
<210> 485
<211> 24
<212> DNA
<213> Artificial Sequence
<220> 
<223> Description of Artificial Sequence:Artificially
Synthesized DNA Sequence
<400> 485
gttagaatgt atatagagtt agat                                        24
<210> 486
<211> 24
<212> DNA
<213> Artificial Sequence
<220> 
<223> Description of Artificial Sequence:Artificially
Synthesized DNA Sequence
<400> 486
ttgatattga aagagaaagt tatg                                        24
<210> 487
<211> 24
<212> DNA
<213> Artificial Sequence
<220> 
<223> Description of Artificial Sequence:Artificially
Synthesized DNA Sequence
<400> 487
ttaaagagag aaatgtttga ttag                                        24
<210> 488
<211> 24
<212> DNA
<213> Artificial Sequence
<220> 
<223> Description of Artificial Sequence:Artificially
Synthesized DNA Sequence
<400> 488
tgtgaatttg agtattagta agaa                                        24
<210> 489
<211> 24
<212> DNA
<213> Artificial Sequence
<220> 
<223> Description of Artificial Sequence:Artificially
Synthesized DNA Sequence
<400> 489
taatttgaat gtgaaagttg ttag                                        24
<210> 490
<211> 24
<212> DNA
<213> Artificial Sequence
<220> 
<223> Description of Artificial Sequence:Artificially
Synthesized DNA Sequence
<400> 490
atgtgtttga aagatgatga ttta                                        24
<210> 491
<211> 24
<212> DNA
<213> Artificial Sequence
<220> 
<223> Description of Artificial Sequence:Artificially
Synthesized DNA Sequence
<400> 491
aagttatgtt gatattgagt gaaa                                        24
<210> 492
<211> 24
<212> DNA
<213> Artificial Sequence
<220> 
<223> Description of Artificial Sequence:Artificially
Synthesized DNA Sequence
<400> 492
tagataaaga agatagagat ttag                                        24
<210> 493
<211> 24
<212> DNA
<213> Artificial Sequence
<220> 
<223> Description of Artificial Sequence:Artificially
Synthesized DNA Sequence
<400> 493
gatgaatgta gatatatgta atga                                        24
<210> 494
<211> 24
<212> DNA
<213> Artificial Sequence
<220> 
<223> Description of Artificial Sequence:Artificially
Synthesized DNA Sequence
<400> 494
gaagaatagt ttatgtaaat gatg                                        24
<210> 495
<211> 24
<212> DNA
<213> Artificial Sequence
<220> 
<223> Description of Artificial Sequence:Artificially
Synthesized DNA Sequence
<400> 495
gtagtatata gttaaagatg agtt                                        24
<210> 496
<211> 24
<212> DNA
<213> Artificial Sequence
<220> 
<223> Description of Artificial Sequence:Artificially
Synthesized DNA Sequence
<400> 496
gttatttgtg tatgattatg attg                                        24
<210> 497
<211> 24
<212> DNA
<213> Artificial Sequence
<220> 
<223> Description of Artificial Sequence:Artificially
Synthesized DNA Sequence
<400> 497
agagattaga aattgagaga atta                                        24
<210> 498
<211> 24
<212> DNA
<213> Artificial Sequence
<220> 
<223> Description of Artificial Sequence:Artificially
Synthesized DNA Sequence
<400> 498
gtatgataga gtttatagtg ataa                                        24
<210> 499
<211> 24
<212> DNA
<213> Artificial Sequence
<220> 
<223> Description of Artificial Sequence:Artificially
Synthesized DNA Sequence
<400> 499
gttagaaaga atgaaattga agta                                        24
<210> 500
<211> 24
<212> DNA
<213> Artificial Sequence
<220> 
<223> Description of Artificial Sequence:Artificially
Synthesized DNA Sequence
<400> 500
aagaatgaga atatagagat gaat                                        24
<210> 501
<211> 24
<212> DNA
<213> Artificial Sequence
<220> 
<223> Description of Artificial Sequence:Artificially
Synthesized DNA Sequence
<400> 501
aaagagaata gtgtttaaga agat                                        24
<210> 502
<211> 24
<212> DNA
<213> Artificial Sequence
<220> 
<223> Description of Artificial Sequence:Artificially
Synthesized DNA Sequence
<400> 502
gatgtgttat tgatagaaat taga                                        24
<210> 503
<211> 24
<212> DNA
<213> Artificial Sequence
<220> 
<223> Description of Artificial Sequence:Artificially
Synthesized DNA Sequence
<400> 503
tagagttata gagatattgt atga                                        24
<210> 504
<211> 24
<212> DNA
<213> Artificial Sequence
<220> 
<223> Description of Artificial Sequence:Artificially
Synthesized DNA Sequence
<400> 504
gagagttgaa taagttaaag atat                                        24
<210> 505
<211> 24
<212> DNA
<213> Artificial Sequence
<220> 
<223> Description of Artificial Sequence:Artificially
Synthesized DNA Sequence
<400> 505
agatatgaaa tagattgtta gaga                                        24
<210> 506
<211> 24
<212> DNA
<213> Artificial Sequence
<220> 
<223> Description of Artificial Sequence:Artificially
Synthesized DNA Sequence
<400> 506
gagtgaatag aaagatatgt taat                                        24
<210> 507
<211> 24
<212> DNA
<213> Artificial Sequence
<220> 
<223> Description of Artificial Sequence:Artificially
Synthesized DNA Sequence
<400> 507
aaagagatat tgaagagaat aaag                                        24
<210> 508
<211> 24
<212> DNA
<213> Artificial Sequence
<220> 
<223> Description of Artificial Sequence:Artificially
Synthesized DNA Sequence
<400> 508
gttatagaat aagttgtaaa gtgt                                        24
<210> 509
<211> 24
<212> DNA
<213> Artificial Sequence
<220> 
<223> Description of Artificial Sequence:Artificially
Synthesized DNA Sequence
<400> 509
tgatagtatg ataatgtgtt tatg                                        24
<210> 510
<211> 24
<212> DNA
<213> Artificial Sequence
<220> 
<223> Description of Artificial Sequence:Artificially
Synthesized DNA Sequence
<400> 510
tttgttgtta agtatgtgat ttag                                        24
<210> 511
<211> 24
<212> DNA
<213> Artificial Sequence
<220> 
<223> Description of Artificial Sequence:Artificially
Synthesized DNA Sequence
<400> 511
taaagtgttg tgttaaagat taag                                        24
<210> 512
<211> 24
<212> DNA
<213> Artificial Sequence
<220> 
<223> Description of Artificial Sequence:Artificially
Synthesized DNA Sequence
<400> 512
tgtgtttgat tgattaatgt tatg                                        24
<210> 513
<211> 24
<212> DNA
<213> Artificial Sequence
<220> 
<223> Description of Artificial Sequence:Artificially
Synthesized DNA Sequence
<400> 513
attaatgaat gagtgttgta atgt                                        24
<210> 514
<211> 24
<212> DNA
<213> Artificial Sequence
<220> 
<223> Description of Artificial Sequence:Artificially
Synthesized DNA Sequence
<400> 514
tagatgtttg tgagtttgat atta                                        24
<210> 515
<211> 24
<212> DNA
<213> Artificial Sequence
<220> 
<223> Description of Artificial Sequence:Artificially
Synthesized DNA Sequence
<400> 515
gaatgaatag taatagatga tttg                                        24
<210> 516
<211> 24
<212> DNA
<213> Artificial Sequence
<220> 
<223> Description of Artificial Sequence:Artificially
Synthesized DNA Sequence
<400> 516
aatagtgtgt tgttatatga ttag                                        24
<210> 517
<211> 24
<212> DNA
<213> Artificial Sequence
<220> 
<223> Description of Artificial Sequence:Artificially
Synthesized DNA Sequence
<400> 517
tagattagaa gatgttgtgt atta                                        24
<210> 518
<211> 24
<212> DNA
<213> Artificial Sequence
<220> 
<223> Description of Artificial Sequence:Artificially
Synthesized DNA Sequence
<400> 518
aatgtgtgtg ttaaatgaat ttgt                                        24
<210> 519
<211> 24
<212> DNA
<213> Artificial Sequence
<220> 
<223> Description of Artificial Sequence:Artificially
Synthesized DNA Sequence
<400> 519
gaattaagta tatgagtgta gaaa                                        24
<210> 520
<211> 24
<212> DNA
<213> Artificial Sequence
<220> 
<223> Description of Artificial Sequence:Artificially
Synthesized DNA Sequence
<400> 520
ttattgtgtg taagtagtgt aaat                                        24
<210> 521
<211> 24
<212> DNA
<213> Artificial Sequence
<220> 
<223> Description of Artificial Sequence:Artificially
Synthesized DNA Sequence
<400> 521
gtagtaaaga gaattgttta gtat                                        24
<210> 522
<211> 24
<212> DNA
<213> Artificial Sequence
<220> 
<223> Description of Artificial Sequence:Artificially
Synthesized DNA Sequence
<400> 522
aagtttgtaa gaagtagttg aata                                        24
<210> 523
<211> 24
<212> DNA
<213> Artificial Sequence
<220> 
<223> Description of Artificial Sequence:Artificially
Synthesized DNA Sequence
<400> 523
agttatagta tagtagtata gaga                                        24
<210> 524
<211> 24
<212> DNA
<213> Artificial Sequence
<220> 
<223> Description of Artificial Sequence:Artificially
Synthesized DNA Sequence
<400> 524
gaaagaaatg tgtatagttt aatg                                        24
<210> 525
<211> 24
<212> DNA
<213> Artificial Sequence
<220> 
<223> Description of Artificial Sequence:Artificially
Synthesized DNA Sequence
<400> 525
ttgtgagtaa tgaatgatgt atta                                        24
<210> 526
<211> 24
<212> DNA
<213> Artificial Sequence
<220> 
<223> Description of Artificial Sequence:Artificially
Synthesized DNA Sequence
<400> 526
gtagagttgt aaatagagaa taaa                                        24
<210> 527
<211> 24
<212> DNA
<213> Artificial Sequence
<220> 
<223> Description of Artificial Sequence:Artificially
Synthesized DNA Sequence
<400> 527
attaatgtag attgtaagag atag                                        24
<210> 528
<211> 24
<212> DNA
<213> Artificial Sequence
<220> 
<223> Description of Artificial Sequence:Artificially
Synthesized DNA Sequence
<400> 528
ttagtgtgtt tgtagataga atta                                        24
<210> 529
<211> 24
<212> DNA
<213> Artificial Sequence
<220> 
<223> Description of Artificial Sequence:Artificially
Synthesized DNA Sequence
<400> 529
agagagtttg tgtatatgta taaa                                        24
<210> 530
<211> 24
<212> DNA
<213> Artificial Sequence
<220> 
<223> Description of Artificial Sequence:Artificially
Synthesized DNA Sequence
<400> 530
ttaagtttag tgagatttgt taag                                        24
<210> 531
<211> 24
<212> DNA
<213> Artificial Sequence
<220> 
<223> Description of Artificial Sequence:Artificially
Synthesized DNA Sequence
<400> 531
atgaagttta ttgaatagta gtga                                        24
<210> 532
<211> 24
<212> DNA
<213> Artificial Sequence
<220> 
<223> Description of Artificial Sequence:Artificially
Synthesized DNA Sequence
<400> 532
atatttgtgt tgtatgtttg tgaa                                        24
<210> 533
<211> 24
<212> DNA
<213> Artificial Sequence
<220> 
<223> Description of Artificial Sequence:Artificially
Synthesized DNA Sequence
<400> 533
aaagtgttta tagaagattt gatg                                        24
<210> 534
<211> 24
<212> DNA
<213> Artificial Sequence
<220> 
<223> Description of Artificial Sequence:Artificially
Synthesized DNA Sequence
<400> 534
aagagatatg atttgttagt tgta                                        24
<210> 535
<211> 24
<212> DNA
<213> Artificial Sequence
<220> 
<223> Description of Artificial Sequence:Artificially
Synthesized DNA Sequence
<400> 535
aagaagaaat gagtgataat gtaa                                        24
<210> 536
<211> 24
<212> DNA
<213> Artificial Sequence
<220> 
<223> Description of Artificial Sequence:Artificially
Synthesized DNA Sequence
<400> 536
tagtgtttga tatgttaaga agtt                                        24
<210> 537
<211> 24
<212> DNA
<213> Artificial Sequence
<220> 
<223> Description of Artificial Sequence:Artificially
Synthesized DNA Sequence
<400> 537
gtagaaagtg atagattagt aata                                        24
<210> 538
<211> 24
<212> DNA
<213> Artificial Sequence
<220> 
<223> Description of Artificial Sequence:Artificially
Synthesized DNA Sequence
<400> 538
gataaatgtt aagttagtat gatg                                        24
<210> 539
<211> 24
<212> DNA
<213> Artificial Sequence
<220> 
<223> Description of Artificial Sequence:Artificially
Synthesized DNA Sequence
<400> 539
agattagaag aattgtttag aatg                                        24
<210> 540
<211> 24
<212> DNA
<213> Artificial Sequence
<220> 
<223> Description of Artificial Sequence:Artificially
Synthesized DNA Sequence
<400> 540
atatttgaga agtgtgaaat gaat                                        24
<210> 541
<211> 24
<212> DNA
<213> Artificial Sequence
<220> 
<223> Description of Artificial Sequence:Artificially
Synthesized DNA Sequence
<400> 541
tgagtaaata gtttatgagt agta                                        24
<210> 542
<211> 24
<212> DNA
<213> Artificial Sequence
<220> 
<223> Description of Artificial Sequence:Artificially
Synthesized DNA Sequence
<400> 542
ttagagagta gataaagatt tgat                                        24
<210> 543
<211> 24
<212> DNA
<213> Artificial Sequence
<220> 
<223> Description of Artificial Sequence:Artificially
Synthesized DNA Sequence
<400> 543
attgtttaag ttgttgataa gatg                                        24
<210> 544
<211> 24
<212> DNA
<213> Artificial Sequence
<220> 
<223> Description of Artificial Sequence:Artificially
Synthesized DNA Sequence
<400> 544
gttgtaaagt taaagtgtga attt                                        24
<210> 545
<211> 24
<212> DNA
<213> Artificial Sequence
<220> 
<223> Description of Artificial Sequence:Artificially
Synthesized DNA Sequence
<400> 545
atagattgtg tgtttgttat agta                                        24
<210> 546
<211> 24
<212> DNA
<213> Artificial Sequence
<220> 
<223> Description of Artificial Sequence:Artificially
Synthesized DNA Sequence
<400> 546
gtaagttatt gagaatgata atag                                        24
<210> 547
<211> 24
<212> DNA
<213> Artificial Sequence
<220> 
<223> Description of Artificial Sequence:Artificially
Synthesized DNA Sequence
<400> 547
tagattagtt gataagtgtg taat                                        24
<210> 548
<211> 24
<212> DNA
<213> Artificial Sequence
<220> 
<223> Description of Artificial Sequence:Artificially
Synthesized DNA Sequence
<400> 548
aaatgtaaat gaagagtgtt tgtt                                        24
<210> 549
<211> 24
<212> DNA
<213> Artificial Sequence
<220> 
<223> Description of Artificial Sequence:Artificially
Synthesized DNA Sequence
<400> 549
gatagaagaa atgtatatag tgat                                        24
<210> 550
<211> 24
<212> DNA
<213> Artificial Sequence
<220> 
<223> Description of Artificial Sequence:Artificially
Synthesized DNA Sequence
<400> 550
tatagagtgt atgttatgat aaag                                        24
<210> 551
<211> 24
<212> DNA
<213> Artificial Sequence
<220> 
<223> Description of Artificial Sequence:Artificially
Synthesized DNA Sequence
<400> 551
tatgaagtga taagatgaag aatt                                        24
<210> 552
<211> 24
<212> DNA
<213> Artificial Sequence
<220> 
<223> Description of Artificial Sequence:Artificially
Synthesized DNA Sequence
<400> 552
tgttgagaat agtaagagaa ttta                                        24
<210> 553
<211> 24
<212> DNA
<213> Artificial Sequence
<220> 
<223> Description of Artificial Sequence:Artificially
Synthesized DNA Sequence
<400> 553
tagataatgt gaagtaataa gtga                                        24
<210> 554
<211> 24
<212> DNA
<213> Artificial Sequence
<220> 
<223> Description of Artificial Sequence:Artificially
Synthesized DNA Sequence
<400> 554
gtattatgat gatagtagta agta                                        24
<210> 555
<211> 24
<212> DNA
<213> Artificial Sequence
<220> 
<223> Description of Artificial Sequence:Artificially
Synthesized DNA Sequence
<400> 555
agatatgatt tagtattgaa tgtg                                        24
<210> 556
<211> 24
<212> DNA
<213> Artificial Sequence
<220> 
<223> Description of Artificial Sequence:Artificially
Synthesized DNA Sequence
<400> 556
aattaagttt gtagagtgat ttga                                        24
<210> 557
<211> 24
<212> DNA
<213> Artificial Sequence
<220> 
<223> Description of Artificial Sequence:Artificially
Synthesized DNA Sequence
<400> 557
aagaaataga tgtagtaaga tgtt                                        24
<210> 558
<211> 24
<212> DNA
<213> Artificial Sequence
<220> 
<223> Description of Artificial Sequence:Artificially
Synthesized DNA Sequence
<400> 558
ttgagaagtt gttgtaataa gaat                                        24
<210> 559
<211> 24
<212> DNA
<213> Artificial Sequence
<220> 
<223> Description of Artificial Sequence:Artificially
Synthesized DNA Sequence
<400> 559
agtgtgaaat agtgaaagtt taaa                                        24
<210> 560
<211> 24
<212> DNA
<213> Artificial Sequence
<220> 
<223> Description of Artificial Sequence:Artificially
Synthesized DNA Sequence
<400> 560
tttatgtagt agatttatgt gaag                                        24
<210> 561
<211> 24
<212> DNA
<213> Artificial Sequence
<220> 
<223> Description of Artificial Sequence:Artificially
Synthesized DNA Sequence
<400> 561
attaatgaga aattagtgtg ttag                                        24
<210> 562
<211> 24
<212> DNA
<213> Artificial Sequence
<220> 
<223> Description of Artificial Sequence:Artificially
Synthesized DNA Sequence
<400> 562
atgttaatag tgatagtaaa gtga                                        24
<210> 563
<211> 24
<212> DNA
<213> Artificial Sequence
<220> 
<223> Description of Artificial Sequence:Artificially
Synthesized DNA Sequence
<400> 563
tatgttgata aatgattatg agtg                                        24
<210> 564
<211> 24
<212> DNA
<213> Artificial Sequence
<220> 
<223> Description of Artificial Sequence:Artificially
Synthesized DNA Sequence
<400> 564
ttattagagt tgtgtgtgat atat                                        24
<210> 565
<211> 24
<212> DNA
<213> Artificial Sequence
<220> 
<223> Description of Artificial Sequence:Artificially
Synthesized DNA Sequence
<400> 565
tgttgttatg attgagttag aata                                        24
<210> 566
<211> 24
<212> DNA
<213> Artificial Sequence
<220> 
<223> Description of Artificial Sequence:Artificially
Synthesized DNA Sequence
<400> 566
aatttgagtt aagaagaagt gtaa                                        24
<210> 567
<211> 24
<212> DNA
<213> Artificial Sequence
<220> 
<223> Description of Artificial Sequence:Artificially
Synthesized DNA Sequence
<400> 567
aaagataaag ttaagtgttt gtag                                        24
<210> 568
<211> 24
<212> DNA
<213> Artificial Sequence
<220> 
<223> Description of Artificial Sequence:Artificially
Synthesized DNA Sequence
<400> 568
tgttgagatg atattgtata agtt                                        24
<210> 569
<211> 24
<212> DNA
<213> Artificial Sequence
<220> 
<223> Description of Artificial Sequence:Artificially
Synthesized DNA Sequence
<400> 569
taaatagtga atgagttata gagt                                        24
<210> 570
<211> 24
<212> DNA
<213> Artificial Sequence
<220> 
<223> Description of Artificial Sequence:Artificially
Synthesized DNA Sequence
<400> 570
atagatgtta tgatagttag ttag                                        24
<210> 571
<211> 24
<212> DNA
<213> Artificial Sequence
<220> 
<223> Description of Artificial Sequence:Artificially
Synthesized DNA Sequence
<400> 571
gttaagtgaa gatatgtatt gtta                                        24
<210> 572
<211> 24
<212> DNA
<213> Artificial Sequence
<220> 
<223> Description of Artificial Sequence:Artificially
Synthesized DNA Sequence
<400> 572
taagaaagta aagtttgtag atgt                                        24
<210> 573
<211> 24
<212> DNA
<213> Artificial Sequence
<220> 
<223> Description of Artificial Sequence:Artificially
Synthesized DNA Sequence
<400> 573
aagagaaagt ttgattgaat aaag                                        24
<210> 574
<211> 24
<212> DNA
<213> Artificial Sequence
<220> 
<223> Description of Artificial Sequence:Artificially
Synthesized DNA Sequence
<400> 574
atattagatg tgagttatat gtgt                                        24
<210> 575
<211> 24
<212> DNA
<213> Artificial Sequence
<220> 
<223> Description of Artificial Sequence:Artificially
Synthesized DNA Sequence
<400> 575
agtttgagtt tagtattgtg aata                                        24
<210> 576
<211> 24
<212> DNA
<213> Artificial Sequence
<220> 
<223> Description of Artificial Sequence:Artificially
Synthesized DNA Sequence
<400> 576
atgttaaatg agagattgtg tata                                        24
<210> 577
<211> 24
<212> DNA
<213> Artificial Sequence
<220> 
<223> Description of Artificial Sequence:Artificially
Synthesized DNA Sequence
<400> 577
taaatgttgt gattattgtg agat                                        24
<210> 578
<211> 24
<212> DNA
<213> Artificial Sequence
<220> 
<223> Description of Artificial Sequence:Artificially
Synthesized DNA Sequence
<400> 578
taagaattga agtaagagtt attg                                        24
<210> 579
<211> 24
<212> DNA
<213> Artificial Sequence
<220> 
<223> Description of Artificial Sequence:Artificially
Synthesized DNA Sequence
<400> 579
agagatagaa ttaagtttgt tgat                                        24
<210> 580
<211> 24
<212> DNA
<213> Artificial Sequence
<220> 
<223> Description of Artificial Sequence:Artificially
Synthesized DNA Sequence
<400> 580
gaagaatgtt aagaaatatg taag                                        24
<210> 581
<211> 24
<212> DNA
<213> Artificial Sequence
<220> 
<223> Description of Artificial Sequence:Artificially
Synthesized DNA Sequence
<400> 581
tatttgtgat taagaagttg agaa                                        24
<210> 582
<211> 24
<212> DNA
<213> Artificial Sequence
<220> 
<223> Description of Artificial Sequence:Artificially
Synthesized DNA Sequence
<400> 582
agttagaatt tgtgtagtag aatt                                        24
<210> 583
<211> 24
<212> DNA
<213> Artificial Sequence
<220> 
<223> Description of Artificial Sequence:Artificially
Synthesized DNA Sequence
<400> 583
aagtttattg ttgatgttgt attg                                        24
<210> 584
<211> 24
<212> DNA
<213> Artificial Sequence
<220> 
<223> Description of Artificial Sequence:Artificially
Synthesized DNA Sequence
<400> 584
gaatgagttt aagagtttat agta                                        24
<210> 585
<211> 24
<212> DNA
<213> Artificial Sequence
<220> 
<223> Description of Artificial Sequence:Artificially
Synthesized DNA Sequence
<400> 585
agtgaagatt gtatgtagta taaa                                        24
<210> 586
<211> 24
<212> DNA
<213> Artificial Sequence
<220> 
<223> Description of Artificial Sequence:Artificially
Synthesized DNA Sequence
<400> 586
agttgaaatg agtattaagt aatg                                        24
<210> 587
<211> 24
<212> DNA
<213> Artificial Sequence
<220> 
<223> Description of Artificial Sequence:Artificially
Synthesized DNA Sequence
<400> 587
atgtgttatt tgagatgagt aatt                                        24
<210> 588
<211> 24
<212> DNA
<213> Artificial Sequence
<220> 
<223> Description of Artificial Sequence:Artificially
Synthesized DNA Sequence
<400> 588
aaatagtgtt gttgaagttg ttat                                        24
<210> 589
<211> 24
<212> DNA
<213> Artificial Sequence
<220> 
<223> Description of Artificial Sequence:Artificially
Synthesized DNA Sequence
<400> 589
gtagagaaag atatatgtag ttta                                        24
<210> 590
<211> 24
<212> DNA
<213> Artificial Sequence
<220> 
<223> Description of Artificial Sequence:Artificially
Synthesized DNA Sequence
<400> 590
gagagtattt gatgaatgat tata                                        24
<210> 591
<211> 24
<212> DNA
<213> Artificial Sequence
<220> 
<223> Description of Artificial Sequence:Artificially
Synthesized DNA Sequence
<400> 591
gagtataagt ttagtgtata ttga                                        24
<210> 592
<211> 24
<212> DNA
<213> Artificial Sequence
<220> 
<223> Description of Artificial Sequence:Artificially
Synthesized DNA Sequence
<400> 592
ataatgtgat tattgattga gaga                                        24
<210> 593
<211> 24
<212> DNA
<213> Artificial Sequence
<220> 
<223> Description of Artificial Sequence:Artificially
Synthesized DNA Sequence
<400> 593
ttagttgtta tgtgagagta ataa                                        24
<210> 594
<211> 24
<212> DNA
<213> Artificial Sequence
<220> 
<223> Description of Artificial Sequence:Artificially
Synthesized DNA Sequence
<400> 594
aaatgagtat attgaattgt gatg                                        24
<210> 595
<211> 24
<212> DNA
<213> Artificial Sequence
<220> 
<223> Description of Artificial Sequence:Artificially
Synthesized DNA Sequence
<400> 595
aattagaagt aagtagagtt taag                                        24
<210> 596
<211> 24
<212> DNA
<213> Artificial Sequence
<220> 
<223> Description of Artificial Sequence:Artificially
Synthesized DNA Sequence
<400> 596
tgtaagttta aagtaagaaa tgtg                                        24
<210> 597
<211> 24
<212> DNA
<213> Artificial Sequence
<220> 
<223> Description of Artificial Sequence:Artificially
Synthesized DNA Sequence
<400> 597
gaaatgataa gttgatataa gaag                                        24
<210> 598
<211> 24
<212> DNA
<213> Artificial Sequence
<220> 
<223> Description of Artificial Sequence:Artificially
Synthesized DNA Sequence
<400> 598
aatgagtagt ttgtatttga gttt                                        24
<210> 599
<211> 24
<212> DNA
<213> Artificial Sequence
<220> 
<223> Description of Artificial Sequence:Artificially
Synthesized DNA Sequence
<400> 599
agtgaatgta agattatgta tttg                                        24
<210> 600
<211> 24
<212> DNA
<213> Artificial Sequence
<220> 
<223> Description of Artificial Sequence:Artificially
Synthesized DNA Sequence
<400> 600
gtaattgaat tgaaagataa gtgt                                        24
<210> 601
<211> 24
<212> DNA
<213> Artificial Sequence
<220> 
<223> Description of Artificial Sequence:Artificially
Synthesized DNA Sequence
<400> 601
tatgtttaag tagtgaaata gagt                                        24
<210> 602
<211> 24
<212> DNA
<213> Artificial Sequence
<220> 
<223> Description of Artificial Sequence:Artificially
Synthesized DNA Sequence
<400> 602
gtattgaaat tgaattagaa gtag                                        24
<210> 603
<211> 24
<212> DNA
<213> Artificial Sequence
<220> 
<223> Description of Artificial Sequence:Artificially
Synthesized DNA Sequence
<400> 603
aatatgtaat gtagttgaaa gtga                                        24
<210> 604
<211> 24
<212> DNA
<213> Artificial Sequence
<220> 
<223> Description of Artificial Sequence:Artificially
Synthesized DNA Sequence
<400> 604
tgaatattga gaattatgag agtt                                        24
<210> 605
<211> 24
<212> DNA
<213> Artificial Sequence
<220> 
<223> Description of Artificial Sequence:Artificially
Synthesized DNA Sequence
<400> 605
tagtgtaaat gatgaagaaa gtat                                        24
<210> 606
<211> 24
<212> DNA
<213> Artificial Sequence
<220> 
<223> Description of Artificial Sequence:Artificially
Synthesized DNA Sequence
<400> 606
gtatgtgtaa agaaatttga tgta                                        24
<210> 607
<211> 24
<212> DNA
<213> Artificial Sequence
<220> 
<223> Description of Artificial Sequence:Artificially
Synthesized DNA Sequence
<400> 607
aattgtttga aagtttgttg agaa                                        24
<210> 608
<211> 24
<212> DNA
<213> Artificial Sequence
<220> 
<223> Description of Artificial Sequence:Artificially
Synthesized DNA Sequence
<400> 608
aattgtttga gtagtattag tagt                                        24
<210> 609
<211> 24
<212> DNA
<213> Artificial Sequence
<220> 
<223> Description of Artificial Sequence:Artificially
Synthesized DNA Sequence
<400> 609
taattgagtt tgaataagag agtt                                        24
<210> 610
<211> 24
<212> DNA
<213> Artificial Sequence
<220> 
<223> Description of Artificial Sequence:Artificially
Synthesized DNA Sequence
<400> 610
tgttgattgt aagtgtttat tgtt                                        24
<210> 611
<211> 24
<212> DNA
<213> Artificial Sequence
<220> 
<223> Description of Artificial Sequence:Artificially
Synthesized DNA Sequence
<400> 611
gaaatttgtg agtatgtatt tgaa                                        24
<210> 612
<211> 24
<212> DNA
<213> Artificial Sequence
<220> 
<223> Description of Artificial Sequence:Artificially
Synthesized DNA Sequence
<400> 612
taagaatgaa tgtgaagtga atat                                        24
<210> 613
<211> 24
<212> DNA
<213> Artificial Sequence
<220> 
<223> Description of Artificial Sequence:Artificially
Synthesized DNA Sequence
<400> 613
taatgtgaag tttgtgaaag atat                                        24
<210> 614
<211> 24
<212> DNA
<213> Artificial Sequence
<220> 
<223> Description of Artificial Sequence:Artificially
Synthesized DNA Sequence
<400> 614
ttgtatatga aagtaagaag aagt                                        24
<210> 615
<211> 24
<212> DNA
<213> Artificial Sequence
<220> 
<223> Description of Artificial Sequence:Artificially
Synthesized DNA Sequence
<400> 615
tagagagaag aagaaataag aata                                        24
<210> 616
<211> 24
<212> DNA
<213> Artificial Sequence
<220> 
<223> Description of Artificial Sequence:Artificially
Synthesized DNA Sequence
<400> 616
atttgaaatg ttaatgagag agat                                        24
<210> 617
<211> 24
<212> DNA
<213> Artificial Sequence
<220> 
<223> Description of Artificial Sequence:Artificially
Synthesized DNA Sequence
<400> 617
ttgtgtgtat atagtattag aatg                                        24
<210> 618
<211> 24
<212> DNA
<213> Artificial Sequence
<220> 
<223> Description of Artificial Sequence:Artificially
Synthesized DNA Sequence
<400> 618
attgttagta ttgatgtgaa gtta                                        24
<210> 619
<211> 24
<212> DNA
<213> Artificial Sequence
<220> 
<223> Description of Artificial Sequence:Artificially
Synthesized DNA Sequence
<400> 619
tgtttgtatt tgaatgaaat gaag                                        24
<210> 620
<211> 24
<212> DNA
<213> Artificial Sequence
<220> 
<223> Description of Artificial Sequence:Artificially
Synthesized DNA Sequence
<400> 620
tgttagattg tgttaaatgt agtt                                        24
<210> 621
<211> 24
<212> DNA
<213> Artificial Sequence
<220> 
<223> Description of Artificial Sequence:Artificially
Synthesized DNA Sequence
<400> 621
tatagagtat tgtatagaga gaaa                                        24
<210> 622
<211> 24
<212> DNA
<213> Artificial Sequence
<220> 
<223> Description of Artificial Sequence:Artificially
Synthesized DNA Sequence
<400> 622
aaatagtaag aatgtagttg ttga                                        24
<210> 623
<211> 24
<212> DNA
<213> Artificial Sequence
<220> 
<223> Description of Artificial Sequence:Artificially
Synthesized DNA Sequence
<400> 623
tgagtgtgat ttatgattaa gtta                                        24
<210> 624
<211> 24
<212> DNA
<213> Artificial Sequence
<220> 
<223> Description of Artificial Sequence:Artificially
Synthesized DNA Sequence
<400> 624
agaatttgtt gtagtgttat gatt                                        24
<210> 625
<211> 24
<212> DNA
<213> Artificial Sequence
<220> 
<223> Description of Artificial Sequence:Artificially
Synthesized DNA Sequence
<400> 625
gattgaagaa agaaatagtt tgaa                                        24
<210> 626
<211> 24
<212> DNA
<213> Artificial Sequence
<220> 
<223> Description of Artificial Sequence:Artificially
Synthesized DNA Sequence
<400> 626
gataatagag aatagtagag ttaa                                        24
<210> 627
<211> 24
<212> DNA
<213> Artificial Sequence
<220> 
<223> Description of Artificial Sequence:Artificially
Synthesized DNA Sequence
<400> 627
gattgaaatt tgtagttata gtga                                        24
<210> 628
<211> 24
<212> DNA
<213> Artificial Sequence
<220> 
<223> Description of Artificial Sequence:Artificially
Synthesized DNA Sequence
<400> 628
gatttaagaa gatgaataat gtag                                        24
<210> 629
<211> 24
<212> DNA
<213> Artificial Sequence
<220> 
<223> Description of Artificial Sequence:Artificially
Synthesized DNA Sequence
<400> 629
tttgagagaa agtagaataa gata                                        24
<210> 630
<211> 24
<212> DNA
<213> Artificial Sequence
<220> 
<223> Description of Artificial Sequence:Artificially
Synthesized DNA Sequence
<400> 630
gattaagagt aaatgagtat aaga                                        24
<210> 631
<211> 24
<212> DNA
<213> Artificial Sequence
<220> 
<223> Description of Artificial Sequence:Artificially
Synthesized DNA Sequence
<400> 631
tttgatagaa ttgaaatttg agag                                        24
<210> 632
<211> 24
<212> DNA
<213> Artificial Sequence
<220> 
<223> Description of Artificial Sequence:Artificially
Synthesized DNA Sequence
<400> 632
tgaagaagag tgttataaga ttta                                        24
<210> 633
<211> 24
<212> DNA
<213> Artificial Sequence
<220> 
<223> Description of Artificial Sequence:Artificially
Synthesized DNA Sequence
<400> 633
gtgaaatgat ttagagtaat aagt                                        24
<210> 634
<211> 24
<212> DNA
<213> Artificial Sequence
<220> 
<223> Description of Artificial Sequence:Artificially
Synthesized DNA Sequence
<400> 634
aaataagaat agagagagaa agtt                                        24
<210> 635
<211> 24
<212> DNA
<213> Artificial Sequence
<220> 
<223> Description of Artificial Sequence:Artificially
Synthesized DNA Sequence
<400> 635
gttgtaaagt aatagagaaa ttag                                        24
<210> 636
<211> 24
<212> DNA
<213> Artificial Sequence
<220> 
<223> Description of Artificial Sequence:Artificially
Synthesized DNA Sequence
<400> 636
agtgatttag attatgtgat gatt                                        24
<210> 637
<211> 24
<212> DNA
<213> Artificial Sequence
<220> 
<223> Description of Artificial Sequence:Artificially
Synthesized DNA Sequence
<400> 637
agagtatagt ttagatttat gtag                                        24
<210> 638
<211> 24
<212> DNA
<213> Artificial Sequence
<220> 
<223> Description of Artificial Sequence:Artificially
Synthesized DNA Sequence
<400> 638
atgattagat agtgaaattg ttag                                        24
<210> 639
<211> 24
<212> DNA
<213> Artificial Sequence
<220> 
<223> Description of Artificial Sequence:Artificially
Synthesized DNA Sequence
<400> 639
atgaaatgta ttagtttaga gttg                                        24
<210> 640
<211> 24
<212> DNA
<213> Artificial Sequence
<220> 
<223> Description of Artificial Sequence:Artificially
Synthesized DNA Sequence
<400> 640
atattgagtg agagttattg ttaa                                        24
<210> 641
<211> 24
<212> DNA
<213> Artificial Sequence
<220> 
<223> Description of Artificial Sequence:Artificially
Synthesized DNA Sequence
<400> 641
agatgtgtat tgaattaaga agtt                                        24
<210> 642
<211> 24
<212> DNA
<213> Artificial Sequence
<220> 
<223> Description of Artificial Sequence:Artificially
Synthesized DNA Sequence
<400> 642
taatgtgttg atagaataga gata                                        24
<210> 643
<211> 24
<212> DNA
<213> Artificial Sequence
<220> 
<223> Description of Artificial Sequence:Artificially
Synthesized DNA Sequence
<400> 643
aaattagttg aaagtatgag aaag                                        24
<210> 644
<211> 24
<212> DNA
<213> Artificial Sequence
<220> 
<223> Description of Artificial Sequence:Artificially
Synthesized DNA Sequence
<400> 644
tttagagttg aagaaatgtt aatg                                        24
<210> 645
<211> 24
<212> DNA
<213> Artificial Sequence
<220> 
<223> Description of Artificial Sequence:Artificially
Synthesized DNA Sequence
<400> 645
gattgttgat tattgatgaa tttg                                        24
<210> 646
<211> 24
<212> DNA
<213> Artificial Sequence
<220> 
<223> Description of Artificial Sequence:Artificially
Synthesized DNA Sequence
<400> 646
tgttgttgtt gaattgaaga atta                                        24
<210> 647
<211> 24
<212> DNA
<213> Artificial Sequence
<220> 
<223> Description of Artificial Sequence:Artificially
Synthesized DNA Sequence
<400> 647
attaagtaag aattgagagt ttga                                        24
<210> 648
<211> 24
<212> DNA
<213> Artificial Sequence
<220> 
<223> Description of Artificial Sequence:Artificially
Synthesized DNA Sequence
<400> 648
gtatgttgta atgtattaag aaag                                        24
<210> 649
<211> 24
<212> DNA
<213> Artificial Sequence
<220> 
<223> Description of Artificial Sequence:Artificially
Synthesized DNA Sequence
<400> 649
tagttgtgat ttatgtaatg attg                                        24
<210> 650
<211> 24
<212> DNA
<213> Artificial Sequence
<220> 
<223> Description of Artificial Sequence:Artificially
Synthesized DNA Sequence
<400> 650
tgataatgaa agtttataga gaga                                        24
<210> 651
<211> 24
<212> DNA
<213> Artificial Sequence
<220> 
<223> Description of Artificial Sequence:Artificially
Synthesized DNA Sequence
<400> 651
gtaagattgt ttgtatgata agat                                        24
<210> 652
<211> 24
<212> DNA
<213> Artificial Sequence
<220> 
<223> Description of Artificial Sequence:Artificially
Synthesized DNA Sequence
<400> 652
ttgaattaag agtaagatgt ttag                                        24
<210> 653
<211> 24
<212> DNA
<213> Artificial Sequence
<220> 
<223> Description of Artificial Sequence:Artificially
Synthesized DNA Sequence
<400> 653
aagtgtttgt ttagagtaaa gata                                        24
<210> 654
<211> 24
<212> DNA
<213> Artificial Sequence
<220> 
<223> Description of Artificial Sequence:Artificially
Synthesized DNA Sequence
<400> 654
agagagataa agtatagaag ttaa                                        24
<210> 655
<211> 24
<212> DNA
<213> Artificial Sequence
<220> 
<223> Description of Artificial Sequence:Artificially
Synthesized DNA Sequence
<400> 655
attatgaata gttagaaaga gagt                                        24
<210> 656
<211> 24
<212> DNA
<213> Artificial Sequence
<220> 
<223> Description of Artificial Sequence:Artificially
Synthesized DNA Sequence
<400> 656
ttgttgatat tagagaatgt gttt                                        24
<210> 657
<211> 24
<212> DNA
<213> Artificial Sequence
<220> 
<223> Description of Artificial Sequence:Artificially
Synthesized DNA Sequence
<400> 657
tttattgaga gtttgttatt tgtg                                        24
<210> 658
<211> 24
<212> DNA
<213> Artificial Sequence
<220> 
<223> Description of Artificial Sequence:Artificially
Synthesized DNA Sequence
<400> 658
agtgttaaga agttgattat tgat                                        24
<210> 659
<211> 24
<212> DNA
<213> Artificial Sequence
<220> 
<223> Description of Artificial Sequence:Artificially
Synthesized DNA Sequence
<400> 659
gagaaatgat tgaatgttga taat                                        24
<210> 660
<211> 24
<212> DNA
<213> Artificial Sequence
<220> 
<223> Description of Artificial Sequence:Artificially
Synthesized DNA Sequence
<400> 660
gataagtatt agtatgagtg taat                                        24
<210> 661
<211> 24
<212> DNA
<213> Artificial Sequence
<220> 
<223> Description of Artificial Sequence:Artificially
Synthesized DNA Sequence
<400> 661
tttgatttaa gagtgttgaa tgta                                        24
<210> 662
<211> 24
<212> DNA
<213> Artificial Sequence
<220> 
<223> Description of Artificial Sequence:Artificially
Synthesized DNA Sequence
<400> 662
aagttagtaa atagagtaga aaga                                        24
<210> 663
<211> 24
<212> DNA
<213> Artificial Sequence
<220> 
<223> Description of Artificial Sequence:Artificially
Synthesized DNA Sequence
<400> 663
gtaaagtatg aatatgtgaa atgt                                        24
<210> 664
<211> 24
<212> DNA
<213> Artificial Sequence
<220> 
<223> Description of Artificial Sequence:Artificially
Synthesized DNA Sequence
<400> 664
taataagtgt gttgtgaatg taat                                        24
<210> 665
<211> 24
<212> DNA
<213> Artificial Sequence
<220> 
<223> Description of Artificial Sequence:Artificially
Synthesized DNA Sequence
<400> 665
aaagatttag agtagaaaga gaat                                        24
<210> 666
<211> 24
<212> DNA
<213> Artificial Sequence
<220> 
<223> Description of Artificial Sequence:Artificially
Synthesized DNA Sequence
<400> 666
ttagtttgag ttgaaatagt aaag                                        24
<210> 667
<211> 24
<212> DNA
<213> Artificial Sequence
<220> 
<223> Description of Artificial Sequence:Artificially
Synthesized DNA Sequence
<400> 667
taatagtatg agtaagattg aaag                                        24
<210> 668
<211> 24
<212> DNA
<213> Artificial Sequence
<220> 
<223> Description of Artificial Sequence:Artificially
Synthesized DNA Sequence
<400> 668
gaagattaga ttgatgttag ttaa                                        24
<210> 669
<211> 24
<212> DNA
<213> Artificial Sequence
<220> 
<223> Description of Artificial Sequence:Artificially
Synthesized DNA Sequence
<400> 669
taaagagaga agttagtaat agaa                                        24
<210> 670
<211> 24
<212> DNA
<213> Artificial Sequence
<220> 
<223> Description of Artificial Sequence:Artificially
Synthesized DNA Sequence
<400> 670
taagtatgag aaatgatgtg ttat                                        24
<210> 671
<211> 24
<212> DNA
<213> Artificial Sequence
<220> 
<223> Description of Artificial Sequence:Artificially
Synthesized DNA Sequence
<400> 671
gagtttgttt gttagttatt gata                                        24
<210> 672
<211> 24
<212> DNA
<213> Artificial Sequence
<220> 
<223> Description of Artificial Sequence:Artificially
Synthesized DNA Sequence
<400> 672
aagtaaagaa atgttaagag tagt                                        24
<210> 673
<211> 24
<212> DNA
<213> Artificial Sequence
<220> 
<223> Description of Artificial Sequence:Artificially
Synthesized DNA Sequence
<400> 673
atgagaattg ttgttgaaat gtaa                                        24
<210> 674
<211> 24
<212> DNA
<213> Artificial Sequence
<220> 
<223> Description of Artificial Sequence:Artificially
Synthesized DNA Sequence
<400> 674
ttagattaga gtagtagaag aata                                        24
<210> 675
<211> 24
<212> DNA
<213> Artificial Sequence
<220> 
<223> Description of Artificial Sequence:Artificially
Synthesized DNA Sequence
<400> 675
tagtgatgaa gaagttagaa atta                                        24
<210> 676
<211> 24
<212> DNA
<213> Artificial Sequence
<220> 
<223> Description of Artificial Sequence:Artificially
Synthesized DNA Sequence
<400> 676
taatgtagta atgtgatgat aagt                                        24
<210> 677
<211> 24
<212> DNA
<213> Artificial Sequence
<220> 
<223> Description of Artificial Sequence:Artificially
Synthesized DNA Sequence
<400> 677
ttgagaaaga ataagtagtg taaa                                        24
<210> 678
<211> 24
<212> DNA
<213> Artificial Sequence
<220> 
<223> Description of Artificial Sequence:Artificially
Synthesized DNA Sequence
<400> 678
taatgagtga gattatagat tgtt                                        24
<210> 679
<211> 24
<212> DNA
<213> Artificial Sequence
<220> 
<223> Description of Artificial Sequence:Artificially
Synthesized DNA Sequence
<400> 679
gtataagaaa tgtgtgtttg atta                                        24
<210> 680
<211> 24
<212> DNA
<213> Artificial Sequence
<220> 
<223> Description of Artificial Sequence:Artificially
Synthesized DNA Sequence
<400> 680
gtgaatgtgt taatgaagat atat                                        24
<210> 681
<211> 24
<212> DNA
<213> Artificial Sequence
<220> 
<223> Description of Artificial Sequence:Artificially
Synthesized DNA Sequence
<400> 681
gaaagttatt agtagttaaa gatg                                        24
<210> 682
<211> 24
<212> DNA
<213> Artificial Sequence
<220> 
<223> Description of Artificial Sequence:Artificially
Synthesized DNA Sequence
<400> 682
tagaattgtg tttgataagt gata                                        24
<210> 683
<211> 24
<212> DNA
<213> Artificial Sequence
<220> 
<223> Description of Artificial Sequence:Artificially
Synthesized DNA Sequence
<400> 683
tgatttagat tgagagttaa atga                                        24
<210> 684
<211> 24
<212> DNA
<213> Artificial Sequence
<220> 
<223> Description of Artificial Sequence:Artificially
Synthesized DNA Sequence
<400> 684
attattgagt ttgaatgttg atag                                        24
<210> 685
<211> 24
<212> DNA
<213> Artificial Sequence
<220> 
<223> Description of Artificial Sequence:Artificially
Synthesized DNA Sequence
<400> 685
atagtagtta tgtttgattt agtg                                        24
<210> 686
<211> 24
<212> DNA
<213> Artificial Sequence
<220> 
<223> Description of Artificial Sequence:Artificially
Synthesized DNA Sequence
<400> 686
atagaagaag aataaagtta gaga                                        24
<210> 687
<211> 24
<212> DNA
<213> Artificial Sequence
<220> 
<223> Description of Artificial Sequence:Artificially
Synthesized DNA Sequence
<400> 687
gatgttgaaa gtaatgaatt tgta                                        24
<210> 688
<211> 24
<212> DNA
<213> Artificial Sequence
<220> 
<223> Description of Artificial Sequence:Artificially
Synthesized DNA Sequence
<400> 688
gagattgata gtagaaatga taaa                                        24
<210> 689
<211> 24
<212> DNA
<213> Artificial Sequence
<220> 
<223> Description of Artificial Sequence:Artificially
Synthesized DNA Sequence
<400> 689
tgagagaata aagtatgaat ttga                                        24
<210> 690
<211> 24
<212> DNA
<213> Artificial Sequence
<220> 
<223> Description of Artificial Sequence:Artificially
Synthesized DNA Sequence
<400> 690
tataaagatg atgtgaatta gtag                                        24
<210> 691
<211> 24
<212> DNA
<213> Artificial Sequence
<220> 
<223> Description of Artificial Sequence:Artificially
Synthesized DNA Sequence
<400> 691
ttatgtaaga atgtttgaga gaaa                                        24
<210> 692
<211> 24
<212> DNA
<213> Artificial Sequence
<220> 
<223> Description of Artificial Sequence:Artificially
Synthesized DNA Sequence
<400> 692
agtaaatgat gaatgatatg atga                                        24
<210> 693
<211> 24
<212> DNA
<213> Artificial Sequence
<220> 
<223> Description of Artificial Sequence:Artificially
Synthesized DNA Sequence
<400> 693
gaaatttgtg ttaaagttga atga                                        24
<210> 694
<211> 24
<212> DNA
<213> Artificial Sequence
<220> 
<223> Description of Artificial Sequence:Artificially
Synthesized DNA Sequence
<400> 694
gatgaatgat tgtgtttaag tata                                        24
<210> 695
<211> 24
<212> DNA
<213> Artificial Sequence
<220> 
<223> Description of Artificial Sequence:Artificially
Synthesized DNA Sequence
<400> 695
gaaataagtg agagttaatg aaat                                        24
<210> 696
<211> 24
<212> DNA
<213> Artificial Sequence
<220> 
<223> Description of Artificial Sequence:Artificially
Synthesized DNA Sequence
<400> 696
tgttgaaata gttattagtt tgtg                                        24
<210> 697
<211> 24
<212> DNA
<213> Artificial Sequence
<220> 
<223> Description of Artificial Sequence:Artificially
Synthesized DNA Sequence
<400> 697
tttgagagta tattgatatg agaa                                        24
<210> 698
<211> 24
<212> DNA
<213> Artificial Sequence
<220> 
<223> Description of Artificial Sequence:Artificially
Synthesized DNA Sequence
<400> 698
attgtgtgta aagtaagatt taag                                        24
<210> 699
<211> 24
<212> DNA
<213> Artificial Sequence
<220> 
<223> Description of Artificial Sequence:Artificially
Synthesized DNA Sequence
<400> 699
tatagtttga agtgtgatgt attt                                        24
<210> 700
<211> 24
<212> DNA
<213> Artificial Sequence
<220> 
<223> Description of Artificial Sequence:Artificially
Synthesized DNA Sequence
<400> 700
gtgaagttat agtgtataaa gaat                                        24
<210> 701
<211> 24
<212> DNA
<213> Artificial Sequence
<220> 
<223> Description of Artificial Sequence:Artificially
Synthesized DNA Sequence
<400> 701
gtatgttgaa tagtaaatag attg                                        24
<210> 702
<211> 24
<212> DNA
<213> Artificial Sequence
<220> 
<223> Description of Artificial Sequence:Artificially
Synthesized DNA Sequence
<400> 702
ttagaaagtg tgatttgtgt attt                                        24
<210> 703
<211> 24
<212> DNA
<213> Artificial Sequence
<220> 
<223> Description of Artificial Sequence:Artificially
Synthesized DNA Sequence
<400> 703
tttagtaata tgtaagagat gtga                                        24
<210> 704
<211> 24
<212> DNA
<213> Artificial Sequence
<220> 
<223> Description of Artificial Sequence:Artificially
Synthesized DNA Sequence
<400> 704
agtatgtata gatgatgttt gttt                                        24
<210> 705
<211> 24
<212> DNA
<213> Artificial Sequence
<220> 
<223> Description of Artificial Sequence:Artificially
Synthesized DNA Sequence
<400> 705
atttaagtaa agtgtagaga taag                                        24
<210> 706
<211> 24
<212> DNA
<213> Artificial Sequence
<220> 
<223> Description of Artificial Sequence:Artificially
Synthesized DNA Sequence
<400> 706
atttgtgttg aattgtaaag tgaa                                        24
<210> 707
<211> 24
<212> DNA
<213> Artificial Sequence
<220> 
<223> Description of Artificial Sequence:Artificially
Synthesized DNA Sequence
<400> 707
atgttattag attgtgatga atga                                        24
<210> 708
<211> 24
<212> DNA
<213> Artificial Sequence
<220> 
<223> Description of Artificial Sequence:Artificially
Synthesized DNA Sequence
<400> 708
tagtagtaga atatgaaatt agag                                        24
<210> 709
<211> 24
<212> DNA
<213> Artificial Sequence
<220> 
<223> Description of Artificial Sequence:Artificially
Synthesized DNA Sequence
<400> 709
tttaatgaga agagttagag tata                                        24
<210> 710
<211> 24
<212> DNA
<213> Artificial Sequence
<220> 
<223> Description of Artificial Sequence:Artificially
Synthesized DNA Sequence
<400> 710
aaagtttagt agagtgtatg taaa                                        24
<210> 711
<211> 24
<212> DNA
<213> Artificial Sequence
<220> 
<223> Description of Artificial Sequence:Artificially
Synthesized DNA Sequence
<400> 711
atatatgata gtagagtaga ttag                                        24
<210> 712
<211> 24
<212> DNA
<213> Artificial Sequence
<220> 
<223> Description of Artificial Sequence:Artificially
Synthesized DNA Sequence
<400> 712
tgagaagtta attgtataga ttga                                        24
<210> 713
<211> 24
<212> DNA
<213> Artificial Sequence
<220> 
<223> Description of Artificial Sequence:Artificially
Synthesized DNA Sequence
<400> 713
tatagagatg ttatatgaag ttgt                                        24
<210> 714
<211> 24
<212> DNA
<213> Artificial Sequence
<220> 
<223> Description of Artificial Sequence:Artificially
Synthesized DNA Sequence
<400> 714
aaatttgtta agttgttgtt gttg                                        24
<210> 715
<211> 24
<212> DNA
<213> Artificial Sequence
<220> 
<223> Description of Artificial Sequence:Artificially
Synthesized DNA Sequence
<400> 715
ttgttgaaga tgaaagtaga atta                                        24
<210> 716
<211> 24
<212> DNA
<213> Artificial Sequence
<220> 
<223> Description of Artificial Sequence:Artificially
Synthesized DNA Sequence
<400> 716
aagagataag tagtgtttat gttt                                        24
<210> 717
<211> 24
<212> DNA
<213> Artificial Sequence
<220> 
<223> Description of Artificial Sequence:Artificially
Synthesized DNA Sequence
<400> 717
aataagaaga agtgaaagat tgat                                        24
<210> 718
<211> 24
<212> DNA
<213> Artificial Sequence
<220> 
<223> Description of Artificial Sequence:Artificially
Synthesized DNA Sequence
<400> 718
taagttaaag ttgatgattg atag                                        24
<210> 719
<211> 24
<212> DNA
<213> Artificial Sequence
<220> 
<223> Description of Artificial Sequence:Artificially
Synthesized DNA Sequence
<400> 719
atataagata agagtgtaag tgat                                        24
<210> 720
<211> 24
<212> DNA
<213> Artificial Sequence
<220> 
<223> Description of Artificial Sequence:Artificially
Synthesized DNA Sequence
<400> 720
gttaaatgtt gttgtttaag tgat                                        24
<210> 721
<211> 24
<212> DNA
<213> Artificial Sequence
<220> 
<223> Description of Artificial Sequence:Artificially
Synthesized DNA Sequence
<400> 721
gagttaagtt attagttaag aagt                                        24
<210> 722
<211> 24
<212> DNA
<213> Artificial Sequence
<220> 
<223> Description of Artificial Sequence:Artificially
Synthesized DNA Sequence
<400> 722
tattagagtt tgagaataag tagt                                        24
<210> 723
<211> 24
<212> DNA
<213> Artificial Sequence
<220> 
<223> Description of Artificial Sequence:Artificially
Synthesized DNA Sequence
<400> 723
taatgttgtt atgtgttaga tgtt                                        24
<210> 724
<211> 24
<212> DNA
<213> Artificial Sequence
<220> 
<223> Description of Artificial Sequence:Artificially
Synthesized DNA Sequence
<400> 724
gaaagttgat agaatgtaat gttt                                        24
<210> 725
<211> 24
<212> DNA
<213> Artificial Sequence
<220> 
<223> Description of Artificial Sequence:Artificially
Synthesized DNA Sequence
<400> 725
tgatagatga attgattgat tagt                                        24
<210> 726
<211> 24
<212> DNA
<213> Artificial Sequence
<220> 
<223> Description of Artificial Sequence:Artificially
Synthesized DNA Sequence
<400> 726
atgatagagt aaagaataag ttgt                                        24
<210> 727
<211> 24
<212> DNA
<213> Artificial Sequence
<220> 
<223> Description of Artificial Sequence:Artificially
Synthesized DNA Sequence
<400> 727
agtaagtgtt agatagtatt gaat                                        24
<210> 728
<211> 24
<212> DNA
<213> Artificial Sequence
<220> 
<223> Description of Artificial Sequence:Artificially
Synthesized DNA Sequence
<400> 728
atgtagatta aagtagtgta tgtt                                        24
<210> 729
<211> 24
<212> DNA
<213> Artificial Sequence
<220> 
<223> Description of Artificial Sequence:Artificially
Synthesized DNA Sequence
<400> 729
ttattgataa tgagagagtt aaag                                        24
<210> 730
<211> 24
<212> DNA
<213> Artificial Sequence
<220> 
<223> Description of Artificial Sequence:Artificially
Synthesized DNA Sequence
<400> 730
atttgttatg ataaatgtgt agtg                                        24
<210> 731
<211> 24
<212> DNA
<213> Artificial Sequence
<220> 
<223> Description of Artificial Sequence:Artificially
Synthesized DNA Sequence
<400> 731
ttgaagaaat aagagtaata agag                                        24
<210> 732
<211> 24
<212> DNA
<213> Artificial Sequence
<220> 
<223> Description of Artificial Sequence:Artificially
Synthesized DNA Sequence
<400> 732
tgtgtaataa gtagtaagat taga                                        24
<210> 733
<211> 24
<212> DNA
<213> Artificial Sequence
<220> 
<223> Description of Artificial Sequence:Artificially
Synthesized DNA Sequence
<400> 733
atgaaagtta gagtttatga taag                                        24
<210> 734
<211> 24
<212> DNA
<213> Artificial Sequence
<220> 
<223> Description of Artificial Sequence:Artificially
Synthesized DNA Sequence
<400> 734
attagttaag agagtttgta gatt                                        24
<210> 735
<211> 24
<212> DNA
<213> Artificial Sequence
<220> 
<223> Description of Artificial Sequence:Artificially
Synthesized DNA Sequence
<400> 735
tgtagtattg tatgattaaa gtgt                                        24
<210> 736
<211> 24
<212> DNA
<213> Artificial Sequence
<220> 
<223> Description of Artificial Sequence:Artificially
Synthesized DNA Sequence
<400> 736
agttgataaa gaagaagagt atat                                        24
<210> 737
<211> 24
<212> DNA
<213> Artificial Sequence
<220> 
<223> Description of Artificial Sequence:Artificially
Synthesized DNA Sequence
<400> 737
gtaatgagat aaagagagat aatt                                        24
<210> 738
<211> 24
<212> DNA
<213> Artificial Sequence
<220> 
<223> Description of Artificial Sequence:Artificially
Synthesized DNA Sequence
<400> 738
tgtgttgaag ataaagttta tgat                                        24
<210> 739
<211> 24
<212> DNA
<213> Artificial Sequence
<220> 
<223> Description of Artificial Sequence:Artificially
Synthesized DNA Sequence
<400> 739
aagaagagta gttagaattg atta                                        24
<210> 740
<211> 24
<212> DNA
<213> Artificial Sequence
<220> 
<223> Description of Artificial Sequence:Artificially
Synthesized DNA Sequence
<400> 740
gaatgaagat gaagtttgtt aata                                        24
<210> 741
<211> 24
<212> DNA
<213> Artificial Sequence
<220> 
<223> Description of Artificial Sequence:Artificially
Synthesized DNA Sequence
<400> 741
aaattgttga gataagatag tgat                                        24
<210> 742
<211> 24
<212> DNA
<213> Artificial Sequence
<220> 
<223> Description of Artificial Sequence:Artificially
Synthesized DNA Sequence
<400> 742
tgattgttta atgatgtgtg atta                                        24
<210> 743
<211> 24
<212> DNA
<213> Artificial Sequence
<220> 
<223> Description of Artificial Sequence:Artificially
Synthesized DNA Sequence
<400> 743
atgaagtatt gttgagtgat ttaa                                        24
<210> 744
<211> 24
<212> DNA
<213> Artificial Sequence
<220> 
<223> Description of Artificial Sequence:Artificially
Synthesized DNA Sequence
<400> 744
gtgtaaatgt ttgagatgta tatt                                        24
<210> 745
<211> 24
<212> DNA
<213> Artificial Sequence
<220> 
<223> Description of Artificial Sequence:Artificially
Synthesized DNA Sequence
<400> 745
aattgatgag tttaaagagt tgat                                        24
<210> 746
<211> 24
<212> DNA
<213> Artificial Sequence
<220> 
<223> Description of Artificial Sequence:Artificially
Synthesized DNA Sequence
<400> 746
tttgtgtaat atgattgaga gttt                                        24
<210> 747
<211> 24
<212> DNA
<213> Artificial Sequence
<220> 
<223> Description of Artificial Sequence:Artificially
Synthesized DNA Sequence
<400> 747
gtagtagatg attaagaaga taaa                                        24
<210> 748
<211> 24
<212> DNA
<213> Artificial Sequence
<220> 
<223> Description of Artificial Sequence:Artificially
Synthesized DNA Sequence
<400> 748
tttaatgtga aatttgttgt gagt                                        24
<210> 749
<211> 24
<212> DNA
<213> Artificial Sequence
<220> 
<223> Description of Artificial Sequence:Artificially
Synthesized DNA Sequence
<400> 749
gtaaagaatt agataaagag tgat                                        24
<210> 750
<211> 24
<212> DNA
<213> Artificial Sequence
<220> 
<223> Description of Artificial Sequence:Artificially
Synthesized DNA Sequence
<400> 750
aatagttaag tttaagagtt gtgt                                        24
<210> 751
<211> 24
<212> DNA
<213> Artificial Sequence
<220> 
<223> Description of Artificial Sequence:Artificially
Synthesized DNA Sequence
<400> 751
gtgtgatgtt tatagatttg ttat                                        24
<210> 752
<211> 24
<212> DNA
<213> Artificial Sequence
<220> 
<223> Description of Artificial Sequence:Artificially
Synthesized DNA Sequence
<400> 752
gtatagtgtg attagatttg taaa                                        24
<210> 753
<211> 24
<212> DNA
<213> Artificial Sequence
<220> 
<223> Description of Artificial Sequence:Artificially
Synthesized DNA Sequence
<400> 753
gttgtaagaa agatatgtaa gaaa                                        24
<210> 754
<211> 24
<212> DNA
<213> Artificial Sequence
<220> 
<223> Description of Artificial Sequence:Artificially
Synthesized DNA Sequence
<400> 754
atattagatt gtaaagagag tgaa                                        24
<210> 755
<211> 24
<212> DNA
<213> Artificial Sequence
<220> 
<223> Description of Artificial Sequence:Artificially
Synthesized DNA Sequence
<400> 755
gagtgatatt gaaattagat tgta                                        24
<210> 756
<211> 24
<212> DNA
<213> Artificial Sequence
<220> 
<223> Description of Artificial Sequence:Artificially
Synthesized DNA Sequence
<400> 756
taagaagtta aagaagagag ttta                                        24
<210> 757
<211> 24
<212> DNA
<213> Artificial Sequence
<220> 
<223> Description of Artificial Sequence:Artificially
Synthesized DNA Sequence
<400> 757
gatgttagat aaagtttaag tagt                                        24
<210> 758
<211> 24
<212> DNA
<213> Artificial Sequence
<220> 
<223> Description of Artificial Sequence:Artificially
Synthesized DNA Sequence
<400> 758
gtgattgtat gagaaatgtt aaat                                        24
<210> 759
<211> 24
<212> DNA
<213> Artificial Sequence
<220> 
<223> Description of Artificial Sequence:Artificially
Synthesized DNA Sequence
<400> 759
tgattattgt aagaaagatt gaga                                        24
<210> 760
<211> 24
<212> DNA
<213> Artificial Sequence
<220> 
<223> Description of Artificial Sequence:Artificially
Synthesized DNA Sequence
<400> 760
aagaattgtg taagtttatg agta                                        24
<210> 761
<211> 24
<212> DNA
<213> Artificial Sequence
<220> 
<223> Description of Artificial Sequence:Artificially
Synthesized DNA Sequence
<400> 761
ttgtatttag aagatttgta gatg                                        24
<210> 762
<211> 24
<212> DNA
<213> Artificial Sequence
<220> 
<223> Description of Artificial Sequence:Artificially
Synthesized DNA Sequence
<400> 762
tatatgtttg tgtaagaaga aatg                                        24
<210> 763
<211> 24
<212> DNA
<213> Artificial Sequence
<220> 
<223> Description of Artificial Sequence:Artificially
Synthesized DNA Sequence
<400> 763
gataatgtgt gaatttgtga ataa                                        24
<210> 764
<211> 24
<212> DNA
<213> Artificial Sequence
<220> 
<223> Description of Artificial Sequence:Artificially
Synthesized DNA Sequence
<400> 764
ttagaaatgt gagatttaag agtt                                        24
<210> 765
<211> 24
<212> DNA
<213> Artificial Sequence
<220> 
<223> Description of Artificial Sequence:Artificially
Synthesized DNA Sequence
<400> 765
agtgtagaat ttgtatttag ttgt                                        24
<210> 766
<211> 24
<212> DNA
<213> Artificial Sequence
<220> 
<223> Description of Artificial Sequence:Artificially
Synthesized DNA Sequence
<400> 766
tagttaagat agagtaaatg atag                                        24
<210> 767
<211> 24
<212> DNA
<213> Artificial Sequence
<220> 
<223> Description of Artificial Sequence:Artificially
Synthesized DNA Sequence
<400> 767
gaagtgatat tgtaaattga taag                                        24
<210> 768
<211> 24
<212> DNA
<213> Artificial Sequence
<220> 
<223> Description of Artificial Sequence:Artificially
Synthesized DNA Sequence
<400> 768
gtaattgtgt tagatttaag aagt                                        24
<210> 769
<211> 24
<212> DNA
<213> Artificial Sequence
<220> 
<223> Description of Artificial Sequence:Artificially
Synthesized DNA Sequence
<400> 769
tgatatttgt gaattgatag tatg                                        24
<210> 770
<211> 24
<212> DNA
<213> Artificial Sequence
<220> 
<223> Description of Artificial Sequence:Artificially
Synthesized DNA Sequence
<400> 770
aagtaaagag atatagttaa gttg                                        24
<210> 771
<211> 24
<212> DNA
<213> Artificial Sequence
<220> 
<223> Description of Artificial Sequence:Artificially
Synthesized DNA Sequence
<400> 771
attagttaag ttatttgtga gtga                                        24
<210> 772
<211> 24
<212> DNA
<213> Artificial Sequence
<220> 
<223> Description of Artificial Sequence:Artificially
Synthesized DNA Sequence
<400> 772
agatgaagta gtttatgaat taga                                        24
<210> 773
<211> 24
<212> DNA
<213> Artificial Sequence
<220> 
<223> Description of Artificial Sequence:Artificially
Synthesized DNA Sequence
<400> 773
tgagttagtt aagtgatagt taaa                                        24
<210> 774
<211> 24
<212> DNA
<213> Artificial Sequence
<220> 
<223> Description of Artificial Sequence:Artificially
Synthesized DNA Sequence
<400> 774
ttattgtaga tttagagaag atga                                        24
<210> 775
<211> 24
<212> DNA
<213> Artificial Sequence
<220> 
<223> Description of Artificial Sequence:Artificially
Synthesized DNA Sequence
<400> 775
tatttgtgtt tgttgattag atag                                        24
<210> 776
<211> 24
<212> DNA
<213> Artificial Sequence
<220> 
<223> Description of Artificial Sequence:Artificially
Synthesized DNA Sequence
<400> 776
gtataatgtg tgtgaaagtt ataa                                        24
<210> 777
<211> 24
<212> DNA
<213> Artificial Sequence
<220> 
<223> Description of Artificial Sequence:Artificially
Synthesized DNA Sequence
<400> 777
tatatgttga gtataaagag agaa                                        24
<210> 778
<211> 24
<212> DNA
<213> Artificial Sequence
<220> 
<223> Description of Artificial Sequence:Artificially
Synthesized DNA Sequence
<400> 778
ttagttagtt taaagattgt gagt                                        24
<210> 779
<211> 24
<212> DNA
<213> Artificial Sequence
<220> 
<223> Description of Artificial Sequence:Artificially
Synthesized DNA Sequence
<400> 779
tttagaataa gtgatgtgat gaaa                                        24
<210> 780
<211> 24
<212> DNA
<213> Artificial Sequence
<220> 
<223> Description of Artificial Sequence:Artificially
Synthesized DNA Sequence
<400> 780
agagtaatgt gtaaatagtt agat                                        24
<210> 781
<211> 24
<212> DNA
<213> Artificial Sequence
<220> 
<223> Description of Artificial Sequence:Artificially
Synthesized DNA Sequence
<400> 781
tgtgataaag agaaattagt tgtt                                        24
<210> 782
<211> 24
<212> DNA
<213> Artificial Sequence
<220> 
<223> Description of Artificial Sequence:Artificially
Synthesized DNA Sequence
<400> 782
gaatttagtg aatgtttgag atta                                        24
<210> 783
<211> 24
<212> DNA
<213> Artificial Sequence
<220> 
<223> Description of Artificial Sequence:Artificially
Synthesized DNA Sequence
<400> 783
tgtgatgtgt aagtatatga aatt                                        24
<210> 784
<211> 24
<212> DNA
<213> Artificial Sequence
<220> 
<223> Description of Artificial Sequence:Artificially
Synthesized DNA Sequence
<400> 784
ttgtgaatga ttaatgaata gaag                                        24
<210> 785
<211> 24
<212> DNA
<213> Artificial Sequence
<220> 
<223> Description of Artificial Sequence:Artificially
Synthesized DNA Sequence
<400> 785
aatgttgttt agattgagaa agtt                                        24
<210> 786
<211> 24
<212> DNA
<213> Artificial Sequence
<220> 
<223> Description of Artificial Sequence:Artificially
Synthesized DNA Sequence
<400> 786
agattgtgtt agtattagta taag                                        24
<210> 787
<211> 24
<212> DNA
<213> Artificial Sequence
<220> 
<223> Description of Artificial Sequence:Artificially
Synthesized DNA Sequence
<400> 787
ttgatgtatt agaaagttta tgtg                                        24
<210> 788
<211> 24
<212> DNA
<213> Artificial Sequence
<220> 
<223> Description of Artificial Sequence:Artificially
Synthesized DNA Sequence
<400> 788
tatgattgtg tgttagagaa ttta                                        24
<210> 789
<211> 24
<212> DNA
<213> Artificial Sequence
<220> 
<223> Description of Artificial Sequence:Artificially
Synthesized DNA Sequence
<400> 789
tagtgtagat atttgatagt tatg                                        24
<210> 790
<211> 24
<212> DNA
<213> Artificial Sequence
<220> 
<223> Description of Artificial Sequence:Artificially
Synthesized DNA Sequence
<400> 790
agtttaatgt gtttagttgt tatg                                        24
<210> 791
<211> 24
<212> DNA
<213> Artificial Sequence
<220> 
<223> Description of Artificial Sequence:Artificially
Synthesized DNA Sequence
<400> 791
tgtgtaaagt agaaagtaaa gatt                                        24
<210> 792
<211> 24
<212> DNA
<213> Artificial Sequence
<220> 
<223> Description of Artificial Sequence:Artificially
Synthesized DNA Sequence
<400> 792
gttatgatat agtgagttgt tatt                                        24
<210> 793
<211> 24
<212> DNA
<213> Artificial Sequence
<220> 
<223> Description of Artificial Sequence:Artificially
Synthesized DNA Sequence
<400> 793
tttgattgaa tgttaatagt gtgt                                        24
<210> 794
<211> 24
<212> DNA
<213> Artificial Sequence
<220> 
<223> Description of Artificial Sequence:Artificially
Synthesized DNA Sequence
<400> 794
agagtattag tagttattgt aagt                                        24
<210> 795
<211> 24
<212> DNA
<213> Artificial Sequence
<220> 
<223> Description of Artificial Sequence:Artificially
Synthesized DNA Sequence
<400> 795
taagtagaaa gaagaagata tttg                                        24
<210> 796
<211> 24
<212> DNA
<213> Artificial Sequence
<220> 
<223> Description of Artificial Sequence:Artificially
Synthesized DNA Sequence
<400> 796
agaaagagaa ttatgtaatg aaag                                        24
<210> 797
<211> 24
<212> DNA
<213> Artificial Sequence
<220> 
<223> Description of Artificial Sequence:Artificially
Synthesized DNA Sequence
<400> 797
ttagatttgt tagtgtgatt taag                                        24
<210> 798
<211> 24
<212> DNA
<213> Artificial Sequence
<220> 
<223> Description of Artificial Sequence:Artificially
Synthesized DNA Sequence
<400> 798
gatgattaag atatagagat agtt                                        24
<210> 799
<211> 24
<212> DNA
<213> Artificial Sequence
<220> 
<223> Description of Artificial Sequence:Artificially
Synthesized DNA Sequence
<400> 799
atatttgagt gattaagagt aatg                                        24
<210> 800
<211> 24
<212> DNA
<213> Artificial Sequence
<220> 
<223> Description of Artificial Sequence:Artificially
Synthesized DNA Sequence
<400> 800
tgtattgtga gttaagtata agtt                                        24
<210> 801
<211> 24
<212> DNA
<213> Artificial Sequence
<220> 
<223> Description of Artificial Sequence:Artificially
Synthesized DNA Sequence
<400> 801
aatttagtag aaagtgttgt gttt                                        24
<210> 802
<211> 24
<212> DNA
<213> Artificial Sequence
<220> 
<223> Description of Artificial Sequence:Artificially
Synthesized DNA Sequence
<400> 802
gttagaagat taagttgaat aatg                                        24
<210> 803
<211> 24
<212> DNA
<213> Artificial Sequence
<220> 
<223> Description of Artificial Sequence:Artificially
Synthesized DNA Sequence
<400> 803
taaagtatgt gagatgattt atgt                                        24
<210> 804
<211> 24
<212> DNA
<213> Artificial Sequence
<220> 
<223> Description of Artificial Sequence:Artificially
Synthesized DNA Sequence
<400> 804
tgaaatgatt aaagatgaag atga                                        24
<210> 805
<211> 24
<212> DNA
<213> Artificial Sequence
<220> 
<223> Description of Artificial Sequence:Artificially
Synthesized DNA Sequence
<400> 805
ttattagatg ttgagtgttt gttt                                        24
<210> 806
<211> 24
<212> DNA
<213> Artificial Sequence
<220> 
<223> Description of Artificial Sequence:Artificially
Synthesized DNA Sequence
<400> 806
tagtgtttaa agagtagtat atga                                        24
<210> 807
<211> 24
<212> DNA
<213> Artificial Sequence
<220> 
<223> Description of Artificial Sequence:Artificially
Synthesized DNA Sequence
<400> 807
agttataagt aaatgatgtt gatg                                        24
<210> 808
<211> 24
<212> DNA
<213> Artificial Sequence
<220> 
<223> Description of Artificial Sequence:Artificially
Synthesized DNA Sequence
<400> 808
ttaagagaga aataagtgta ttgt                                        24
<210> 809
<211> 24
<212> DNA
<213> Artificial Sequence
<220> 
<223> Description of Artificial Sequence:Artificially
Synthesized DNA Sequence
<400> 809
gatattgaaa tgtgtaaatg atga                                        24
<210> 810
<211> 24
<212> DNA
<213> Artificial Sequence
<220> 
<223> Description of Artificial Sequence:Artificially
Synthesized DNA Sequence
<400> 810
atgatgaatt aagaaagaaa gaga                                        24
<210> 811
<211> 24
<212> DNA
<213> Artificial Sequence
<220> 
<223> Description of Artificial Sequence:Artificially
Synthesized DNA Sequence
<400> 811
gaatagtttg atttgtgttt gtta                                        24
<210> 812
<211> 24
<212> DNA
<213> Artificial Sequence
<220> 
<223> Description of Artificial Sequence:Artificially
Synthesized DNA Sequence
<400> 812
agttgtttag atttgatttg taag                                        24
<210> 813
<211> 24
<212> DNA
<213> Artificial Sequence
<220> 
<223> Description of Artificial Sequence:Artificially
Synthesized DNA Sequence
<400> 813
gtatgagatt tgatataaga ttag                                        24
<210> 814
<211> 24
<212> DNA
<213> Artificial Sequence
<220> 
<223> Description of Artificial Sequence:Artificially
Synthesized DNA Sequence
<400> 814
tttatagtga gtatagtgat gatt                                        24
<210> 815
<211> 24
<212> DNA
<213> Artificial Sequence
<220> 
<223> Description of Artificial Sequence:Artificially
Synthesized DNA Sequence
<400> 815
tatatgtgaa gatataagtg tttg                                        24
<210> 816
<211> 24
<212> DNA
<213> Artificial Sequence
<220> 
<223> Description of Artificial Sequence:Artificially
Synthesized DNA Sequence
<400> 816
attgatagat gatagtaatt gagt                                        24
<210> 817
<211> 24
<212> DNA
<213> Artificial Sequence
<220> 
<223> Description of Artificial Sequence:Artificially
Synthesized DNA Sequence
<400> 817
tgatagatgt gaagaatttg attt                                        24
<210> 818
<211> 24
<212> DNA
<213> Artificial Sequence
<220> 
<223> Description of Artificial Sequence:Artificially
Synthesized DNA Sequence
<400> 818
gaagatattg aaagaatttg atgt                                        24
<210> 819
<211> 24
<212> DNA
<213> Artificial Sequence
<220> 
<223> Description of Artificial Sequence:Artificially
Synthesized DNA Sequence
<400> 819
gatgtttagt gtagatatag attt                                        24
<210> 820
<211> 24
<212> DNA
<213> Artificial Sequence
<220> 
<223> Description of Artificial Sequence:Artificially
Synthesized DNA Sequence
<400> 820
gaatattgag ttataagtag tagt                                        24
<210> 821
<211> 24
<212> DNA
<213> Artificial Sequence
<220> 
<223> Description of Artificial Sequence:Artificially
Synthesized DNA Sequence
<400> 821
agtgagtaag taatagaaag attt                                        24
<210> 822
<211> 24
<212> DNA
<213> Artificial Sequence
<220> 
<223> Description of Artificial Sequence:Artificially
Synthesized DNA Sequence
<400> 822
gtagaataag taatttgtga gata                                        24
<210> 823
<211> 24
<212> DNA
<213> Artificial Sequence
<220> 
<223> Description of Artificial Sequence:Artificially
Synthesized DNA Sequence
<400> 823
gagttatttg agatttagat gttt                                        24
<210> 824
<211> 24
<212> DNA
<213> Artificial Sequence
<220> 
<223> Description of Artificial Sequence:Artificially
Synthesized DNA Sequence
<400> 824
gaaatgatga ttgaatttag agat                                        24
<210> 825
<211> 24
<212> DNA
<213> Artificial Sequence
<220> 
<223> Description of Artificial Sequence:Artificially
Synthesized DNA Sequence
<400> 825
aaatagtgtg agaatagtta agta                                        24
<210> 826
<211> 24
<212> DNA
<213> Artificial Sequence
<220> 
<223> Description of Artificial Sequence:Artificially
Synthesized DNA Sequence
<400> 826
atgtgttaag ttgtagaaga ataa                                        24
<210> 827
<211> 24
<212> DNA
<213> Artificial Sequence
<220> 
<223> Description of Artificial Sequence:Artificially
Synthesized DNA Sequence
<400> 827
ataatgagtt aatagtgtaa gaag                                        24
<210> 828
<211> 24
<212> DNA
<213> Artificial Sequence
<220> 
<223> Description of Artificial Sequence:Artificially
Synthesized DNA Sequence
<400> 828
ataagagatg tttaagttag aaag                                        24
<210> 829
<211> 24
<212> DNA
<213> Artificial Sequence
<220> 
<223> Description of Artificial Sequence:Artificially
Synthesized DNA Sequence
<400> 829
tgttagtgtt agaaatatga aaga                                        24
<210> 830
<211> 24
<212> DNA
<213> Artificial Sequence
<220> 
<223> Description of Artificial Sequence:Artificially
Synthesized DNA Sequence
<400> 830
tttagaagat tgttagataa gttg                                        24
<210> 831
<211> 24
<212> DNA
<213> Artificial Sequence
<220> 
<223> Description of Artificial Sequence:Artificially
Synthesized DNA Sequence
<400> 831
gtgtaatgta taagatagtt aagt                                        24
<210> 832
<211> 24
<212> DNA
<213> Artificial Sequence
<220> 
<223> Description of Artificial Sequence:Artificially
Synthesized DNA Sequence
<400> 832
tattagagag aaattgtaga gatt                                        24
<210> 833
<211> 24
<212> DNA
<213> Artificial Sequence
<220> 
<223> Description of Artificial Sequence:Artificially
Synthesized DNA Sequence
<400> 833
tagtgagata aagtaaagtt tatg                                        24
<210> 834
<211> 24
<212> DNA
<213> Artificial Sequence
<220> 
<223> Description of Artificial Sequence:Artificially
Synthesized DNA Sequence
<400> 834
ttgtgaaagt taagtaagtt agtt                                        24
<210> 835
<211> 24
<212> DNA
<213> Artificial Sequence
<220> 
<223> Description of Artificial Sequence:Artificially
Synthesized DNA Sequence
<400> 835
aaagtgtaag ttgaagaata ttga                                        24
<210> 836
<211> 24
<212> DNA
<213> Artificial Sequence
<220> 
<223> Description of Artificial Sequence:Artificially
Synthesized DNA Sequence
<400> 836
gaatagagtg ttatttgaaa taga                                        24
<210> 837
<211> 24
<212> DNA
<213> Artificial Sequence
<220> 
<223> Description of Artificial Sequence:Artificially
Synthesized DNA Sequence
<400> 837
tataagagag agataagtaa taag                                        24
<210> 838
<211> 24
<212> DNA
<213> Artificial Sequence
<220> 
<223> Description of Artificial Sequence:Artificially
Synthesized DNA Sequence
<400> 838
tgagtgaaat tgatagagta aatt                                        24
<210> 839
<211> 24
<212> DNA
<213> Artificial Sequence
<220> 
<223> Description of Artificial Sequence:Artificially
Synthesized DNA Sequence
<400> 839
gatgaataag tttaagtgag aaat                                        24
<210> 840
<211> 24
<212> DNA
<213> Artificial Sequence
<220> 
<223> Description of Artificial Sequence:Artificially
Synthesized DNA Sequence
<400> 840
gtgtgatatg tttattgatt aagt                                        24
<210> 841
<211> 24
<212> DNA
<213> Artificial Sequence
<220> 
<223> Description of Artificial Sequence:Artificially
Synthesized DNA Sequence
<400> 841
taaagtgagt gtaaatgata atga                                        24
<210> 842
<211> 24
<212> DNA
<213> Artificial Sequence
<220> 
<223> Description of Artificial Sequence:Artificially
Synthesized DNA Sequence
<400> 842
gtagagtttg atttgaaaga atat                                        24
<210> 843
<211> 24
<212> DNA
<213> Artificial Sequence
<220> 
<223> Description of Artificial Sequence:Artificially
Synthesized DNA Sequence
<400> 843
gaatattgtt atgtttgtta tgag                                        24
<210> 844
<211> 24
<212> DNA
<213> Artificial Sequence
<220> 
<223> Description of Artificial Sequence:Artificially
Synthesized DNA Sequence
<400> 844
gtgtaataag atgtattgtt gttt                                        24
<210> 845
<211> 24
<212> DNA
<213> Artificial Sequence
<220> 
<223> Description of Artificial Sequence:Artificially
Synthesized DNA Sequence
<400> 845
taaattgatt gtgagttgaa gaat                                        24
<210> 846
<211> 24
<212> DNA
<213> Artificial Sequence
<220> 
<223> Description of Artificial Sequence:Artificially
Synthesized DNA Sequence
<400> 846
tgagatagtt atagttaagt ttag                                        24
<210> 847
<211> 24
<212> DNA
<213> Artificial Sequence
<220> 
<223> Description of Artificial Sequence:Artificially
Synthesized DNA Sequence
<400> 847
agtttgttaa gattatgtag aaag                                        24
<210> 848
<211> 24
<212> DNA
<213> Artificial Sequence
<220> 
<223> Description of Artificial Sequence:Artificially
Synthesized DNA Sequence
<400> 848
gaatgtgtag aataagagat taaa                                        24
<210> 849
<211> 24
<212> DNA
<213> Artificial Sequence
<220> 
<223> Description of Artificial Sequence:Artificially
Synthesized DNA Sequence
<400> 849
gtattatgaa agaagttgtt gttt                                        24
<210> 850
<211> 24
<212> DNA
<213> Artificial Sequence
<220> 
<223> Description of Artificial Sequence:Artificially
Synthesized DNA Sequence
<400> 850
gtgttataga agttaaatgt taag                                        24
<210> 851
<211> 24
<212> DNA
<213> Artificial Sequence
<220> 
<223> Description of Artificial Sequence:Artificially
Synthesized DNA Sequence
<400> 851
ttaagagtag tgaatatgat agta                                        24
<210> 852
<211> 24
<212> DNA
<213> Artificial Sequence
<220> 
<223> Description of Artificial Sequence:Artificially
Synthesized DNA Sequence
<400> 852
aatgttataa gatgagagtt tagt                                        24
<210> 853
<211> 24
<212> DNA
<213> Artificial Sequence
<220> 
<223> Description of Artificial Sequence:Artificially
Synthesized DNA Sequence
<400> 853
atataagatt tgatgtagtg tagt                                        24
<210> 854
<211> 24
<212> DNA
<213> Artificial Sequence
<220> 
<223> Description of Artificial Sequence:Artificially
Synthesized DNA Sequence
<400> 854
tatgtttgtt gttgttaagt ttga                                        24
<210> 855
<211> 24
<212> DNA
<213> Artificial Sequence
<220> 
<223> Description of Artificial Sequence:Artificially
Synthesized DNA Sequence
<400> 855
gatagtttag tatagaagat aaag                                        24
<210> 856
<211> 24
<212> DNA
<213> Artificial Sequence
<220> 
<223> Description of Artificial Sequence:Artificially
Synthesized DNA Sequence
<400> 856
gttgaatata gagatagtaa atag                                        24
<210> 857
<211> 24
<212> DNA
<213> Artificial Sequence
<220> 
<223> Description of Artificial Sequence:Artificially
Synthesized DNA Sequence
<400> 857
agagaagatt tagtaagaat gata                                        24
<210> 858
<211> 24
<212> DNA
<213> Artificial Sequence
<220> 
<223> Description of Artificial Sequence:Artificially
Synthesized DNA Sequence
<400> 858
tgaatgagaa agatattgag tatt                                        24
<210> 859
<211> 24
<212> DNA
<213> Artificial Sequence
<220> 
<223> Description of Artificial Sequence:Artificially
Synthesized DNA Sequence
<400> 859
tgaagattat agtagttgta taga                                        24
<210> 860
<211> 24
<212> DNA
<213> Artificial Sequence
<220> 
<223> Description of Artificial Sequence:Artificially
Synthesized DNA Sequence
<400> 860
gattagtagt attgaagatt atgt                                        24
<210> 861
<211> 24
<212> DNA
<213> Artificial Sequence
<220> 
<223> Description of Artificial Sequence:Artificially
Synthesized DNA Sequence
<400> 861
tgaaatgtgt atttgtatgt ttag                                        24
<210> 862
<211> 24
<212> DNA
<213> Artificial Sequence
<220> 
<223> Description of Artificial Sequence:Artificially
Synthesized DNA Sequence
<400> 862
attaaagttg atatgaaaga agtg                                        24
<210> 863
<211> 24
<212> DNA
<213> Artificial Sequence
<220> 
<223> Description of Artificial Sequence:Artificially
Synthesized DNA Sequence
<400> 863
aatgtagaga ttgtagtgaa tatt                                        24
<210> 864
<211> 24
<212> DNA
<213> Artificial Sequence
<220> 
<223> Description of Artificial Sequence:Artificially
Synthesized DNA Sequence
<400> 864
ttatttgttg agtgtaaatg tgat                                        24
<210> 865
<211> 24
<212> DNA
<213> Artificial Sequence
<220> 
<223> Description of Artificial Sequence:Artificially
Synthesized DNA Sequence
<400> 865
atgtaattgt gaataatgta tgtg                                        24
<210> 866
<211> 24
<212> DNA
<213> Artificial Sequence
<220> 
<223> Description of Artificial Sequence:Artificially
Synthesized DNA Sequence
<400> 866
gatttgtata gagattagta agta                                        24
<210> 867
<211> 24
<212> DNA
<213> Artificial Sequence
<220> 
<223> Description of Artificial Sequence:Artificially
Synthesized DNA Sequence
<400> 867
aatattgttg tttagagaaa gaag                                        24
<210> 868
<211> 24
<212> DNA
<213> Artificial Sequence
<220> 
<223> Description of Artificial Sequence:Artificially
Synthesized DNA Sequence
<400> 868
atgatgatgt atttgtaaag agta                                        24
<210> 869
<211> 24
<212> DNA
<213> Artificial Sequence
<220> 
<223> Description of Artificial Sequence:Artificially
Synthesized DNA Sequence
<400> 869
aatgtatttg tgtgattgtg taaa                                        24
<210> 870
<211> 24
<212> DNA
<213> Artificial Sequence
<220> 
<223> Description of Artificial Sequence:Artificially
Synthesized DNA Sequence
<400> 870
agtgttatga agaatagtaa gaat                                        24
<210> 871
<211> 24
<212> DNA
<213> Artificial Sequence
<220> 
<223> Description of Artificial Sequence:Artificially
Synthesized DNA Sequence
<400> 871
gttatgtaga gatgaaagaa atta                                        24
<210> 872
<211> 24
<212> DNA
<213> Artificial Sequence
<220> 
<223> Description of Artificial Sequence:Artificially
Synthesized DNA Sequence
<400> 872
gtttgtatta gataaatgag ttgt                                        24
<210> 873
<211> 24
<212> DNA
<213> Artificial Sequence
<220> 
<223> Description of Artificial Sequence:Artificially
Synthesized DNA Sequence
<400> 873
tgatttatga gattaagaga aaga                                        24
<210> 874
<211> 24
<212> DNA
<213> Artificial Sequence
<220> 
<223> Description of Artificial Sequence:Artificially
Synthesized DNA Sequence
<400> 874
tttgtgtgtt attgtaattg agat                                        24
<210> 875
<211> 24
<212> DNA
<213> Artificial Sequence
<220> 
<223> Description of Artificial Sequence:Artificially
Synthesized DNA Sequence
<400> 875
gatgtgtgat atgattaaag aaat                                        24
<210> 876
<211> 24
<212> DNA
<213> Artificial Sequence
<220> 
<223> Description of Artificial Sequence:Artificially
Synthesized DNA Sequence
<400> 876
agattataga tttgtagaga aagt                                        24
<210> 877
<211> 24
<212> DNA
<213> Artificial Sequence
<220> 
<223> Description of Artificial Sequence:Artificially
Synthesized DNA Sequence
<400> 877
gaagagtatg taatagtatt gtat                                        24
<210> 878
<211> 24
<212> DNA
<213> Artificial Sequence
<220> 
<223> Description of Artificial Sequence:Artificially
Synthesized DNA Sequence
<400> 878
tttgtaatgt tgttgagttt aaga                                        24
<210> 879
<211> 24
<212> DNA
<213> Artificial Sequence
<220> 
<223> Description of Artificial Sequence:Artificially
Synthesized DNA Sequence
<400> 879
agtaaatagt agtatgaata agag                                        24
<210> 880
<211> 24
<212> DNA
<213> Artificial Sequence
<220> 
<223> Description of Artificial Sequence:Artificially
Synthesized DNA Sequence
<400> 880
gaatgttgaa ttgaaatatg agtt                                        24
<210> 881
<211> 24
<212> DNA
<213> Artificial Sequence
<220> 
<223> Description of Artificial Sequence:Artificially
Synthesized DNA Sequence
<400> 881
agtagttaat tgatagtaag tttg                                        24
<210> 882
<211> 24
<212> DNA
<213> Artificial Sequence
<220> 
<223> Description of Artificial Sequence:Artificially
Synthesized DNA Sequence
<400> 882
agtgtaaaga aatgaatgaa taag                                        24
<210> 883
<211> 24
<212> DNA
<213> Artificial Sequence
<220> 
<223> Description of Artificial Sequence:Artificially
Synthesized DNA Sequence
<400> 883
tgttagatat ttgtgaaatg tgaa                                        24
<210> 884
<211> 24
<212> DNA
<213> Artificial Sequence
<220> 
<223> Description of Artificial Sequence:Artificially
Synthesized DNA Sequence
<400> 884
tgtatgttga gtttgaattg ttat                                        24
<210> 885
<211> 24
<212> DNA
<213> Artificial Sequence
<220> 
<223> Description of Artificial Sequence:Artificially
Synthesized DNA Sequence
<400> 885
tgagtgaatt agttatgttg ttat                                        24
<210> 886
<211> 24
<212> DNA
<213> Artificial Sequence
<220> 
<223> Description of Artificial Sequence:Artificially
Synthesized DNA Sequence
<400> 886
gaagaaagaa atgagaaaga ttat                                        24
<210> 887
<211> 24
<212> DNA
<213> Artificial Sequence
<220> 
<223> Description of Artificial Sequence:Artificially
Synthesized DNA Sequence
<400> 887
ttaagtaagt tgtgttgata ttag                                        24
<210> 888
<211> 24
<212> DNA
<213> Artificial Sequence
<220> 
<223> Description of Artificial Sequence:Artificially
Synthesized DNA Sequence
<400> 888
atgatgtgtt tgatttgaat tgaa                                        24
<210> 889
<211> 24
<212> DNA
<213> Artificial Sequence
<220> 
<223> Description of Artificial Sequence:Artificially
Synthesized DNA Sequence
<400> 889
aagtaagtga aattgttgtt tgaa                                        24
<210> 890
<211> 24
<212> DNA
<213> Artificial Sequence
<220> 
<223> Description of Artificial Sequence:Artificially
Synthesized DNA Sequence
<400> 890
atgaagtgta aagtttgaaa gaaa                                        24
<210> 891
<211> 24
<212> DNA
<213> Artificial Sequence
<220> 
<223> Description of Artificial Sequence:Artificially
Synthesized DNA Sequence
<400> 891
agagagtaag ataattgtat agta                                        24
<210> 892
<211> 24
<212> DNA
<213> Artificial Sequence
<220> 
<223> Description of Artificial Sequence:Artificially
Synthesized DNA Sequence
<400> 892
tttatgagat agatgaaata agtg                                        24
<210> 893
<211> 24
<212> DNA
<213> Artificial Sequence
<220> 
<223> Description of Artificial Sequence:Artificially
Synthesized DNA Sequence
<400> 893
agaaattagt agtaatgatt tgtg                                        24
<210> 894
<211> 24
<212> DNA
<213> Artificial Sequence
<220> 
<223> Description of Artificial Sequence:Artificially
Synthesized DNA Sequence
<400> 894
gatttgagat tgaatgagaa tata                                        24
<210> 895
<211> 24
<212> DNA
<213> Artificial Sequence
<220> 
<223> Description of Artificial Sequence:Artificially
Synthesized DNA Sequence
<400> 895
gattagaaag atgaataaag atga                                        24
<210> 896
<211> 24
<212> DNA
<213> Artificial Sequence
<220> 
<223> Description of Artificial Sequence:Artificially
Synthesized DNA Sequence
<400> 896
tagatagaaa gtatatgttg tagt                                        24
<210> 897
<211> 24
<212> DNA
<213> Artificial Sequence
<220> 
<223> Description of Artificial Sequence:Artificially
Synthesized DNA Sequence
<400> 897
gaagatagta aagtaaagta agtt                                        24
<210> 898
<211> 24
<212> DNA
<213> Artificial Sequence
<220> 
<223> Description of Artificial Sequence:Artificially
Synthesized DNA Sequence
<400> 898
aaatgtgtgt ttagtagttg taaa                                        24
<210> 899
<211> 24
<212> DNA
<213> Artificial Sequence
<220> 
<223> Description of Artificial Sequence:Artificially
Synthesized DNA Sequence
<400> 899
ttgttgaagt aagagatgaa taaa                                        24
<210> 900
<211> 24
<212> DNA
<213> Artificial Sequence
<220> 
<223> Description of Artificial Sequence:Artificially
Synthesized DNA Sequence
<400> 900
tatttgagag aaagaaagag ttta                                        24
<210> 901
<211> 24
<212> DNA
<213> Artificial Sequence
<220> 
<223> Description of Artificial Sequence:Artificially
Synthesized DNA Sequence
<400> 901
tatttagtga tgaatttgtg atgt                                        24
<210> 902
<211> 24
<212> DNA
<213> Artificial Sequence
<220> 
<223> Description of Artificial Sequence:Artificially
Synthesized DNA Sequence
<400> 902
ttatagtgat gatgataagt tgat                                        24
<210> 903
<211> 24
<212> DNA
<213> Artificial Sequence
<220> 
<223> Description of Artificial Sequence:Artificially
Synthesized DNA Sequence
<400> 903
taaagataat tgtagaaagt agtg                                        24
<210> 904
<211> 24
<212> DNA
<213> Artificial Sequence
<220> 
<223> Description of Artificial Sequence:Artificially
Synthesized DNA Sequence
<400> 904
gtttagtatt gatattgtgt gtaa                                        24
<210> 905
<211> 24
<212> DNA
<213> Artificial Sequence
<220> 
<223> Description of Artificial Sequence:Artificially
Synthesized DNA Sequence
<400> 905
gtgttgtgaa taagattgaa atat                                        24
<210> 906
<211> 24
<212> DNA
<213> Artificial Sequence
<220> 
<223> Description of Artificial Sequence:Artificially
Synthesized DNA Sequence
<400> 906
aaagaaagta taaagtgaga taga                                        24
<210> 907
<211> 24
<212> DNA
<213> Artificial Sequence
<220> 
<223> Description of Artificial Sequence:Artificially
Synthesized DNA Sequence
<400> 907
tatttgtaag aagtgtagat attg                                        24
<210> 908
<211> 24
<212> DNA
<213> Artificial Sequence
<220> 
<223> Description of Artificial Sequence:Artificially
Synthesized DNA Sequence
<400> 908
tagaagatga aattgtgatt tgtt                                        24
<210> 909
<211> 24
<212> DNA
<213> Artificial Sequence
<220> 
<223> Description of Artificial Sequence:Artificially
Synthesized DNA Sequence
<400> 909
ataatagtaa gtgaatgatg agat                                        24
<210> 910
<211> 24
<212> DNA
<213> Artificial Sequence
<220> 
<223> Description of Artificial Sequence:Artificially
Synthesized DNA Sequence
<400> 910
aatgtgaata agataaagtg tgta                                        24
<210> 911
<211> 24
<212> DNA
<213> Artificial Sequence
<220> 
<223> Description of Artificial Sequence:Artificially
Synthesized DNA Sequence
<400> 911
attgaagata aagatgttgt ttag                                        24
<210> 912
<211> 24
<212> DNA
<213> Artificial Sequence
<220> 
<223> Description of Artificial Sequence:Artificially
Synthesized DNA Sequence
<400> 912
tgaaatagaa gtgagattat agta                                        24
<210> 913
<211> 24
<212> DNA
<213> Artificial Sequence
<220> 
<223> Description of Artificial Sequence:Artificially
Synthesized DNA Sequence
<400> 913
agttattgtg aaagagttta tgat                                        24
<210> 914
<211> 24
<212> DNA
<213> Artificial Sequence
<220> 
<223> Description of Artificial Sequence:Artificially
Synthesized DNA Sequence
<400> 914
aaatagtagt gatagagaag attt                                        24
<210> 915
<211> 24
<212> DNA
<213> Artificial Sequence
<220> 
<223> Description of Artificial Sequence:Artificially
Synthesized DNA Sequence
<400> 915
agtgtatgaa gtgtaataag atta                                        24
<210> 916
<211> 24
<212> DNA
<213> Artificial Sequence
<220> 
<223> Description of Artificial Sequence:Artificially
Synthesized DNA Sequence
<400> 916
tgattaagat tgtgtagtgt tata                                        24
<210> 917
<211> 24
<212> DNA
<213> Artificial Sequence
<220> 
<223> Description of Artificial Sequence:Artificially
Synthesized DNA Sequence
<400> 917
agtttatgat atttgtagat gagt                                        24
<210> 918
<211> 24
<212> DNA
<213> Artificial Sequence
<220> 
<223> Description of Artificial Sequence:Artificially
Synthesized DNA Sequence
<400> 918
tatgtgtatg aagattatag ttag                                        24
<210> 919
<211> 24
<212> DNA
<213> Artificial Sequence
<220> 
<223> Description of Artificial Sequence:Artificially
Synthesized DNA Sequence
<400> 919
gaaattgttg tatagagtga tata                                        24
<210> 920
<211> 24
<212> DNA
<213> Artificial Sequence
<220> 
<223> Description of Artificial Sequence:Artificially
Synthesized DNA Sequence
<400> 920
tagaaatagt ttaagtatag tgtg                                        24
<210> 921
<211> 24
<212> DNA
<213> Artificial Sequence
<220> 
<223> Description of Artificial Sequence:Artificially
Synthesized DNA Sequence
<400> 921
tgatttagat gtttattgtg agaa                                        24
<210> 922
<211> 24
<212> DNA
<213> Artificial Sequence
<220> 
<223> Description of Artificial Sequence:Artificially
Synthesized DNA Sequence
<400> 922
aagttgatat ttgttgttag atga                                        24
<210> 923
<211> 24
<212> DNA
<213> Artificial Sequence
<220> 
<223> Description of Artificial Sequence:Artificially
Synthesized DNA Sequence
<400> 923
tgatgtgata atgagaataa agaa                                        24
<210> 924
<211> 24
<212> DNA
<213> Artificial Sequence
<220> 
<223> Description of Artificial Sequence:Artificially
Synthesized DNA Sequence
<400> 924
aaagtttagt ttgtattagt agag                                        24
<210> 925
<211> 24
<212> DNA
<213> Artificial Sequence
<220> 
<223> Description of Artificial Sequence:Artificially
Synthesized DNA Sequence
<400> 925
agtttgatgt gatagtaaat agaa                                        24
<210> 926
<211> 24
<212> DNA
<213> Artificial Sequence
<220> 
<223> Description of Artificial Sequence:Artificially
Synthesized DNA Sequence
<400> 926
aagtgttatt gaatgtgatg ttat                                        24
<210> 927
<211> 24
<212> DNA
<213> Artificial Sequence
<220> 
<223> Description of Artificial Sequence:Artificially
Synthesized DNA Sequence
<400> 927
aaattgaagt gtgataatgt ttgt                                        24
<210> 928
<211> 24
<212> DNA
<213> Artificial Sequence
<220> 
<223> Description of Artificial Sequence:Artificially
Synthesized DNA Sequence
<400> 928
gtttagtgat taaagataga ttag                                        24
<210> 929
<211> 24
<212> DNA
<213> Artificial Sequence
<220> 
<223> Description of Artificial Sequence:Artificially
Synthesized DNA Sequence
<400> 929
ataagtgtat aagagaagtg ttaa                                        24
<210> 930
<211> 24
<212> DNA
<213> Artificial Sequence
<220> 
<223> Description of Artificial Sequence:Artificially
Synthesized DNA Sequence
<400> 930
atgaatttgt ttgtgatgaa gtta                                        24
<210> 931
<211> 24
<212> DNA
<213> Artificial Sequence
<220> 
<223> Description of Artificial Sequence:Artificially
Synthesized DNA Sequence
<400> 931
aaagaattga gaaatgaaag ttag                                        24
<210> 932
<211> 24
<212> DNA
<213> Artificial Sequence
<220> 
<223> Description of Artificial Sequence:Artificially
Synthesized DNA Sequence
<400> 932
agtgtaagag tataaagtat ttga                                        24
<210> 933
<211> 24
<212> DNA
<213> Artificial Sequence
<220> 
<223> Description of Artificial Sequence:Artificially
Synthesized DNA Sequence
<400> 933
gaattaagat tgttatatgt gagt                                        24
<210> 934
<211> 24
<212> DNA
<213> Artificial Sequence
<220> 
<223> Description of Artificial Sequence:Artificially
Synthesized DNA Sequence
<400> 934
tatgaaagtg ttgtttaagt aaga                                        24
<210> 935
<211> 24
<212> DNA
<213> Artificial Sequence
<220> 
<223> Description of Artificial Sequence:Artificially
Synthesized DNA Sequence
<400> 935
taaagtaaat gttatgtgag agaa                                        24
<210> 936
<211> 24
<212> DNA
<213> Artificial Sequence
<220> 
<223> Description of Artificial Sequence:Artificially
Synthesized DNA Sequence
<400> 936
aaagatattg attgagatag agtt                                        24
<210> 937
<211> 24
<212> DNA
<213> Artificial Sequence
<220> 
<223> Description of Artificial Sequence:Artificially
Synthesized DNA Sequence
<400> 937
aagtgatatg aatatgtgag aaat                                        24
<210> 938
<211> 24
<212> DNA
<213> Artificial Sequence
<220> 
<223> Description of Artificial Sequence:Artificially
Synthesized DNA Sequence
<400> 938
aaatagagtt tgttaatgta agtg                                        24
<210> 939
<211> 24
<212> DNA
<213> Artificial Sequence
<220> 
<223> Description of Artificial Sequence:Artificially
Synthesized DNA Sequence
<400> 939
gatttagatg agttaagaat ttag                                        24
<210> 940
<211> 24
<212> DNA
<213> Artificial Sequence
<220> 
<223> Description of Artificial Sequence:Artificially
Synthesized DNA Sequence
<400> 940
ttgtaaatga gtgtgaatat tgta                                        24
<210> 941
<211> 24
<212> DNA
<213> Artificial Sequence
<220> 
<223> Description of Artificial Sequence:Artificially
Synthesized DNA Sequence
<400> 941
agtagtgtat ttgagataat agaa                                        24
<210> 942
<211> 24
<212> DNA
<213> Artificial Sequence
<220> 
<223> Description of Artificial Sequence:Artificially
Synthesized DNA Sequence
<400> 942
tgagttaaag agttgttgat attt                                        24
<210> 943
<211> 24
<212> DNA
<213> Artificial Sequence
<220> 
<223> Description of Artificial Sequence:Artificially
Synthesized DNA Sequence
<400> 943
aaagagtgta ttagaaatag tttg                                        24
<210> 944
<211> 24
<212> DNA
<213> Artificial Sequence
<220> 
<223> Description of Artificial Sequence:Artificially
Synthesized DNA Sequence
<400> 944
gtttagttat ttgatgagat aatg                                        24
<210> 945
<211> 24
<212> DNA
<213> Artificial Sequence
<220> 
<223> Description of Artificial Sequence:Artificially
Synthesized DNA Sequence
<400> 945
aagtgtaaat gaataaagag ttgt                                        24
<210> 946
<211> 24
<212> DNA
<213> Artificial Sequence
<220> 
<223> Description of Artificial Sequence:Artificially
Synthesized DNA Sequence
<400> 946
aataaagtga gtagaagtgt aatt                                        24
<210> 947
<211> 24
<212> DNA
<213> Artificial Sequence
<220> 
<223> Description of Artificial Sequence:Artificially
Synthesized DNA Sequence
<400> 947
tattgagttt gtgtaaagaa gata                                        24
<210> 948
<211> 24
<212> DNA
<213> Artificial Sequence
<220> 
<223> Description of Artificial Sequence:Artificially
Synthesized DNA Sequence
<400> 948
tttatagttg ttgtgttgaa agtt                                        24
<210> 949
<211> 24
<212> DNA
<213> Artificial Sequence
<220> 
<223> Description of Artificial Sequence:Artificially
Synthesized DNA Sequence
<400> 949
atgaaatatg attgtgtttg ttgt                                        24
<210> 950
<211> 24
<212> DNA
<213> Artificial Sequence
<220> 
<223> Description of Artificial Sequence:Artificially
Synthesized DNA Sequence
<400> 950
aaagagatgt aaagtgagtt atta                                        24
<210> 951
<211> 24
<212> DNA
<213> Artificial Sequence
<220> 
<223> Description of Artificial Sequence:Artificially
Synthesized DNA Sequence
<400> 951
ttgaagaaag ttagatgatg aatt                                        24
<210> 952
<211> 24
<212> DNA
<213> Artificial Sequence
<220> 
<223> Description of Artificial Sequence:Artificially
Synthesized DNA Sequence
<400> 952
atgttatttg tttagtttgt gtga                                        24
<210> 953
<211> 24
<212> DNA
<213> Artificial Sequence
<220> 
<223> Description of Artificial Sequence:Artificially
Synthesized DNA Sequence
<400> 953
aaatatgaat ttgaagagaa gtga                                        24
<210> 954
<211> 24
<212> DNA
<213> Artificial Sequence
<220> 
<223> Description of Artificial Sequence:Artificially
Synthesized DNA Sequence
<400> 954
gattagatat agaatattga agag                                        24
<210> 955
<211> 24
<212> DNA
<213> Artificial Sequence
<220> 
<223> Description of Artificial Sequence:Artificially
Synthesized DNA Sequence
<400> 955
ttagaataag agaaatgtat gtgt                                        24
<210> 956
<211> 24
<212> DNA
<213> Artificial Sequence
<220> 
<223> Description of Artificial Sequence:Artificially
Synthesized DNA Sequence
<400> 956
tttatgaaag agaagtgtat tatg                                        24
<210> 957
<211> 24
<212> DNA
<213> Artificial Sequence
<220> 
<223> Description of Artificial Sequence:Artificially
Synthesized DNA Sequence
<400> 957
gtaagtatta agtgtgattt agta                                        24
<210> 958
<211> 24
<212> DNA
<213> Artificial Sequence
<220> 
<223> Description of Artificial Sequence:Artificially
Synthesized DNA Sequence
<400> 958
ataaagagaa gtaaagagta aagt                                        24
<210> 959
<211> 24
<212> DNA
<213> Artificial Sequence
<220> 
<223> Description of Artificial Sequence:Artificially
Synthesized DNA Sequence
<400> 959
attgttaatt gaagtgtatg aaag                                        24
<210> 960
<211> 24
<212> DNA
<213> Artificial Sequence
<220> 
<223> Description of Artificial Sequence:Artificially
Synthesized DNA Sequence
<400> 960
tatatagttg agttgagtaa gatt                                        24
<210> 961
<211> 24
<212> DNA
<213> Artificial Sequence
<220> 
<223> Description of Artificial Sequence:Artificially
Synthesized DNA Sequence
<400> 961
tagatgagat atatgaaaga tagt                                        24
<210> 962
<211> 24
<212> DNA
<213> Artificial Sequence
<220> 
<223> Description of Artificial Sequence:Artificially
Synthesized DNA Sequence
<400> 962
ataagaagat gatttgtgta aatg                                        24
<210> 963
<211> 24
<212> DNA
<213> Artificial Sequence
<220> 
<223> Description of Artificial Sequence:Artificially
Synthesized DNA Sequence
<400> 963
ttagtaataa gaaagatgaa gaga                                        24
<210> 964
<211> 24
<212> DNA
<213> Artificial Sequence
<220> 
<223> Description of Artificial Sequence:Artificially
Synthesized DNA Sequence
<400> 964
gatttgtgag taaagtaaat agaa                                        24
<210> 965
<211> 24
<212> DNA
<213> Artificial Sequence
<220> 
<223> Description of Artificial Sequence:Artificially
Synthesized DNA Sequence
<400> 965
aaatagatgt agaatttgtg tgtt                                        24
<210> 966
<211> 24
<212> DNA
<213> Artificial Sequence
<220> 
<223> Description of Artificial Sequence:Artificially
Synthesized DNA Sequence
<400> 966
gaaattagtg tttgtgtgta ttat                                        24
<210> 967
<211> 24
<212> DNA
<213> Artificial Sequence
<220> 
<223> Description of Artificial Sequence:Artificially
Synthesized DNA Sequence
<400> 967
atttgagtat gatagaagat tgtt                                        24
<210> 968
<211> 24
<212> DNA
<213> Artificial Sequence
<220> 
<223> Description of Artificial Sequence:Artificially
Synthesized DNA Sequence
<400> 968
atagagttga agtatgtaaa gttt                                        24
<210> 969
<211> 24
<212> DNA
<213> Artificial Sequence
<220> 
<223> Description of Artificial Sequence:Artificially
Synthesized DNA Sequence
<400> 969
taatttgtga atgttgttat tgtg                                        24
<210> 970
<211> 24
<212> DNA
<213> Artificial Sequence
<220> 
<223> Description of Artificial Sequence:Artificially
Synthesized DNA Sequence
<400> 970
ttagtttatg agagtgagat ttaa                                        24
<210> 971
<211> 24
<212> DNA
<213> Artificial Sequence
<220> 
<223> Description of Artificial Sequence:Artificially
Synthesized DNA Sequence
<400> 971
gttgttagag tgtttatgaa attt                                        24
<210> 972
<211> 24
<212> DNA
<213> Artificial Sequence
<220> 
<223> Description of Artificial Sequence:Artificially
Synthesized DNA Sequence
<400> 972
tttattgtga tgtgaaataa gaga                                        24
<210> 973
<211> 24
<212> DNA
<213> Artificial Sequence
<220> 
<223> Description of Artificial Sequence:Artificially
Synthesized DNA Sequence
<400> 973
gtaagtaata tgatagtgat taag                                        24
<210> 974
<211> 24
<212> DNA
<213> Artificial Sequence
<220> 
<223> Description of Artificial Sequence:Artificially
Synthesized DNA Sequence
<400> 974
tgagatgatg tatatgtagt aata                                        24
<210> 975
<211> 24
<212> DNA
<213> Artificial Sequence
<220> 
<223> Description of Artificial Sequence:Artificially
Synthesized DNA Sequence
<400> 975
aattgagaaa gagataaatg atag                                        24
<210> 976
<211> 24
<212> DNA
<213> Artificial Sequence
<220> 
<223> Description of Artificial Sequence:Artificially
Synthesized DNA Sequence
<400> 976
tttgaagtga tgttagaatg ttta                                        24
<210> 977
<211> 24
<212> DNA
<213> Artificial Sequence
<220> 
<223> Description of Artificial Sequence:Artificially
Synthesized DNA Sequence
<400> 977
agttgttgtg taattgttag taaa                                        24
<210> 978
<211> 24
<212> DNA
<213> Artificial Sequence
<220> 
<223> Description of Artificial Sequence:Artificially
Synthesized DNA Sequence
<400> 978
atagtgagaa gtgataagat attt                                        24
<210> 979
<211> 24
<212> DNA
<213> Artificial Sequence
<220> 
<223> Description of Artificial Sequence:Artificially
Synthesized DNA Sequence
<400> 979
gtgtgataag taattgagtt aaat                                        24
<210> 980
<211> 24
<212> DNA
<213> Artificial Sequence
<220> 
<223> Description of Artificial Sequence:Artificially
Synthesized DNA Sequence
<400> 980
tagttattgt ttgtgaattt gaga                                        24
<210> 981
<211> 24
<212> DNA
<213> Artificial Sequence
<220> 
<223> Description of Artificial Sequence:Artificially
Synthesized DNA Sequence
<400> 981
atagttgaat agtaatttga agag                                        24
<210> 982
<211> 24
<212> DNA
<213> Artificial Sequence
<220> 
<223> Description of Artificial Sequence:Artificially
Synthesized DNA Sequence
<400> 982
atgtttgtgt ttgaatagag aata                                        24
<210> 983
<211> 24
<212> DNA
<213> Artificial Sequence
<220> 
<223> Description of Artificial Sequence:Artificially
Synthesized DNA Sequence
<400> 983
tgataaagat atgagagatt gtaa                                        24
<210> 984
<211> 24
<212> DNA
<213> Artificial Sequence
<220> 
<223> Description of Artificial Sequence:Artificially
Synthesized DNA Sequence
<400> 984
taaagatgag atgttgttaa agtt                                        24
<210> 985
<211> 24
<212> DNA
<213> Artificial Sequence
<220> 
<223> Description of Artificial Sequence:Artificially
Synthesized DNA Sequence
<400> 985
aagtgaaatt tgtaagaatt agtg                                        24
<210> 986
<211> 24
<212> DNA
<213> Artificial Sequence
<220> 
<223> Description of Artificial Sequence:Artificially
Synthesized DNA Sequence
<400> 986
gaaatgagag ttattgatag ttta                                        24
<210> 987
<211> 24
<212> DNA
<213> Artificial Sequence
<220> 
<223> Description of Artificial Sequence:Artificially
Synthesized DNA Sequence
<400> 987
tttgtaaatg agatatagtg ttag                                        24
<210> 988
<211> 24
<212> DNA
<213> Artificial Sequence
<220> 
<223> Description of Artificial Sequence:Artificially
Synthesized DNA Sequence
<400> 988
gttaattgtg atatttgatt agtg                                        24
<210> 989
<211> 24
<212> DNA
<213> Artificial Sequence
<220> 
<223> Description of Artificial Sequence:Artificially
Synthesized DNA Sequence
<400> 989
agagtgttga taaagatgtt tata                                        24
<210> 990
<211> 24
<212> DNA
<213> Artificial Sequence
<220> 
<223> Description of Artificial Sequence:Artificially
Synthesized DNA Sequence
<400> 990
aattgtgaga aattgataag aaga                                        24
<210> 991
<211> 24
<212> DNA
<213> Artificial Sequence
<220> 
<223> Description of Artificial Sequence:Artificially
Synthesized DNA Sequence
<400> 991
ttaaagagaa ttgagaagag aaat                                        24
<210> 992
<211> 24
<212> DNA
<213> Artificial Sequence
<220> 
<223> Description of Artificial Sequence:Artificially
Synthesized DNA Sequence
<400> 992
ttgttagaag aattgaatgt atgt                                        24
<210> 993
<211> 24
<212> DNA
<213> Artificial Sequence
<220> 
<223> Description of Artificial Sequence:Artificially
Synthesized DNA Sequence
<400> 993
agttaagata tgtgtgatgt ttaa                                        24
<210> 994
<211> 24
<212> DNA
<213> Artificial Sequence
<220> 
<223> Description of Artificial Sequence:Artificially
Synthesized DNA Sequence
<400> 994
tgagttatgt tgtaatagaa attg                                        24
<210> 995
<211> 24
<212> DNA
<213> Artificial Sequence
<220> 
<223> Description of Artificial Sequence:Artificially
Synthesized DNA Sequence
<400> 995
ttagataagt ttagagattg agaa                                        24
<210> 996
<211> 24
<212> DNA
<213> Artificial Sequence
<220> 
<223> Description of Artificial Sequence:Artificially
Synthesized DNA Sequence
<400> 996
atgagtaata agagtatttg aagt                                        24
<210> 997
<211> 24
<212> DNA
<213> Artificial Sequence
<220> 
<223> Description of Artificial Sequence:Artificially
Synthesized DNA Sequence
<400> 997
tgtttaagtg taatgatttg ttag                                        24
<210> 998
<211> 24
<212> DNA
<213> Artificial Sequence
<220> 
<223> Description of Artificial Sequence:Artificially
Synthesized DNA Sequence
<400> 998
ttgaagaaga ttgttattgt tgaa                                        24
<210> 999
<211> 24
<212> DNA
<213> Artificial Sequence
<220> 
<223> Description of Artificial Sequence:Artificially
Synthesized DNA Sequence
<400> 999
tatagaaaga ttaaagagtg aatg                                        24
<210> 1000
<211> 24
<212> DNA
<213> Artificial Sequence
<220> 
<223> Description of Artificial Sequence:Artificially
Synthesized DNA Sequence
<400> 1000
taaattgtta gaaatttgag tgtg                                        24
<210> 1001
<211> 24
<212> DNA
<213> Artificial Sequence
<220> 
<223> Description of Artificial Sequence:Artificially
Synthesized DNA Sequence
<400> 1001
attgttagtg tgttattgat tatg                                        24
<210> 1002
<211> 24
<212> DNA
<213> Artificial Sequence
<220> 
<223> Description of Artificial Sequence:Artificially
Synthesized DNA Sequence
<400> 1002
gagaattatg tgtgaatata gaaa                                        24
<210> 1003
<211> 24
<212> DNA
<213> Artificial Sequence
<220> 
<223> Description of Artificial Sequence:Artificially
Synthesized DNA Sequence
<400> 1003
ttgattgata aagtaaagag tgta                                        24
<210> 1004
<211> 24
<212> DNA
<213> Artificial Sequence
<220> 
<223> Description of Artificial Sequence:Artificially
Synthesized DNA Sequence
<400> 1004
gtgtgtaaat tgaatatgtt aatg                                        24
<210> 1005
<211> 24
<212> DNA
<213> Artificial Sequence
<220> 
<223> Description of Artificial Sequence:Artificially
Synthesized DNA Sequence
<400> 1005
aaagtaaaga aagaagtttg aaag                                        24
<210> 1006
<211> 24
<212> DNA
<213> Artificial Sequence
<220> 
<223> Description of Artificial Sequence:Artificially
Synthesized DNA Sequence
<400> 1006
tttagttgaa gaatagaaag aaag                                        24
<210> 1007
<211> 24
<212> DNA
<213> Artificial Sequence
<220> 
<223> Description of Artificial Sequence:Artificially
Synthesized DNA Sequence
<400> 1007
gtgtaataag agtgaatagt aatt                                        24
<210> 1008
<211> 24
<212> DNA
<213> Artificial Sequence
<220> 
<223> Description of Artificial Sequence:Artificially
Synthesized DNA Sequence
<400> 1008
tattgaaata agagagattt gtga                                        24
<210> 1009
<211> 24
<212> DNA
<213> Artificial Sequence
<220> 
<223> Description of Artificial Sequence:Artificially
Synthesized DNA Sequence
<400> 1009
atgagaaaga agaagttaag attt                                        24
<210> 1010
<211> 24
<212> DNA
<213> Artificial Sequence
<220> 
<223> Description of Artificial Sequence:Artificially
Synthesized DNA Sequence
<400> 1010
aagagtgagt atattgttaa agaa                                        24
<210> 1011
<211> 24
<212> DNA
<213> Artificial Sequence
<220> 
<223> Description of Artificial Sequence:Artificially
Synthesized DNA Sequence
<400> 1011
tttgtaaagt gatgatgtaa gata                                        24
<210> 1012
<211> 24
<212> DNA
<213> Artificial Sequence
<220> 
<223> Description of Artificial Sequence:Artificially
Synthesized DNA Sequence
<400> 1012
gatgttatgt gatgaaatat gtat                                        24
<210> 1013
<211> 24
<212> DNA
<213> Artificial Sequence
<220> 
<223> Description of Artificial Sequence:Artificially
Synthesized DNA Sequence
<400> 1013
gtagaataaa gtgttaaagt gtta                                        24
<210> 1014
<211> 24
<212> DNA
<213> Artificial Sequence
<220> 
<223> Description of Artificial Sequence:Artificially
Synthesized DNA Sequence
<400> 1014
aaagagtatg tgtgtatgat attt                                        24
<210> 1015
<211> 24
<212> DNA
<213> Artificial Sequence
<220> 
<223> Description of Artificial Sequence:Artificially
Synthesized DNA Sequence
<400> 1015
aaagataaga gttagtaaat tgtg                                        24
<210> 1016
<211> 24
<212> DNA
<213> Artificial Sequence
<220> 
<223> Description of Artificial Sequence:Artificially
Synthesized DNA Sequence
<400> 1016
aagaattaga gaataagtgt gata                                        24
<210> 1017
<211> 24
<212> DNA
<213> Artificial Sequence
<220> 
<223> Description of Artificial Sequence:Artificially
Synthesized DNA Sequence
<400> 1017
gataagaaag tgaaatgtaa attg                                        24
<210> 1018
<211> 24
<212> DNA
<213> Artificial Sequence
<220> 
<223> Description of Artificial Sequence:Artificially
Synthesized DNA Sequence
<400> 1018
gatgaaagat gtttaaagtt tgtt                                        24
<210> 1019
<211> 24
<212> DNA
<213> Artificial Sequence
<220> 
<223> Description of Artificial Sequence:Artificially
Synthesized DNA Sequence
<400> 1019
agtgtaagta ataagtttga gaaa                                        24
<210> 1020
<211> 24
<212> DNA
<213> Artificial Sequence
<220> 
<223> Description of Artificial Sequence:Artificially
Synthesized DNA Sequence
<400> 1020
gttgagaatt agaatttgat aaag                                        24
<210> 1021
<211> 24
<212> DNA
<213> Artificial Sequence
<220> 
<223> Description of Artificial Sequence:Artificially
Synthesized DNA Sequence
<400> 1021
ttaagaaatt tgtatgtgtt gttg                                        24
<210> 1022
<211> 24
<212> DNA
<213> Artificial Sequence
<220> 
<223> Description of Artificial Sequence:Artificially
Synthesized DNA Sequence
<400> 1022
agaagattta gatgaaatga gttt                                        24
<210> 1023
<211> 24
<212> DNA
<213> Artificial Sequence
<220> 
<223> Description of Artificial Sequence:Artificially
Synthesized DNA Sequence
<400> 1023
taagtttgag ataaagatga tatg                                        24
<210> 1024
<211> 24
<212> DNA
<213> Artificial Sequence
<220> 
<223> Description of Artificial Sequence:Artificially
Synthesized DNA Sequence
<400> 1024
tgagatagtt tgtaatatgt ttgt                                        24
<210> 1025
<211> 24
<212> DNA
<213> Artificial Sequence
<220> 
<223> Description of Artificial Sequence:Artificially
Synthesized DNA Sequence
<400> 1025
agtttgaaat tgtaagtttg atga                                        24
<210> 1026
<211> 24
<212> DNA
<213> Artificial Sequence
<220> 
<223> Description of Artificial Sequence:Artificially
Synthesized DNA Sequence
<400> 1026
tagaattgat taatgatgag tagt                                        24
<210> 1027
<211> 24
<212> DNA
<213> Artificial Sequence
<220> 
<223> Description of Artificial Sequence:Artificially
Synthesized DNA Sequence
<400> 1027
agagatttgt aataagtatt gaag                                        24
<210> 1028
<211> 24
<212> DNA
<213> Artificial Sequence
<220> 
<223> Description of Artificial Sequence:Artificially
Synthesized DNA Sequence
<400> 1028
ataatgatgt aatgtaagta gtgt                                        24
<210> 1029
<211> 24
<212> DNA
<213> Artificial Sequence
<220> 
<223> Description of Artificial Sequence:Artificially
Synthesized DNA Sequence
<400> 1029
tgaaatttga tgagagatat gtta                                        24
<210> 1030
<211> 24
<212> DNA
<213> Artificial Sequence
<220> 
<223> Description of Artificial Sequence:Artificially
Synthesized DNA Sequence
<400> 1030
tgtgtaaagt atagtttatg ttag                                        24
<210> 1031
<211> 24
<212> DNA
<213> Artificial Sequence
<220> 
<223> Description of Artificial Sequence:Artificially
Synthesized DNA Sequence
<400> 1031
tgaataagtg aaatagaatg aatg                                        24
<210> 1032
<211> 24
<212> DNA
<213> Artificial Sequence
<220> 
<223> Description of Artificial Sequence:Artificially
Synthesized DNA Sequence
<400> 1032
aaagaaagat tgtaataagt agag                                        24
<210> 1033
<211> 24
<212> DNA
<213> Artificial Sequence
<220> 
<223> Description of Artificial Sequence:Artificially
Synthesized DNA Sequence
<400> 1033
aatgaaatag tgttaaatga gtgt                                        24
<210> 1034
<211> 24
<212> DNA
<213> Artificial Sequence
<220> 
<223> Description of Artificial Sequence:Artificially
Synthesized DNA Sequence
<400> 1034
gtagataaag atgtgaatta tgat                                        24
<210> 1035
<211> 24
<212> DNA
<213> Artificial Sequence
<220> 
<223> Description of Artificial Sequence:Artificially
Synthesized DNA Sequence
<400> 1035
gatagtatat gtgtgtattt gttt                                        24
<210> 1036
<211> 24
<212> DNA
<213> Artificial Sequence
<220> 
<223> Description of Artificial Sequence:Artificially
Synthesized DNA Sequence
<400> 1036
atgtttgtag aaatgtttga agat                                        24
<210> 1037
<211> 24
<212> DNA
<213> Artificial Sequence
<220> 
<223> Description of Artificial Sequence:Artificially
Synthesized DNA Sequence
<400> 1037
aaatttgtag agagaaattt gttg                                        24
<210> 1038
<211> 24
<212> DNA
<213> Artificial Sequence
<220> 
<223> Description of Artificial Sequence:Artificially
Synthesized DNA Sequence
<400> 1038
tagaataaga ttagtaagtg taga                                        24
<210> 1039
<211> 24
<212> DNA
<213> Artificial Sequence
<220> 
<223> Description of Artificial Sequence:Artificially
Synthesized DNA Sequence
<400> 1039
tgatttagag aaatatgagt agaa                                        24
<210> 1040
<211> 24
<212> DNA
<213> Artificial Sequence
<220> 
<223> Description of Artificial Sequence:Artificially
Synthesized DNA Sequence
<400> 1040
aatagagtat gttgtttatg agaa                                        24
<210> 1041
<211> 24
<212> DNA
<213> Artificial Sequence
<220> 
<223> Description of Artificial Sequence:Artificially
Synthesized DNA Sequence
<400> 1041
gatgatgaag agtttattgt aaat                                        24
<210> 1042
<211> 24
<212> DNA
<213> Artificial Sequence
<220> 
<223> Description of Artificial Sequence:Artificially
Synthesized DNA Sequence
<400> 1042
aagtaaagaa gaagaaatgt gtta                                        24
<210> 1043
<211> 24
<212> DNA
<213> Artificial Sequence
<220> 
<223> Description of Artificial Sequence:Artificially
Synthesized DNA Sequence
<400> 1043
ttgaagaatt aagtgtttag tgta                                        24
<210> 1044
<211> 24
<212> DNA
<213> Artificial Sequence
<220> 
<223> Description of Artificial Sequence:Artificially
Synthesized DNA Sequence
<400> 1044
agaaagaatg ttgatttatg atgt                                        24
<210> 1045
<211> 24
<212> DNA
<213> Artificial Sequence
<220> 
<223> Description of Artificial Sequence:Artificially
Synthesized DNA Sequence
<400> 1045
gattaaagag atgttgattg aaat                                        24
<210> 1046
<211> 24
<212> DNA
<213> Artificial Sequence
<220> 
<223> Description of Artificial Sequence:Artificially
Synthesized DNA Sequence
<400> 1046
aatgataatt gttgagagag taat                                        24
<210> 1047
<211> 24
<212> DNA
<213> Artificial Sequence
<220> 
<223> Description of Artificial Sequence:Artificially
Synthesized DNA Sequence
<400> 1047
gtttgttgaa agtgtaaagt atat                                        24
<210> 1048
<211> 24
<212> DNA
<213> Artificial Sequence
<220> 
<223> Description of Artificial Sequence:Artificially
Synthesized DNA Sequence
<400> 1048
tgagttatat gagaaagtgt aatt                                        24
<210> 1049
<211> 24
<212> DNA
<213> Artificial Sequence
<220> 
<223> Description of Artificial Sequence:Artificially
Synthesized DNA Sequence
<400> 1049
ttgtgagaaa gaagtatata gaat                                        24
<210> 1050
<211> 24
<212> DNA
<213> Artificial Sequence
<220> 
<223> Description of Artificial Sequence:Artificially
Synthesized DNA Sequence
<400> 1050
gtaagtttag agttatagag ttta                                        24
<210> 1051
<211> 24
<212> DNA
<213> Artificial Sequence
<220> 
<223> Description of Artificial Sequence:Artificially
Synthesized DNA Sequence
<400> 1051
gatagataga taagttaatt gaag                                        24
<210> 1052
<211> 24
<212> DNA
<213> Artificial Sequence
<220> 
<223> Description of Artificial Sequence:Artificially
Synthesized DNA Sequence
<400> 1052
agagatgatt gtttatgtat tatg                                        24
<210> 1053
<211> 24
<212> DNA
<213> Artificial Sequence
<220> 
<223> Description of Artificial Sequence:Artificially
Synthesized DNA Sequence
<400> 1053
aaagttaaga aattgtagtg atag                                        24
<210> 1054
<211> 24
<212> DNA
<213> Artificial Sequence
<220> 
<223> Description of Artificial Sequence:Artificially
Synthesized DNA Sequence
<400> 1054
tttgatattg tttgtgagtg tata                                        24
<210> 1055
<211> 24
<212> DNA
<213> Artificial Sequence
<220> 
<223> Description of Artificial Sequence:Artificially
Synthesized DNA Sequence
<400> 1055
atttgtagaa agttgttatg agtt                                        24
<210> 1056
<211> 24
<212> DNA
<213> Artificial Sequence
<220> 
<223> Description of Artificial Sequence:Artificially
Synthesized DNA Sequence
<400> 1056
gatttgagta agtttataga tgaa                                        24
<210> 1057
<211> 24
<212> DNA
<213> Artificial Sequence
<220> 
<223> Description of Artificial Sequence:Artificially
Synthesized DNA Sequence
<400> 1057
aagataaagt gagttgattt agat                                        24
<210> 1058
<211> 24
<212> DNA
<213> Artificial Sequence
<220> 
<223> Description of Artificial Sequence:Artificially
Synthesized DNA Sequence
<400> 1058
gatattgtaa gatatgttgt aaag                                        24
<210> 1059
<211> 24
<212> DNA
<213> Artificial Sequence
<220> 
<223> Description of Artificial Sequence:Artificially
Synthesized DNA Sequence
<400> 1059
gtaagagtgt attgtaagtt aatt                                        24
<210> 1060
<211> 24
<212> DNA
<213> Artificial Sequence
<220> 
<223> Description of Artificial Sequence:Artificially
Synthesized DNA Sequence
<400> 1060
gtgtgattag taatgaagta ttta                                        24
<210> 1061
<211> 24
<212> DNA
<213> Artificial Sequence
<220> 
<223> Description of Artificial Sequence:Artificially
Synthesized DNA Sequence
<400> 1061
gtaagaaaga ttaagtgtta gtaa                                        24
<210> 1062
<211> 24
<212> DNA
<213> Artificial Sequence
<220> 
<223> Description of Artificial Sequence:Artificially
Synthesized DNA Sequence
<400> 1062
agtagaaagt tgaaattgat tatg                                        24
<210> 1063
<211> 24
<212> DNA
<213> Artificial Sequence
<220> 
<223> Description of Artificial Sequence:Artificially
Synthesized DNA Sequence
<400> 1063
taagagaagt tgagtaatgt attt                                        24
<210> 1064
<211> 24
<212> DNA
<213> Artificial Sequence
<220> 
<223> Description of Artificial Sequence:Artificially
Synthesized DNA Sequence
<400> 1064
gttaagaaat agtagataag tgaa                                        24
<210> 1065
<211> 24
<212> DNA
<213> Artificial Sequence
<220> 
<223> Description of Artificial Sequence:Artificially
Synthesized DNA Sequence
<400> 1065
taagtaaatt gaaagtgtat agtg                                        24
<210> 1066
<211> 24
<212> DNA
<213> Artificial Sequence
<220> 
<223> Description of Artificial Sequence:Artificially
Synthesized DNA Sequence
<400> 1066
aagatgtatg tttattgttg tgta                                        24
<210> 1067
<211> 24
<212> DNA
<213> Artificial Sequence
<220> 
<223> Description of Artificial Sequence:Artificially
Synthesized DNA Sequence
<400> 1067
atttagaata tagtgaagag atag                                        24
<210> 1068
<211> 24
<212> DNA
<213> Artificial Sequence
<220> 
<223> Description of Artificial Sequence:Artificially
Synthesized DNA Sequence
<400> 1068
gttatgaaag agtatgtgtt aaat                                        24
<210> 1069
<211> 24
<212> DNA
<213> Artificial Sequence
<220> 
<223> Description of Artificial Sequence:Artificially
Synthesized DNA Sequence
<400> 1069
tattatgtga agaagaatga ttag                                        24
<210> 1070
<211> 24
<212> DNA
<213> Artificial Sequence
<220> 
<223> Description of Artificial Sequence:Artificially
Synthesized DNA Sequence
<400> 1070
taataagttg aagagaattg ttgt                                        24
<210> 1071
<211> 24
<212> DNA
<213> Artificial Sequence
<220> 
<223> Description of Artificial Sequence:Artificially
Synthesized DNA Sequence
<400> 1071
tgatgtttga tgtaattgtt aaag                                        24
<210> 1072
<211> 24
<212> DNA
<213> Artificial Sequence
<220> 
<223> Description of Artificial Sequence:Artificially
Synthesized DNA Sequence
<400> 1072
gtgaaagatt tgagtttgta taat                                        24
<210> 1073
<211> 24
<212> DNA
<213> Artificial Sequence
<220> 
<223> Description of Artificial Sequence:Artificially
Synthesized DNA Sequence
<400> 1073
agagaatata gattgagatt tgtt                                        24
<210> 1074
<211> 24
<212> DNA
<213> Artificial Sequence
<220> 
<223> Description of Artificial Sequence:Artificially
Synthesized DNA Sequence
<400> 1074
tttgagatgt gatgataaag ttaa                                        24
<210> 1075
<211> 24
<212> DNA
<213> Artificial Sequence
<220> 
<223> Description of Artificial Sequence:Artificially
Synthesized DNA Sequence
<400> 1075
gttgtaaatt gtagtaaaga agta                                        24
<210> 1076
<211> 24
<212> DNA
<213> Artificial Sequence
<220> 
<223> Description of Artificial Sequence:Artificially
Synthesized DNA Sequence
<400> 1076
gtgttatgat gttgtttgta ttat                                        24
<210> 1077
<211> 24
<212> DNA
<213> Artificial Sequence
<220> 
<223> Description of Artificial Sequence:Artificially
Synthesized DNA Sequence
<400> 1077
attattgtgt agatgtatta agag                                        24
<210> 1078
<211> 24
<212> DNA
<213> Artificial Sequence
<220> 
<223> Description of Artificial Sequence:Artificially
Synthesized DNA Sequence
<400> 1078
gttagaaaga tttagaagtt agtt                                        24
<210> 1079
<211> 24
<212> DNA
<213> Artificial Sequence
<220> 
<223> Description of Artificial Sequence:Artificially
Synthesized DNA Sequence
<400> 1079
ttgtgtatta agagagtgaa atat                                        24
<210> 1080
<211> 24
<212> DNA
<213> Artificial Sequence
<220> 
<223> Description of Artificial Sequence:Artificially
Synthesized DNA Sequence
<400> 1080
gtttaagata gaaagagtga ttta                                        24
<210> 1081
<211> 24
<212> DNA
<213> Artificial Sequence
<220> 
<223> Description of Artificial Sequence:Artificially
Synthesized DNA Sequence
<400> 1081
aatgagaaat agatagttat tgtg                                        24
<210> 1082
<211> 24
<212> DNA
<213> Artificial Sequence
<220> 
<223> Description of Artificial Sequence:Artificially
Synthesized DNA Sequence
<400> 1082
tgaattgaat aagaatttgt tgtg                                        24
<210> 1083
<211> 24
<212> DNA
<213> Artificial Sequence
<220> 
<223> Description of Artificial Sequence:Artificially
Synthesized DNA Sequence
<400> 1083
aataagattg aattagtgag taag                                        24
<210> 1084
<211> 24
<212> DNA
<213> Artificial Sequence
<220> 
<223> Description of Artificial Sequence:Artificially
Synthesized DNA Sequence
<400> 1084
aatgtttgag agatttagta aaga                                        24
<210> 1085
<211> 24
<212> DNA
<213> Artificial Sequence
<220> 
<223> Description of Artificial Sequence:Artificially
Synthesized DNA Sequence
<400> 1085
agtttagaat agaaatgtgt ttga                                        24
<210> 1086
<211> 24
<212> DNA
<213> Artificial Sequence
<220> 
<223> Description of Artificial Sequence:Artificially
Synthesized DNA Sequence
<400> 1086
tataagtaag tgttaagatt tgag                                        24
<210> 1087
<211> 24
<212> DNA
<213> Artificial Sequence
<220> 
<223> Description of Artificial Sequence:Artificially
Synthesized DNA Sequence
<400> 1087
gtagtgaata agttagtgtt aata                                        24
<210> 1088
<211> 24
<212> DNA
<213> Artificial Sequence
<220> 
<223> Description of Artificial Sequence:Artificially
Synthesized DNA Sequence
<400> 1088
aagtgtgtta aagtaaatgt agat                                        24
<210> 1089
<211> 24
<212> DNA
<213> Artificial Sequence
<220> 
<223> Description of Artificial Sequence:Artificially
Synthesized DNA Sequence
<400> 1089
agagatgttt atgttgtgaa ttaa                                        24
<210> 1090
<211> 24
<212> DNA
<213> Artificial Sequence
<220> 
<223> Description of Artificial Sequence:Artificially
Synthesized DNA Sequence
<400> 1090
agttgaatat tgatgataag aaga                                        24
<210> 1091
<211> 24
<212> DNA
<213> Artificial Sequence
<220> 
<223> Description of Artificial Sequence:Artificially
Synthesized DNA Sequence
<400> 1091
tgaatgtgag atgtttagaa taat                                        24
<210> 1092
<211> 24
<212> DNA
<213> Artificial Sequence
<220> 
<223> Description of Artificial Sequence:Artificially
Synthesized DNA Sequence
<400> 1092
aataatgatg taagtttgag tttg                                        24
<210> 1093
<211> 24
<212> DNA
<213> Artificial Sequence
<220> 
<223> Description of Artificial Sequence:Artificially
Synthesized DNA Sequence
<400> 1093
aaagagtgaa tagaaataag agaa                                        24
<210> 1094
<211> 24
<212> DNA
<213> Artificial Sequence
<220> 
<223> Description of Artificial Sequence:Artificially
Synthesized DNA Sequence
<400> 1094
aataaagtta ttgagagagt ttag                                        24
<210> 1095
<211> 24
<212> DNA
<213> Artificial Sequence
<220> 
<223> Description of Artificial Sequence:Artificially
Synthesized DNA Sequence
<400> 1095
agtagtgttg tagtttagta tata                                        24
<210> 1096
<211> 24
<212> DNA
<213> Artificial Sequence
<220> 
<223> Description of Artificial Sequence:Artificially
Synthesized DNA Sequence
<400> 1096
gtaagaatgt attagatatt tgtg                                        24
<210> 1097
<211> 24
<212> DNA
<213> Artificial Sequence
<220> 
<223> Description of Artificial Sequence:Artificially
Synthesized DNA Sequence
<400> 1097
gataaatgtt tgataaagta gttg                                        24
<210> 1098
<211> 24
<212> DNA
<213> Artificial Sequence
<220> 
<223> Description of Artificial Sequence:Artificially
Synthesized DNA Sequence
<400> 1098
atagtatgta tgtgtgaaga ttta                                        24
<210> 1099
<211> 24
<212> DNA
<213> Artificial Sequence
<220> 
<223> Description of Artificial Sequence:Artificially
Synthesized DNA Sequence
<400> 1099
atgaatgtag agtgattagt ttaa                                        24
<210> 1100
<211> 24
<212> DNA
<213> Artificial Sequence
<220> 
<223> Description of Artificial Sequence:Artificially
Synthesized DNA Sequence
<400> 1100
gtagtattta gtgatgtaag aata                                        24
<210> 1101
<211> 24
<212> DNA
<213> Artificial Sequence
<220> 
<223> Description of Artificial Sequence:Artificially
Synthesized DNA Sequence
<400> 1101
agaattgtat tgaagaagaa tatg                                        24
<210> 1102
<211> 24
<212> DNA
<213> Artificial Sequence
<220> 
<223> Description of Artificial Sequence:Artificially
Synthesized DNA Sequence
<400> 1102
tttatagaat tgagagaagt taag                                        24
<210> 1103
<211> 24
<212> DNA
<213> Artificial Sequence
<220> 
<223> Description of Artificial Sequence:Artificially
Synthesized DNA Sequence
<400> 1103
aaagtagtag agatttgaga atta                                        24
<210> 1104
<211> 24
<212> DNA
<213> Artificial Sequence
<220> 
<223> Description of Artificial Sequence:Artificially
Synthesized DNA Sequence
<400> 1104
tttaaagaaa gtattgtaag agtg                                        24
<210> 1105
<211> 24
<212> DNA
<213> Artificial Sequence
<220> 
<223> Description of Artificial Sequence:Artificially
Synthesized DNA Sequence
<400> 1105
aaattgagaa agtgaatgaa gttt                                        24
<210> 1106
<211> 24
<212> DNA
<213> Artificial Sequence
<220> 
<223> Description of Artificial Sequence:Artificially
Synthesized DNA Sequence
<400> 1106
aagaaataag tatgatagta gtag                                        24
<210> 1107
<211> 24
<212> DNA
<213> Artificial Sequence
<220> 
<223> Description of Artificial Sequence:Artificially
Synthesized DNA Sequence
<400> 1107
atttgaattg tattgtagtt tgtg                                        24
<210> 1108
<211> 24
<212> DNA
<213> Artificial Sequence
<220> 
<223> Description of Artificial Sequence:Artificially
Synthesized DNA Sequence
<400> 1108
aagagaataa tgtagagata taag                                        24
<210> 1109
<211> 24
<212> DNA
<213> Artificial Sequence
<220> 
<223> Description of Artificial Sequence:Artificially
Synthesized DNA Sequence
<400> 1109
tgtgtaatag ttgttaatga gtaa                                        24
<210> 1110
<211> 24
<212> DNA
<213> Artificial Sequence
<220> 
<223> Description of Artificial Sequence:Artificially
Synthesized DNA Sequence
<400> 1110
tatagttgta gtttagatga atgt                                        24
<210> 1111
<211> 24
<212> DNA
<213> Artificial Sequence
<220> 
<223> Description of Artificial Sequence:Artificially
Synthesized DNA Sequence
<400> 1111
attgtgttag aatgatgtta atag                                        24
<210> 1112
<211> 24
<212> DNA
<213> Artificial Sequence
<220> 
<223> Description of Artificial Sequence:Artificially
Synthesized DNA Sequence
<400> 1112
gtttgtatag tatttgattg atgt                                        24
<210> 1113
<211> 24
<212> DNA
<213> Artificial Sequence
<220> 
<223> Description of Artificial Sequence:Artificially
Synthesized DNA Sequence
<400> 1113
agagtaaagt atgagttatg aata                                        24
<210> 1114
<211> 24
<212> DNA
<213> Artificial Sequence
<220> 
<223> Description of Artificial Sequence:Artificially
Synthesized DNA Sequence
<400> 1114
gaaagtttaa gtgatgtata ttgt                                        24
<210> 1115
<211> 24
<212> DNA
<213> Artificial Sequence
<220> 
<223> Description of Artificial Sequence:Artificially
Synthesized DNA Sequence
<400> 1115
ttaaatgata aagagtagtg aagt                                        24
<210> 1116
<211> 24
<212> DNA
<213> Artificial Sequence
<220> 
<223> Description of Artificial Sequence:Artificially
Synthesized DNA Sequence
<400> 1116
ttaaatgtgt gagaagatga ataa                                        24
<210> 1117
<211> 24
<212> DNA
<213> Artificial Sequence
<220> 
<223> Description of Artificial Sequence:Artificially
Synthesized DNA Sequence
<400> 1117
atttgtataa agtgaagaag agaa                                        24
<210> 1118
<211> 24
<212> DNA
<213> Artificial Sequence
<220> 
<223> Description of Artificial Sequence:Artificially
Synthesized DNA Sequence
<400> 1118
tgattagtat ttgtgaagag attt                                        24
<210> 1119
<211> 24
<212> DNA
<213> Artificial Sequence
<220> 
<223> Description of Artificial Sequence:Artificially
Synthesized DNA Sequence
<400> 1119
tttgaatgaa attgatgata gatg                                        24
<210> 1120
<211> 24
<212> DNA
<213> Artificial Sequence
<220> 
<223> Description of Artificial Sequence:Artificially
Synthesized DNA Sequence
<400> 1120
agagtaagat taagaataag aaag                                        24
<210> 1121
<211> 24
<212> DNA
<213> Artificial Sequence
<220> 
<223> Description of Artificial Sequence:Artificially
Synthesized DNA Sequence
<400> 1121
attgaattga gaagtgaagt aaat                                        24
<210> 1122
<211> 24
<212> DNA
<213> Artificial Sequence
<220> 
<223> Description of Artificial Sequence:Artificially
Synthesized DNA Sequence
<400> 1122
tttagagaag tattgtttga aaga                                        24
<210> 1123
<211> 24
<212> DNA
<213> Artificial Sequence
<220> 
<223> Description of Artificial Sequence:Artificially
Synthesized DNA Sequence
<400> 1123
taaagtgaaa gatttgaaat gatg                                        24
<210> 1124
<211> 24
<212> DNA
<213> Artificial Sequence
<220> 
<223> Description of Artificial Sequence:Artificially
Synthesized DNA Sequence
<400> 1124
gaaagttaga gaaatgtaga aatt                                        24
<210> 1125
<211> 24
<212> DNA
<213> Artificial Sequence
<220> 
<223> Description of Artificial Sequence:Artificially
Synthesized DNA Sequence
<400> 1125
gtgaataatg aagaagttat gtta                                        24
<210> 1126
<211> 24
<212> DNA
<213> Artificial Sequence
<220> 
<223> Description of Artificial Sequence:Artificially
Synthesized DNA Sequence
<400> 1126
ttgtgaataa agtagatgtg ttat                                        24
<210> 1127
<211> 24
<212> DNA
<213> Artificial Sequence
<220> 
<223> Description of Artificial Sequence:Artificially
Synthesized DNA Sequence
<400> 1127
ttatatgata tgagtttgtg ttga                                        24
<210> 1128
<211> 24
<212> DNA
<213> Artificial Sequence
<220> 
<223> Description of Artificial Sequence:Artificially
Synthesized DNA Sequence
<400> 1128
ttgatttgtg tgagtattag ttat                                        24
<210> 1129
<211> 24
<212> DNA
<213> Artificial Sequence
<220> 
<223> Description of Artificial Sequence:Artificially
Synthesized DNA Sequence
<400> 1129
aaagtgatta agttagtttg agat                                        24
<210> 1130
<211> 24
<212> DNA
<213> Artificial Sequence
<220> 
<223> Description of Artificial Sequence:Artificially
Synthesized DNA Sequence
<400> 1130
ttgtatttgt ataatgttga agag                                        24
<210> 1131
<211> 24
<212> DNA
<213> Artificial Sequence
<220> 
<223> Description of Artificial Sequence:Artificially
Synthesized DNA Sequence
<400> 1131
gtttgaaatt agtgtgagaa atat                                        24
<210> 1132
<211> 24
<212> DNA
<213> Artificial Sequence
<220> 
<223> Description of Artificial Sequence:Artificially
Synthesized DNA Sequence
<400> 1132
aatgttgaga ttgataatgt tgaa                                        24
<210> 1133
<211> 24
<212> DNA
<213> Artificial Sequence
<220> 
<223> Description of Artificial Sequence:Artificially
Synthesized DNA Sequence
<400> 1133
tagtagtagt attgttgtaa taag                                        24
<210> 1134
<211> 24
<212> DNA
<213> Artificial Sequence
<220> 
<223> Description of Artificial Sequence:Artificially
Synthesized DNA Sequence
<400> 1134
gttgtaattt gagtgttagt tatt                                        24
<210> 1135
<211> 24
<212> DNA
<213> Artificial Sequence
<220> 
<223> Description of Artificial Sequence:Artificially
Synthesized DNA Sequence
<400> 1135
tgaatatgat agttagtaat tgtg                                        24
<210> 1136
<211> 24
<212> DNA
<213> Artificial Sequence
<220> 
<223> Description of Artificial Sequence:Artificially
Synthesized DNA Sequence
<400> 1136
tgatagtatg tttgtgatta aaga                                        24
<210> 1137
<211> 24
<212> DNA
<213> Artificial Sequence
<220> 
<223> Description of Artificial Sequence:Artificially
Synthesized DNA Sequence
<400> 1137
gatgtataaa gagtatgtta taag                                        24
<210> 1138
<211> 24
<212> DNA
<213> Artificial Sequence
<220> 
<223> Description of Artificial Sequence:Artificially
Synthesized DNA Sequence
<400> 1138
agtgagattt agaagatgtt atta                                        24
<210> 1139
<211> 24
<212> DNA
<213> Artificial Sequence
<220> 
<223> Description of Artificial Sequence:Artificially
Synthesized DNA Sequence
<400> 1139
atgagaattt gttaaagaga aagt                                        24
<210> 1140
<211> 24
<212> DNA
<213> Artificial Sequence
<220> 
<223> Description of Artificial Sequence:Artificially
Synthesized DNA Sequence
<400> 1140
aaagaattag tatgatagat gaga                                        24
<210> 1141
<211> 24
<212> DNA
<213> Artificial Sequence
<220> 
<223> Description of Artificial Sequence:Artificially
Synthesized DNA Sequence
<400> 1141
tagagttgta tagtttatag ttga                                        24
<210> 1142
<211> 24
<212> DNA
<213> Artificial Sequence
<220> 
<223> Description of Artificial Sequence:Artificially
Synthesized DNA Sequence
<400> 1142
gtagaatgat tgtttagaag attt                                        24
<210> 1143
<211> 24
<212> DNA
<213> Artificial Sequence
<220> 
<223> Description of Artificial Sequence:Artificially
Synthesized DNA Sequence
<400> 1143
gtttatgttt gagaagagtt attt                                        24
<210> 1144
<211> 24
<212> DNA
<213> Artificial Sequence
<220> 
<223> Description of Artificial Sequence:Artificially
Synthesized DNA Sequence
<400> 1144
tagaagtttg aaagttattg attg                                        24
<210> 1145
<211> 24
<212> DNA
<213> Artificial Sequence
<220> 
<223> Description of Artificial Sequence:Artificially
Synthesized DNA Sequence
<400> 1145
gatgaagagt atttgttata tgta                                        24
<210> 1146
<211> 24
<212> DNA
<213> Artificial Sequence
<220> 
<223> Description of Artificial Sequence:Artificially
Synthesized DNA Sequence
<400> 1146
gatgaatata gtaagtattg agta                                        24
<210> 1147
<211> 24
<212> DNA
<213> Artificial Sequence
<220> 
<223> Description of Artificial Sequence:Artificially
Synthesized DNA Sequence
<400> 1147
tagtgatgaa atttgagata gata                                        24
<210> 1148
<211> 24
<212> DNA
<213> Artificial Sequence
<220> 
<223> Description of Artificial Sequence:Artificially
Synthesized DNA Sequence
<400> 1148
gaaagaaatt gaagagtttg atat                                        24
<210> 1149
<211> 24
<212> DNA
<213> Artificial Sequence
<220> 
<223> Description of Artificial Sequence:Artificially
Synthesized DNA Sequence
<400> 1149
atttgagtat ttgtgtattg aatg                                        24
<210> 1150
<211> 24
<212> DNA
<213> Artificial Sequence
<220> 
<223> Description of Artificial Sequence:Artificially
Synthesized DNA Sequence
<400> 1150
atgagttgaa atttgaagta ttgt                                        24
<210> 1151
<211> 24
<212> DNA
<213> Artificial Sequence
<220> 
<223> Description of Artificial Sequence:Artificially
Synthesized DNA Sequence
<400> 1151
ttaatagtga gagagtatat gtaa                                        24
<210> 1152
<211> 24
<212> DNA
<213> Artificial Sequence
<220> 
<223> Description of Artificial Sequence:Artificially
Synthesized DNA Sequence
<400> 1152
attaagagag tgagtaaatg taaa                                        24
<210> 1153
<211> 24
<212> DNA
<213> Artificial Sequence
<220> 
<223> Description of Artificial Sequence:Artificially
Synthesized DNA Sequence
<400> 1153
aagaatagat gagattagaa atag                                        24
<210> 1154
<211> 24
<212> DNA
<213> Artificial Sequence
<220> 
<223> Description of Artificial Sequence:Artificially
Synthesized DNA Sequence
<400> 1154
agtttaaaga gttagaattg aaag                                        24
<210> 1155
<211> 24
<212> DNA
<213> Artificial Sequence
<220> 
<223> Description of Artificial Sequence:Artificially
Synthesized DNA Sequence
<400> 1155
gtaagatttg ttgaataaag aaga                                        24
<210> 1156
<211> 24
<212> DNA
<213> Artificial Sequence
<220> 
<223> Description of Artificial Sequence:Artificially
Synthesized DNA Sequence
<400> 1156
agagaaagaa gttaaagtga tatt                                        24
<210> 1157
<211> 24
<212> DNA
<213> Artificial Sequence
<220> 
<223> Description of Artificial Sequence:Artificially
Synthesized DNA Sequence
<400> 1157
taatagagaa gagatgtatg aata                                        24
<210> 1158
<211> 24
<212> DNA
<213> Artificial Sequence
<220> 
<223> Description of Artificial Sequence:Artificially
Synthesized DNA Sequence
<400> 1158
ttattagtga taagtgaagt ttag                                        24
<210> 1159
<211> 24
<212> DNA
<213> Artificial Sequence
<220> 
<223> Description of Artificial Sequence:Artificially
Synthesized DNA Sequence
<400> 1159
ataatgtaaa gatgagttta tgag                                        24
<210> 1160
<211> 24
<212> DNA
<213> Artificial Sequence
<220> 
<223> Description of Artificial Sequence:Artificially
Synthesized DNA Sequence
<400> 1160
ttgatttgag agttgataag attt                                        24
<210> 1161
<211> 24
<212> DNA
<213> Artificial Sequence
<220> 
<223> Description of Artificial Sequence:Artificially
Synthesized DNA Sequence
<400> 1161
atgattattg tgtgtagaat taga                                        24
<210> 1162
<211> 24
<212> DNA
<213> Artificial Sequence
<220> 
<223> Description of Artificial Sequence:Artificially
Synthesized DNA Sequence
<400> 1162
tataaagata tagtagatga tgtg                                        24
<210> 1163
<211> 24
<212> DNA
<213> Artificial Sequence
<220> 
<223> Description of Artificial Sequence:Artificially
Synthesized DNA Sequence
<400> 1163
tttagttgag atgaagttat taga                                        24
<210> 1164
<211> 24
<212> DNA
<213> Artificial Sequence
<220> 
<223> Description of Artificial Sequence:Artificially
Synthesized DNA Sequence
<400> 1164
attgaattga tatagtgtaa agtg                                        24
<210> 1165
<211> 24
<212> DNA
<213> Artificial Sequence
<220> 
<223> Description of Artificial Sequence:Artificially
Synthesized DNA Sequence
<400> 1165
gaagaaagat tattgtattg agtt                                        24
<210> 1166
<211> 24
<212> DNA
<213> Artificial Sequence
<220> 
<223> Description of Artificial Sequence:Artificially
Synthesized DNA Sequence
<400> 1166
attgagtgta gtgatttaga aata                                        24
<210> 1167
<211> 24
<212> DNA
<213> Artificial Sequence
<220> 
<223> Description of Artificial Sequence:Artificially
Synthesized DNA Sequence
<400> 1167
aataaagtgt ttaagagtag agta                                        24
<210> 1168
<211> 24
<212> DNA
<213> Artificial Sequence
<220> 
<223> Description of Artificial Sequence:Artificially
Synthesized DNA Sequence
<400> 1168
gtagagataa ttgatgtgta attt                                        24
<210> 1169
<211> 19
<212> DNA
<213> Artificial Sequence
<220> 
<223> Description of Artificial Sequence:Artificially
Synthesized DNA Sequence
<400> 1169
tgatcgtagc tacgccgcg                                              19
<210> 1170
<211> 16
<212> DNA
<213> Artificial Sequence
<220> 
<223> Description of Artificial Sequence:Artificially
Synthesized DNA Sequence
<400> 1170
cgtacgattg caacgt                                                 16
<210> 1171
<211> 48
<212> DNA
<213> Artificial Sequence
<220> 
<223> Description of Artificial Sequence:Artificially
Synthesized DNA Sequence
<400> 1171
atgttaaagt aagtgttgaa atgttccagg gaagcgtgtc accgtcgt              48
<210> 1172
<211> 24
<212> DNA
<213> Artificial Sequence
<220> 
<223> Description of Artificial Sequence:Artificially
Synthesized DNA Sequence
<400> 1172
tcatggcgac tgtccagctt tgtg                                        24